(57)【要約】本願の実施形態は、通信技術の分野に関し、特に、IABシナリオにおけるデータ伝送のために要求される必要な構成を提供するための構成方法、データ伝送方法、および装置に関する。解決策は、第1の装置によって、無線アクセス・ネットワーク装置によって送信される構成情報を受信するステップであって、該構成情報は、伝送経路上の前記第1の装置の適応層のためのルーティング構成を含み、該伝送経路は、前記RAN装置および少なくとも1つの無線バックホール・ノードを含み、前記ルーティング構成は、第2の装置の識別子を含み、前記第1の装置は、ドナー・ノードの分散ユニットDUまたは前記少なくとも1つの無線バックホール・ノードのうちの第1の無線バックホール・ノードであり、前記第2の装置は、前記少なくとも1つの無線バックホール・ノードのうちの第2の無線バックホール・ノード、または前記少なくとも1つの無線バックホール・ノードのうちの前記第1の無線バックホール・ノードによってサービスされる端末、または第2の無線バックホール・ノードによってサービスされる端末である、ステップと；前記第1の装置によって、前記第1の装置の適応層上の前記ルーティング構成を実行するステップと、を含む。この解決策は、無線バックホール・システムに適用可能である。
2021521736.tif 000002
【特許請求の範囲】
【請求項１】
構成方法であって：
第1の装置によって、無線アクセス・ネットワークRAN装置によって送信された構成情報を受信するステップであって、前記構成情報は、伝送経路上の前記第1の装置の適応層のためのルーティング構成を含み、前記伝送経路は、前記第1の装置および伝送経路装置を含み、前記第1の装置は、分散ユニットDUまたはDUに接続された無線バックホール・ノードであり、前記ルーティング構成は前記伝送経路装置の識別子を含み、前記伝送経路は少なくとも2つの無線バックホール・ノードを含む、ステップと；
前記第1の装置によって、前記第1の装置伝送経路伝送経路の前記適応層上で前記ルーティング構成を実行するステップと、を含む、
方法。
【請求項２】
前記第1の装置は前記DUに接続された無線バックホール・ノードであり、当該方法は、さらに：
前記第1の装置によって、前記RAN装置によって送信された指示情報を受信するステップを含み、前記指示情報は、無線リンク制御RLC層において前記第1の装置の自動反復要求ARQモードを示すために使用される、
請求項１に記載の方法。
【請求項３】
前記第1の装置は前記DUであり、当該方法は、さらに：
前記第1の装置によって、前記RAN装置によって送信され、前記第1の装置のパケット・データ収束プロトコルPDCP層を構成するために使用される情報を受信するステップを含み、前記第1の装置のPDCP層は、端末にサービスする第2の無線バックホール・ノードのPDCP層のピア層である、
請求項１に記載の方法。
【請求項４】
前記RAN装置は、ドナー・ノードの集中ユニットCUまたはドナー・ノードであり、前記第1の装置は、前記DUに接続された無線バックホール・ノードであり、当該方法は、さらに：
前記第1の装置によって、前記RAN装置によって送信され、前記第1の装置のPDCP層を構成するために使用される情報を受信するステップを含み、前記第1の装置のPDCP層は、前記RAN装置のPDCP層のピア層であるか、または前記DUのPDCP層のピア層である、
請求項１または２に記載の方法。
【請求項５】
構成方法であって：
無線アクセス・ネットワークRAN装置によって、第1の装置に構成情報を送信するステップを含み、前記構成情報は、伝送経路上の前記第1の装置の適応層のためのルーティング構成を含み、前記伝送経路は、前記第1の装置および伝送経路装置を含み、前記第1の装置は、分散ユニットDUまたはDUに接続された無線バックホール・ノードであり、前記ルーティング構成は前記伝送経路装置の識別子を含み、前記伝送経路は少なくとも2つの無線バックホール・ノードを含む、
方法。
【請求項６】
前記第1の装置は前記DUに接続された無線バックホール・ノードであり、当該方法は、さらに：
前記RAN装置によって、指示情報を前記第1の装置に送信するステップを含み、前記指示情報は、無線リンク制御RLC層において前記第1の装置の自動反復要求ARQモードを示すために使用される、
請求項５に記載の方法。
【請求項７】
前記第1の装置は前記DUであり、当該方法は、さらに：
前記第1の装置のパケット・データ収束プロトコルPDCP層を構成するために使用される情報を、前記RAN装置によって、前記第1の装置に送信することを含み、前記第1の装置のPDCP層は、端末にサービスする第2の無線バックホール・ノードのPDCP層のピア層である、
請求項５または６に記載の方法。
【請求項８】
前記RAN装置は、ドナー・ノードの集中ユニットCUまたはドナー・ノードであり、前記第1の装置は、前記DUに接続された無線バックホール・ノードであり、当該方法は、さらに：
前記第1の装置のPDCP層を構成するために使用される情報を、前記RAN装置によって、前記第1の装置に送信するステップを含み、前記第1の装置のPDCP層は、前記RAN装置のPDCP層のピア層であるか、または前記DUのPDCP層のピア層である、
請求項５ないし７のうちいずれか一項に記載の方法。
【請求項９】
上りリンク・データ伝送方法であって：
第2の装置によって生成され、第1のアプリケーション層メッセージを担持する第1のデータ・パケットを、第1の装置によって、受信するステップであって、前記第1のデータ・パケットは、前記第2の装置の識別子と第1の指示情報とを含み、前記第1の指示情報は、前記第1のデータ・パケットにおいて担持されるメッセージのタイプが前記第1のアプリケーション層メッセージであることを示すために使用される、ステップと；
前記第1の装置によって、前記第1のアプリケーション層メッセージを担持する第2のデータ・パケットを第3の装置に送信するステップであって、前記第2のデータ・パケットは、前記第2の装置の識別子と第2の指示情報とを含み、前記第2の指示情報は、前記第2のデータ・パケットにおいて担持されるメッセージのタイプが前記第1のアプリケーション層メッセージであることを示すために使用される、ステップとを含み、
前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、前記第2の装置の第1のアプリケーション層のピア層である第1のアプリケーション層をもつ、ドナー・ノードの集中ユニットCUもしくは分散ユニットDUであるか、またはドナー・ノードである；または、前記第1の装置は、ドナー・ノードのDUであり、前記第2の装置は伝送経路上の少なくとも1つの無線バックホール・ノードのうちの第2の無線バックホール・ノードであり、前記第3の装置は、前記第2の装置の第1のアプリケーション層のピア層である第1のアプリケーション層をもつ、前記ドナー・ノードの集中ユニットCUである、
方法。
【請求項１０】
上りリンク・データ伝送方法であって：
第2の装置によって、第1のアプリケーション層メッセージを担持する第1のデータ・パケットを生成するステップであって、無線バックホール・ノードの第1のアプリケーション層は分散ユニットDUの第1のアプリケーション層のピア層である、ステップと；
前記第2の装置によって、前記第1のデータ・パケットを第1の装置に送信するステップであって、前記第1のデータ・パケットは、前記第2の装置の識別子および第1の指示情報を含み、前記第1の指示情報は、前記第1のデータ・パケットにおいて担持されるメッセージのタイプが前記第1のアプリケーション層メッセージであることを示すために使用される、ステップとを含み、
前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードである；または、前記第1の装置は、ドナー・ノードの分散ユニットDUであり、前記第2の装置は伝送経路上の少なくとも1つの無線バックホール・ノードのうちの第2の無線バックホール・ノードである、
方法。
【請求項１１】
上りリンク・データ伝送方法であって：
第1の装置によって送信され、第1のアプリケーション層メッセージを担持する第2のデータ・パケットを第3の装置によって受信するステップであって、前記第2のデータ・パケットは第2の装置の識別子および第2の指示情報を含み、前記第2の指示情報は前記第2のデータ・パケットにおいて担持されるメッセージのタイプが前記第1のアプリケーション層メッセージであることを示すために使用される、ステップと；
前記第3の装置によって、前記第2のデータ・パケットにおける前記第1のアプリケーション層メッセージを、前記第2の装置の第1のアプリケーション層のピア層である第1のアプリケーション層に、受信処理のために送達するステップとを含み、
前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、前記第2の装置の前記第1のアプリケーション層のピア層である前記第1のアプリケーション層をもつ、ドナー・ノードの集中ユニットCUもしくは分散ユニットDUであるか、またはドナー・ノードである；または、前記第1の装置は、ドナー・ノードの分散ユニットDUであり、前記第2の装置は伝送経路上の少なくとも1つの無線バックホール・ノードのうちの第2の無線バックホール・ノードであり、前記第3の装置は、前記第2の装置の前記第1のアプリケーション層のピア層である前記第1のアプリケーション層をもつ、前記ドナー・ノードの集中ユニットCUである、
方法。
【請求項１２】
下りリンク・データ伝送方法であって：
第3の装置によって、第1のアプリケーション層メッセージを担持する、第2の装置に送信されるべき第1のデータ・パケットを生成するステップと；
前記第3の装置によって、前記第1のアプリケーション層メッセージを担持する第1のデータ・パケットを第1の装置に送信するステップであって、前記第1のデータ・パケットは、前記第2の装置の識別子および第1の指示情報を担持し、前記第1の指示情報は、前記第1のデータ・パケットにおいて担持されるメッセージのタイプが前記第1のアプリケーション層メッセージであることを示すために使用される、ステップとを含み、
前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、前記第2の装置の第1のアプリケーション層のピア層である第1のアプリケーション層をもつ、ドナー・ノードの分散ユニットDUであるか、またはドナー・ノードである；または、前記第1の装置は、ドナー・ノードの分散ユニットDUであり、前記第2の装置は伝送経路上の少なくとも1つの無線バックホール・ノードのうちの第2の無線バックホール・ノードであり、前記第3の装置は、前記第2の装置の第1のアプリケーション層のピア層である第1のアプリケーション層をもつ、前記ドナー・ノードの集中ユニットCUである、
方法。
【請求項１３】
下りリンク・データ伝送方法であって：
第3の装置によって送信され、第1のアプリケーション層メッセージを担持する第1のデータ・パケットを、第1の装置によって、受信するステップであって、前記第1のデータ・パケットは、第2の装置の識別子および第1の指示情報を担持し、前記第1の指示情報は、前記第1のデータ・パケットにおいて担持されるメッセージのタイプが前記第1のアプリケーション層メッセージであることを示すために使用される、ステップと；
前記第1の装置によって、前記第1のアプリケーション層メッセージを担持する第2のデータ・パケットを前記第2の装置に送信するステップであって、前記第2のデータ・パケットは、前記第2の装置の識別子および第2の指示情報を含み、前記第2の指示情報は、前記第2のデータ・パケットにおいて担持されるメッセージのタイプが前記第1のアプリケーション層メッセージであることを示すために使用される、ステップとを含み、
前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、前記第2の装置の第1のアプリケーション層のピア層である第1のアプリケーション層をもつ、ドナー・ノードの分散ユニットDUであるか、またはドナー・ノードである；または、前記第1の装置は、ドナー・ノードのDUであり、前記第2の装置は伝送経路上の少なくとも1つの無線バックホール・ノードのうちの第2の無線バックホール・ノードであり、前記第3の装置は、前記第2の装置の第1のアプリケーション層のピア層である第1のアプリケーション層をもつ、前記ドナー・ノードの集中ユニットCUである、
方法。
【請求項１４】
下りリンク・データ伝送方法であって：
第1の装置によって送信され、第1のアプリケーション層メッセージを担持する第2のデータ・パケットを、第2の装置によって、受信するステップであって、前記第2のデータ・パケットは、前記第2の装置の識別子および第2の指示情報を含み、前記第2の指示情報は、前記第2のデータ・パケットにおいて担持されるメッセージのタイプが前記第1のアプリケーション層メッセージであることを示すために使用される、ステップと；
前記第2の装置によって、前記第2のデータ・パケットのうちの前記第1のアプリケーション層メッセージを、第3の装置の第1のアプリケーション層のピア層である第1のアプリケーション層に、受信処理のために送達するステップとを含み、
前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、前記第2の装置の前記第1のアプリケーション層のピア層である前記第1のアプリケーション層をもつ、ドナー・ノードのCUもしくはDUであるか、またはドナー・ノードである；または、前記第1の装置は、ドナー・ノードの分散ユニットDUであり、前記第2の装置は伝送経路上の少なくとも1つの無線バックホール・ノードのうちの第2の無線バックホール・ノードであり、前記第3の装置は、前記第2の装置の前記第1のアプリケーション層のピア層である前記第1のアプリケーション層をもつ、前記ドナー・ノードの集中ユニットCUである、
方法。
【請求項１５】
構成装置であって、当該装置は第1の装置または第1の装置に適用されるチップであり、当該装置は：
無線アクセス・ネットワークRAN装置によって送信された構成情報を受信するよう構成された受信ユニットであって、前記構成情報は、伝送経路上の前記第1の装置の適応層のためのルーティング構成を含み、前記伝送経路は、前記第1の装置および伝送経路装置を含み、前記第1の装置は、分散ユニットDUまたはDUに接続された無線バックホール・ノードであり、前記ルーティング構成は前記伝送経路装置の識別子を含み、前記伝送経路は少なくとも2つの無線バックホール・ノードを含む、受信ユニットと；
前記第1の装置の前記適応層上で前記ルーティング構成を実行するよう構成された構成ユニットと、を有する、
装置。
【請求項１６】
前記第1の装置は前記DUに接続された無線バックホール・ノードであり、前記受信ユニットは、さらに、前記RAN装置によって送信された指示情報を受信するよう構成されており、前記指示情報は、無線リンク制御RLC層において前記第1の装置の自動反復要求ARQモードを示すために使用される、請求項１５に記載の装置。
【請求項１７】
前記第1の装置は前記DUであり、前記受信ユニットは、さらに、前記RAN装置によって送信され、前記第1の装置のパケット・データ収束プロトコルPDCP層を構成するために使用される情報を受信するよう構成されており、前記第1の装置のPDCP層は、端末にサービスする第2の無線バックホール・ノードのPDCP層のピア層である、請求項１５または１６に記載の装置。
【請求項１８】
前記RAN装置は、ドナー・ノードの集中ユニットCUまたはドナー・ノードであり、前記第1の装置は、前記DUに接続された無線バックホール・ノードであり、前記受信ユニットは、さらに、前記RAN装置によって送信され、前記第1の装置のPDCP層を構成するために使用される前記情報を受信するよう構成されており、前記第1の装置のPDCP層は、前記RAN装置のPDCP層のピア層であるか、または前記DUのPDCP層のピア層である、請求項１５ないし１７のうちいずれか一項に記載の装置。
【請求項１９】
構成装置であって、当該装置は無線アクセス・ネットワークRAN装置または無線アクセス・ネットワークRAN装置に適用されるチップであることができ、当該装置は：
第1の装置に構成情報を送信するよう構成された送信ユニットを有しており、前記構成情報は、伝送経路上の前記第1の装置の適応層のためのルーティング構成を含み、前記伝送経路は、前記第1の装置および伝送経路装置を含み、前記第1の装置は、分散ユニットDUまたはDUに接続された無線バックホール・ノードであり、前記ルーティング構成は前記伝送経路装置の識別子を含み、前記伝送経路は少なくとも2つの無線バックホール・ノードを含む、
装置。
【請求項２０】
前記第1の装置は前記DUに接続された無線バックホール・ノードであり、前記送信ユニットは、さらに、指示情報を前記第1の装置に送信するよう構成されており、前記指示情報は、無線リンク制御RLC層において前記第1の装置の自動反復要求ARQモードを示すために使用される、請求項１９に記載の装置。
【請求項２１】
前記第1の装置は前記DUであり、前記送信ユニットは、さらに、前記第1の装置のパケット・データ収束プロトコルPDCP層を構成するために使用される情報を、前記第1の装置に送信するよう構成されており、前記第1の装置のPDCP層は、端末にサービスする第2の無線バックホール・ノードのPDCP層のピア層である、請求項１９または２０に記載の装置。
【請求項２２】
前記RAN装置は、ドナー・ノードの集中ユニットCUまたはドナー・ノードであり、前記第1の装置は、前記DUに接続された無線バックホール・ノードであり、前記送信ユニットは、さらに、前記第1の装置のPDCP層を構成するために使用される前記情報を、前記第1の装置に送信するよう構成されており、前記第1の装置のPDCP層は、前記RAN装置のPDCP層のピア層であるか、または前記DUのPDCP層のピア層である、請求項１９ないし２１のうちいずれか一項に記載の装置。
【請求項２３】
上りリンク・データ伝送装置であって、当該装置は第1の装置または第1の装置に適用されるチップであり、当該装置は：
第2の装置によって生成され、第1のアプリケーション層メッセージを担持する第1のデータ・パケットを受信するよう構成された受信ユニットであって、前記第1のデータ・パケットは、前記第2の装置の識別子と第1の指示情報とを含み、前記第1の指示情報は、前記第1のデータ・パケットにおいて担持されるメッセージのタイプが前記第1のアプリケーション層メッセージであることを示すために使用される、受信ユニットと；
前記第1のアプリケーション層メッセージを担持する第2のデータ・パケットを第3の装置に送信するよう構成された送信ユニットであって、前記第2のデータ・パケットは、前記第2の装置の識別子と第2の指示情報とを含み、前記第2の指示情報は、前記第2のデータ・パケットにおいて担持されるメッセージが前記第1のアプリケーション層メッセージであることを示すために使用される、送信ユニットとを有しており、
前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、前記第2の装置の第1のアプリケーション層のピア層である第1のアプリケーション層をもつ、ドナー・ノードのCUもしくはDUであるか、またはドナー・ノードである；または、前記第1の装置は、ドナー・ノードの分散ユニットDUであり、前記第2の装置は伝送経路上の少なくとも1つの無線バックホール・ノードのうちの第2の無線バックホール・ノードであり、前記第3の装置は、前記第2の装置の第1のアプリケーション層のピア層である第1のアプリケーション層をもつ、前記ドナー・ノードの集中ユニットCUである、
装置。
【請求項２４】
上りリンク・データ伝送装置であって、当該装置は第2の装置または第2の装置に適用されるチップであり、当該装置は：
第1のアプリケーション層メッセージを担持する第1のデータ・パケットを生成するよう構成された生成ユニットと；
前記第1のデータ・パケットを第1の装置に送信するよう構成された送信ユニットであって、前記第1のデータ・パケットは、前記第2の装置の識別子および第1の指示情報を含み、前記第1の指示情報は、前記第1のデータ・パケットにおいて担持されるメッセージのタイプが前記第1のアプリケーション層メッセージであることを示すために使用される、送信ユニットとを有しており、前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードである；または、前記第1の装置は、ドナー・ノードの分散ユニットDUであり、前記第2の装置は伝送経路上の少なくとも1つの無線バックホール・ノードのうちの第2の無線バックホール・ノードである、
装置。
【請求項２５】
上りリンク・データ伝送装置であって、当該装置は第3の装置または第3の装置に適用されるチップであり、当該装置は：
第1の装置によって送信され、第1のアプリケーション層メッセージを担持する第2のデータ・パケットを受信するよう構成された受信ユニットであって、前記第2のデータ・パケットは第2の装置の識別子および第2の指示情報を含み、前記第2の指示情報は前記第2のデータ・パケットにおいて担持されるメッセージのタイプが前記第1のアプリケーション層メッセージであることを示すために使用される、受信ユニットと；
前記第2のデータ・パケットにおける前記第1のアプリケーション層メッセージを、前記第2の装置の第1のアプリケーション層のピア層である第1のアプリケーション層に、受信処理のために送達する処理ユニットとを有しており、前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、前記第2の装置の前記第1のアプリケーション層のピア層である前記第1のアプリケーション層をもつ、ドナー・ノードのCUもしくはDUであるか、またはドナー・ノードである；または、前記第1の装置は、ドナー・ノードの分散ユニットDUであり、前記第2の装置は伝送経路上の少なくとも1つの無線バックホール・ノードのうちの第2の無線バックホール・ノードであり、前記第3の装置は、前記第2の装置の前記第1のアプリケーション層のピア層である前記第1のアプリケーション層をもつ、前記ドナー・ノードの集中ユニットCUである、
装置。
【請求項２６】
下りリンク・データ伝送装置であって、当該装置は第3の装置または第3の装置に適用されるチップであり、当該装置は：
第1のアプリケーション層メッセージを担持する、第2の装置に送信されるべき第1のデータ・パケットを生成するよう構成された生成ユニットと；
前記第1のアプリケーション層メッセージを担持する前記第1のデータ・パケットを第1の装置に送信するよう構成された送信ユニットであって、前記第1のデータ・パケットは、前記第2の装置の識別子および第1の指示情報を担持し、前記第1の指示情報は、前記第1のデータ・パケットにおいて担持されるメッセージのタイプが前記第1のアプリケーション層メッセージであることを示すために使用される、送信ユニットとを有しており、
前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、前記第2の装置の第1のアプリケーション層のピア層である第1のアプリケーション層をもつ、ドナー・ノードの分散ユニットDUであるか、またはドナー・ノードである；または、前記第1の装置は、ドナー・ノードの分散ユニットDUであり、前記第2の装置は伝送経路上の少なくとも1つの無線バックホール・ノードのうちの第2の無線バックホール・ノードであり、前記第3の装置は、前記第2の装置の第1のアプリケーション層のピア層である第1のアプリケーション層をもつ、前記ドナー・ノードの集中ユニットCUである、
装置。
【請求項２７】
下りリンク・データ伝送装置であって、当該装置は第1の装置または第1の装置に適用されるチップであり、当該装置は：
第3の装置によって送信され、第1のアプリケーション層メッセージを担持する第1のデータ・パケットを受信するよう構成された受信ユニットであって、前記第1のデータ・パケットは、第2の装置の識別子および第1の指示情報を担持し、前記第1の指示情報は、前記第1のデータ・パケットにおいて担持されるメッセージのタイプが前記第1のアプリケーション層メッセージであることを示すために使用される、受信ユニットと；
前記第1のアプリケーション層メッセージを担持する第2のデータ・パケットを前記第2の装置に送信するよう構成された送信ユニットであって、前記第2のデータ・パケットは、前記第2の装置の識別子および第2の指示情報を含み、前記第2の指示情報は、前記第2のデータ・パケットにおいて担持されるメッセージのタイプが前記第1のアプリケーション層メッセージであることを示すために使用される、送信ユニットとを有しており、
前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、前記第2の装置の第1のアプリケーション層のピア層である第1のアプリケーション層をもつ、ドナー・ノードのDUであるか、またはドナー・ノードである；または、前記第1の装置は、ドナー・ノードの分散ユニットDUであり、前記第2の装置は伝送経路上の少なくとも1つの無線バックホール・ノードのうちの第2の無線バックホール・ノードであり、前記第3の装置は、前記第2の装置の第1のアプリケーション層のピア層である第1のアプリケーション層をもつ、前記ドナー・ノードの集中ユニットCUである、
装置。
【請求項２８】
下りリンク・データ伝送装置であって、当該装置は第2の装置または第2の装置に適用されるチップであり、当該装置は：
第1の装置によって送信され、第1のアプリケーション層メッセージを担持する第2のデータ・パケットを受信するよう構成された受信ユニットであって、前記第2のデータ・パケットは、前記第2の装置の識別子および第2の指示情報を含み、前記第2の指示情報は、前記第2のデータ・パケットにおいて担持されるメッセージのタイプが前記第1のアプリケーション層メッセージであることを示すために使用される、受信ユニットと；
前記第2のデータ・パケットのうちの前記第1のアプリケーション層メッセージを、第3の装置の第1のアプリケーション層のピア層である第1のアプリケーション層に、受信処理のために送達するよう構成された処理ユニットとを有しており、前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、前記第2の装置の前記第1のアプリケーション層のピア層である前記第1のアプリケーション層をもつ、ドナー・ノードのCUもしくはDUであるか、またはドナー・ノードである；または、前記第1の装置は、ドナー・ノードの分散ユニットDUであり、前記第2の装置は伝送経路上の少なくとも1つの無線バックホール・ノードのうちの第2の無線バックホール・ノードであり、前記第3の装置は、前記第2の装置の前記第1のアプリケーション層のピア層である前記第1のアプリケーション層をもつ、前記ドナー・ノードの集中ユニットCUである、
装置。
【請求項２９】
コンピュータ読み取り可能な記憶媒体であって、当該コンピュータ読み取り可能な記憶媒体はコンピュータ・プログラムまたは命令を記憶しており；前記コンピュータ・プログラムまたは前記命令がコンピュータ上で実行されると、前記コンピュータは、請求項１ないし４のうちいずれか一項に記載の方法、請求項５ないし８のうちいずれか一項に記載の方法、または請求項９、１０、１１、１２、１３および１４のうちいずれか一項に記載の方法を実行することができるようにされる、コンピュータ読み取り可能な記憶媒体。
【発明の詳細な説明】
【技術分野】
【０００１】
本願は、2018年5月11日に中国国家知識産権局に出願され、「構成方法、データ伝送方法、および装置」と題された中国特許出願第201810451490.5号に対する優先権を主張するものであり、その全体が参照により本明細書に組み込まれる。
【０００２】
技術分野
本願の実施形態は、通信技術の分野に関し、特に、構成方法、データ伝送方法、および装置に関する。
【背景技術】
【０００３】
第4世代（the  fourth  generation  mobile  communication  technology、4G）移動通信システムと比較して、第5世代（fifth-generation、5G）移動通信システムは、各ネットワーク性能インジケータに対する、より厳しい要求をもつ。たとえば、超大容量（容量指標が1000倍に増加）の要求、より広いカバー範囲の要求、超高信頼性および低い待ち時間の要求である。一方では、高周波数キャリアは豊富な周波数資源を有し、そのため、ホットスポット領域では、5Gの超高容量の要求を満たすために、ネットワーク接続は高周波数の小セルを用いて行なうことができると考えられる。高周波数キャリアは、比較的貧弱な伝搬特性をもち、障害物によって著しく減衰させられ、カバー範囲が小さい。よって、大量の小セルを高密度に展開する必要がある。しかしながら、それを提供することはコスト高であり、大量の高密度に展開された小セルのためにファイバー・バックホールを展開することは困難である。他方では、より広いカバー範囲の要求を満たすためにいくつかの遠隔領域においてネットワーク・カバレッジを提供するために光ファイバーを展開することは、困難で、コスト高である。現在、統合アクセスおよびバックホール（integrated  access  and  backhaul、IAB）技術を使用して、前述の2つの問題を解決することができる。
【０００４】
IABシナリオでは、IABノード（これは中継ノード（relay  node、RN）と呼ばれることもある）とユーザー装置（UE、user  equipment）との間にアクセス・リンク（access  link、AL）があり、IABノードとドナー・ノード（IABドナー）（ドナーgNodeB（donor  gNodeB、DgNB）と呼ばれることもある）との間にバックホール・リンク（backhaul  link、BL）がある。無線伝送解決策は、アクセス・リンクとバックホール・リンクの両方に適用される。図1を参照すると、IABノード1およびIABノード2のそれぞれは、ユーザー装置（UE、user  equipment）のための無線アクセス・サービスを提供することができる。UEのサービス・データは、ALを通じてIABノード1またはIABノード2に転送され、次いでIABノード1またはIABノード2が、BLを通じてドナーgNodeBにUEのサービス・データを伝送する。
【０００５】
現在、IABプロトコル・アーキテクチャーの設計は、レイヤー2（Layer  2、L2）転送ベースのIABプロトコル・アーキテクチャーおよびレイヤー3（Layer  3、L3）転送ベースのIABプロトコル・アーキテクチャーを含んでいてもよい。L2  IABプロトコル・アーキテクチャーについては、上りリンク伝送プロセスにおいて、IABノードがデータ・パケットのサービス品質要件に基づいて上りリンク・データ・パケットを正しい宛先ノードに転送できるようにするか、または下りリンク伝送プロセスにおいて、IABノードが下りリンク・データ・パケットを正しい宛先ノードに転送できるようにするために、現在、適応情報（たとえば、ルーティングおよびサービス品質（quality  of  service、QoS）マッピングのために必要とされる情報）が、適応層（adaptation  layer、adapt）において提供されてもよい。
【０００６】
しかしながら、上りリンク・データ・パケットについては、転送プロセスにおいて必要とされる適応情報は、まずIABノードによって追加される（これは、構成されると称されることもある）。しかしながら、下りリンク・データ・パケットについては、まず必要とされる適応情報を追加するノード、データ転送に参加するノード（上りリンク適応情報を追加するIABノードを含む）、および適応情報をどのように取得するかは、現在のところ従来技術では定義されていない。
【発明の概要】
【発明が解決しようとする課題】
【０００７】
本願の実施形態は、IABシナリオにおいてデータ伝送のために要求される必要な構成を提供するための構成方法、データ伝送方法、および装置を提供する。
【課題を解決するための手段】
【０００８】
前述の技術的問題を解決するために、本願の実施形態は、以下の技術的解決策を提供する。
【０００９】
第1の側面によれば、本願は、構成方法を提供する。本方法は、第1の装置によって、無線アクセス・ネットワークRAN装置によって送信された構成情報を受信するステップであって、前記構成情報は、伝送経路上の前記第1の装置の適応層のためのルーティング構成を含み、前記伝送経路は、前記RAN装置および少なくとも1つの無線バックホール・ノードを含み、前記ルーティング構成は第2の装置の識別子を含み、前記第1の装置は、ドナー・ノードの分散ユニットDUまたは前記少なくとも1つの無線バックホール・ノードのうちの第1の無線バックホール・ノードであり、前記第2の装置は、前記少なくとも1つの無線バックホール・ノードのうちの第2の無線バックホール・ノード、または前記少なくとも1つの無線バックホール・ノードのうちの前記第1の無線バックホール・ノードによってサービスされる端末、または第2の無線バックホール・ノードによってサービスされる端末である、ステップと；前記第1の装置によって、前記第1の装置の前記適応層上で前記ルーティング構成を実行するステップと、を含む。
【００１０】
本願のこの実施形態において提供される構成方法によれば、RAN装置は、第1の装置のためにルーティング構成を構成する。このようにして、第1の装置は、構成情報に基づいて、第1の装置の後裔ノードおよび子ノードを決定することができ、それにより、データ・パケットが宛先ノードに転送されるまで、データ・パケットは、データ転送プロセスにおいて、正しいネクストホップ・ノードに転送されることができる。
【００１１】
第1の側面を参照するに、第1の側面の第1の可能な実装において、前記構成情報は、さらに、第1の装置が伝送経路上でデータ伝送を実行するために使用されるサービス品質QoS構成を含む。QoS構成は第1の装置のために構成され、それにより、データ・パケットのサービスの品質に基づいて無線ベアラを正しく選択することによって、データ・パケットが転送されることができる。
【００１２】
任意的に、サービス品質QoS構成は、QoS識別子、QoS識別子に対応するQoSパラメータ、QoS識別子と第1の装置の無線インターフェース上の無線ベアラまたは論理チャネルとの間のマッピング関係、および第1の装置の前ホップ無線インターフェース上の無線ベアラまたは論理チャネルと、次ホップ無線インターフェース上の無線ベアラまたは論理チャネルとの間のマッピング関係のうちの一つまたは複数を含む。
【００１３】
第1の側面または第1の側面の第1の可能な実装を参照するに、第1の側面の第2の可能な実装において、第1の装置は、第1の無線バックホール・ノードであり、本願のこの実施形態に提供される方法は、さらに：第1の装置によって、RAN装置によって送信された指示情報を受信することを含み、指示情報は、無線リンク制御RLC層において第1の装置の自動反復要求ARQモードを示すために使用される。ARQモードは、第1の装置のために設定される。このようにして、データ・パケットが送信失敗になった場合、第1の装置は、該データ・パケットを処理するために指定されたモードを選択することができる。
【００１４】
第1の側面ないし第1の側面の第2の可能な実装のいずれかを参照するに、第1の側面の第3の可能な実装において、第1の装置はDUであり、本願のこの実施形態に提供される方法は、さらに：第1の装置によって、RAN装置によって送信され、第1の装置のパケット・データ収束プロトコルPDCP層を構成するために使用される情報を受信することを含み、第1の装置のPDCP層は、端末にサービスする第2の無線バックホール・ノードのPDCP層のピア層である。PDCP層は、第1の装置のために構成されているため、第1の装置は、データ／シグナリングに対してセキュリティ保護処理を実行する。
【００１５】
第1の側面ないし第1の側面の第3の可能な実装のいずれかを参照するに、第1の側面の第4の可能な実装において、RAN装置は、ドナー・ノードまたはドナー・ノードの集中ユニットCUであり、第1の装置は、第1の無線バックホール・ノードであり、本願のこの実施形態において提供される方法は、さらに：第1の装置によって、RAN装置によって送信され、第1の装置のPDCP層を構成するために使用される情報を受信することを含み、第1の装置のPDCP層は、RAN装置のPDCP層のピア層であるか、またはDUのPDCP層のピア層である。
【００１６】
第2の側面によれば、本願のある実施形態は、構成方法を提供する。本方法は、無線アクセス・ネットワークRAN装置によって、第1の装置に構成情報を送信するステップを含み、前記構成情報は、伝送経路上の前記第1の装置の適応層のためのルーティング構成を含み、前記伝送経路は、前記RAN装置と、少なくとも1つの無線バックホール・ノードとを含み、前記ルーティング構成は、第2の装置の識別子を含み、前記第1の装置は、ドナー・ノードの分散ユニットDUまたは前記少なくとも1つの無線バックホール・ノードのうちの第1の無線バックホール・ノードであり、前記第2の装置は、前記少なくとも1つの無線バックホール・ノードのうちの第2の無線バックホール・ノード、または前記少なくとも1つの無線バックホール・ノードのうちの前記第1の無線バックホール・ノードによってサービスされる端末、または第2の無線バックホール・ノードによってサービスされる端末である。
【００１７】
第2の側面を参照するに、第2の側面の第1の可能な実装において、構成情報は、さらに、第1の装置が伝送経路上でデータ伝送を実行するためのサービス品質QoS構成を含む。
【００１８】
第2の側面または第2の側面の第1の可能な実装を参照するに、第2の側面の第2の可能な実装において、第1の装置は、第1の無線バックホール・ノードであり、本願のこの実施形態において提供される方法は、さらに：RAN装置によって、指示情報を第1の装置に送信することを含み、指示情報は、無線リンク制御RLC層において第1の装置の自動反復要求ARQモードを示すために使用される。
【００１９】
第2の側面ないし第2の側面の第2の可能な実装のいずれかを参照するに、第2の側面の第3の可能な実装において、第1の装置はDUであり、本願のこの実施形態において提供される方法は、さらに：RAN装置によって、第1の装置のパケット・データ収束プロトコルPDCP層を構成するために使用される情報を第1の装置に送信することを含み、第1の装置のPDCP層は、端末にサービスする第2の無線バックホール・ノードのPDCP層のピア層である。
【００２０】
第2の側面ないし第2の側面の第3の側面の可能な実装のいずれかを参照するに、第2の側面の第4の可能な実装において、RAN装置は、ドナー・ノードまたはドナー・ノードの集中ユニットCUであり、第1の装置は、第1の無線バックホール・ノードであり、本願のこの実施形態において提供される方法は、さらに：RAN装置によって、第1の装置のPDCP層を構成するために使用される情報を第1の装置に送信することを含み、第1の装置のPDCP層は、RAN装置のPDCP層のピア層であるか、またはDUのPDCP層のピア層である。
【００２１】
第3の側面によれば、本願は、構成装置を提供する。構成装置は、第1の側面または第1の側面の可能な実装にのうちのいずれかによる方法を実装することができ、よって、第1の側面または第1の側面の可能な実装のうちのいずれかによる有益な効果をさらに実装することができる。本装置は、第1の装置（たとえば、無線バックホール・ノード）であってもよく、または、第1の側面または第1の側面の可能な実装のいずれかによる方法を実装する際に第1の装置をサポートすることができる装置、たとえば、第1の装置に適用されるチップであってもよい。本装置は、ソフトウェアまたはハードウェアを使用することによって、または対応するソフトウェアを実行するハードウェアによって、上記の方法を実施することができる。
【００２２】
本願は、構成装置を提供する。本装置は、第1の装置または第1の装置のチップとして使用されてもよい。本装置は：無線アクセス・ネットワークRAN装置によって送信された構成情報を受信するように構成された受信ユニットであって、前記構成情報は、伝送経路上の当該装置の適応層のためのルーティング構成を含み、前記伝送経路は、前記RAN装置と、少なくとも1つの無線バックホール・ノードとを含み、前記ルーティング構成は、第2の装置の識別子を含み、当該装置は、ドナー・ノードの分散ユニットDUまたは前記少なくとも1つの無線バックホール・ノードのうちの第1の無線バックホール・ノードであり、前記第2の装置は、前記少なくとも1つの無線バックホール・ノードのうちの第2の無線バックホール・ノードであるか、または前記少なくとも1つの無線バックホール・ノードのうちの前記第1の無線バックホール・ノードによってサービスされる端末であるか、または第2の無線バックホール・ノードによってサービスされる端末である、受信ユニットと；当該装置の適応層上で前記ルーティング構成を実行するように構成された構成ユニットとを含む。
【００２３】
第3の側面を参照するに、第3の側面の第1の可能な実装において、構成情報はさらに、当該装置が伝送経路上でデータ伝送を実行するためのサービス品質QoS構成を含む。
【００２４】
第3の側面または第3の側面の第1の可能な実装を参照するに、第3の側面の第2の可能な実装において、本装置は、第1の無線バックホール・ノードであり、本願のこの実施形態において提供される受信ユニットは、さらに、RAN装置によって送信された指示情報を受信するように構成され、ここで、指示情報は、無線リンク制御RLC層における当該装置の自動反復要求ARQモードを示すために使用される。
【００２５】
第3の側面ないし第3の側面の第2の側面の可能な実装のいずれかを参照するに、第3の側面の第3の可能な実装において、当該装置はDUであり、本願のこの実施形態に提供される受信ユニットは、RAN装置によって送信され、当該装置のパケット・データ収束プロトコルPDCP層を構成するために使用される情報を受信するようにさらに構成され、当該装置のPDCP層は、端末にサービスする第2の無線バックホール・ノードのPDCP層のピア層である。
【００２６】
第3の側面ないし第3の側面の可能な実装のうちのいずれかを参照するに、第3の側面の第4の可能な実装において、RAN装置は、ドナー・ノードまたはドナー・ノードの集中ユニットCUであり、当該装置は、第1の無線バックホール・ノードであり、本願のこの実施形態において提供される受信ユニットはさらに、RAN装置によって送信され、当該装置のPDCP層を構成するために使用される情報を受信するように構成され、当該装置のPDCP層は、RAN装置のPDCP層のピア層であるか、またはDUのPDCP層のピア層である。
【００２７】
第4の側面によれば、本願は、構成装置を提供する。本構成装置は、第2の側面または第2の側面の可能な実装のいずれかによる方法を実施することができ、よって、第2の側面または第2の側面の可能な実装のいずれかによる有益な効果をさらに実施することができる。本装置は、無線アクセス・ネットワークRAN装置（たとえば、基地局または基地局の集中ユニット（centralized  unit、CU））であってもよく、または、第2の側面または第2の側面の可能な実装のいずれかによる方法を実装する際にRAN装置をサポートすることができる装置、たとえば、RAN装置に適用されるチップであってもよい。本装置は、ソフトウェアまたはハードウェアを使用することによって、または対応するソフトウェアを実行するハードウェアによって、上記方法を実施することができる。
【００２８】
本願のある実施形態は、構成装置を提供する。本装置は、無線アクセス・ネットワークRAN装置として使用されてもよい。本装置は：第1の装置に構成情報を送信するように構成された送信ユニットを含み、前記構成情報は、伝送経路上の前記第1の装置の適応層のためのルーティング構成を含み、前記伝送経路は、当該装置および少なくとも1つの無線バックホール・ノードを含み、前記ルーティング構成は、第2の装置の識別子を含み、前記第1の装置は、ドナー・ノードの分散ユニットDUまたは前記少なくとも1つの無線バックホール・ノードのうちの第1の無線バックホール・ノードであり、前記第2の装置は、前記少なくとも1つの無線バックホール・ノードのうちの第2の無線バックホール・ノード、または前記少なくとも1つの無線バックホール・ノードのうちの前記第1の無線バックホール・ノードによってサービスされる端末、または第2の無線バックホール・ノードによってサービスされる端末である。
【００２９】
第4の側面を参照するに、第4の側面の第1の可能な実装において、構成情報は、さらに、第1の装置が伝送経路上でデータ伝送を実行するためのサービス品質QoS構成を含む。
【００３０】
第4の側面または第4の側面の第1の可能な実装を参照するに、第4の側面の第2の可能な実装において、第1の装置は、第1の無線バックホール・ノードであり、本願のこの実施形態において提供される送信ユニットは、さらに、指示情報を第1の装置に送信するように構成され、指示情報は、無線リンク制御RLC層において第1の装置の自動反復要求ARQモードを示すために使用される。
【００３１】
第4の側面ないし第4の側面の第2の側面の可能な実装のいずれかを参照するに、第4の側面の第3の可能な実装において、第1の装置はDUであり、本願のこの実施形態に提供される送信ユニットは、第1の装置のパケット・データ収束プロトコルPDCP層を構成するために使用される情報を第1の装置に送信するようにさらに構成され、第1の装置のPDCP層は端末にサービスする第2の無線バックホール・ノードのPDCP層のピア層である。
【００３２】
第4の側面ないし第4の側面の第3の側面の可能な実装のいずれかを参照するに、第4の側面の第4の可能な実装において、本装置は、ドナー・ノードまたはドナー・ノードの集中ユニットCUであり、第1の装置は、第1の無線バックホール・ノードであり、本願のこの実施形態において提供される送信ユニットは、さらに、第1の装置のPDCP層を構成するために使用される情報を第1の装置に送信するように構成され、第1の装置のPDCP層は、RAN装置のPDCP層のピア層であるか、またはDUのPDCP層のピア層である。
【００３３】
第5の側面によれば、本願のある実施形態は、上りリンク・データ伝送方法を提供する。本方法は、第1の装置によって、第2の装置によって生成され、第1のアプリケーション層メッセージを担持する第1のデータ・パケットを受信するステップであって、前記第1のデータ・パケットは、前記第2の装置の識別子と第1の指示情報とを含み、前記第1の指示情報は、前記第1のデータ・パケットにおいて担持されるメッセージのタイプが前記第1のアプリケーション層メッセージであることを示すために使用される、ステップと；前記第1の装置によって、前記第1のアプリケーション層メッセージを担持する第2のデータ・パケットを第3の装置に送信するステップであって、前記第2のデータ・パケットは、前記第2の装置の識別子と第2の指示情報とを含み、前記第2の指示情報は、前記第2のデータ・パケットにおいて担持されるメッセージのタイプが前記第1のアプリケーション層メッセージであることを示すために使用される、ステップとを含み、前記第1の装置は、伝送経路上の複数の無線バックホール・ノードのうちの第1の無線バックホール・ノードであり、前記第2の装置は、前記伝送経路上の複数の無線バックホール・ノードのうちの第2の無線バックホール・ノードであり、前記第3の装置は、ドナー・ノードであるか、または前記第2の装置の第1のアプリケーション層のピア層である第1のアプリケーション層をもつ、ドナー・ノードのCUもしくはDUである、または前記第1の装置は、ドナー・ノードの分散ユニットDUであり、前記第2の装置は伝送経路上の少なくとも1つの無線バックホール・ノードのうちの第2の無線バックホール・ノードであり、前記第3の装置は、前記第2の装置の第1のアプリケーション層のピア層である第1のアプリケーション層をもつ、前記ドナー・ノードの集中ユニットCUである。
【００３４】
任意的に、第2の装置の識別子は、第1のアプリケーション層メッセージが送信されるべき送信先の装置を示すために使用される。
【００３５】
第6の側面によれば、本願のある実施形態は、上りリンク・データ伝送方法を提供する。本方法は：第2の装置によって、T1アプリケーション・プロトコルAPメッセージを担持する第1のデータ・パケットを生成するステップと；第2の装置によって、第1のデータ・パケットを第1の装置に送信するステップとを含み、第1のデータ・パケットは、第2の装置の識別子および第1の指示情報を含み、第1の指示情報は、第1のデータ・パケットにおいて担持されるメッセージのタイプが第1のアプリケーション層メッセージであることを示すために使用される。
第1の装置は、伝送経路上の複数の無線バックホール・ノードのうちの第1の無線バックホール・ノードであり、第2の装置は、前記伝送経路上の複数の無線バックホール・ノードのうちの第2の無線バックホール・ノードであるか、または第1の装置は、ドナー・ノードの分散ユニットDUであり、第2の装置は、伝送経路上の少なくとも1つの無線バックホール・ノードのうちの第2の無線バックホール・ノードである。
【００３６】
第7の側面によれば、ある本願の実施形態は、上りリンク・データ伝送方法を提供する。本方法は、第1の装置によって送信され、第1のアプリケーション層メッセージを担持する第2のデータ・パケットを第3の装置によって受信するステップであって、第2のデータ・パケットは第2の装置の識別子および第2の指示情報を含み、第2の指示情報は第2のデータ・パケットにおいて担持されるメッセージのタイプが第1のアプリケーション層メッセージであることを示すために使用される、ステップと；第3の装置によって、第2のデータ・パケットにおける第1のアプリケーション層メッセージを、第2の装置の第1のアプリケーション層のピア層である第1のアプリケーション層に、受信処理のために送達するステップとを含み、第1の装置は、伝送経路上の複数の無線バックホール・ノードのうちの第1の無線バックホール・ノードであり、第2の装置は、前記伝送経路上の複数の無線バックホール・ノードのうちの第2の無線バックホール・ノードであり、第3の装置は、第2の装置の第1のアプリケーション層のピア層である第1のアプリケーション層をもつ、ドナー・ノードのCUまたはDUである、または、第1の装置はドナー・ノードの分散ユニットDUであり、第2の装置は伝送経路上の少なくとも1つの無線バックホール・ノードのうちの第2の無線バックホール・ノードであり、第3の装置は、第2の装置の第1のアプリケーション層のピア層である第1のアプリケーション層をもつ、前記ドナー・ノードの集中ユニットCUである。
【００３７】
第8の側面によれば、本願のある実施形態は、下りリンク・データ伝送方法を提供する。本方法は：第3の装置によって、第1のアプリケーション層メッセージを担持する、第2の装置に送信されるべき第1のデータ・パケットを生成するステップと；第3の装置によって、第1のアプリケーション層メッセージを担持する第1のデータ・パケットを第1の装置に送信するステップであって、第1のデータ・パケットは、第2の装置の識別子および第1の指示情報を担持し、第1の指示情報は、第1のデータ・パケットにおいて担持されるメッセージのタイプが第1のアプリケーション層メッセージであることを示すために使用される、ステップとを含み、第1の装置は、伝送経路上の複数の無線バックホール・ノードのうちの第1の無線バックホール・ノードであり、第2の装置は、前記伝送経路上の複数の無線バックホール・ノードのうちの第2の無線バックホール・ノードであり、第3の装置は、ドナー・ノードである、または第2の装置の第1のアプリケーション層のピア層である第1のアプリケーション層をもつ、ドナー・ノードの分散ユニットDUである、または第1の装置はドナー・ノードの分散ユニットDUであり、第2の装置は、伝送経路上の少なくとも1つの無線バックホール・ノードにおける第2の無線バックホール・ノードであり、第3の装置は、第2の装置の第1のアプリケーション層のピア層である第1のアプリケーション層をもつ、前記ドナー・ノードの集中ユニットCUである。
【００３８】
第9の側面によれば、本願のある実施形態は、下りリンク・データ伝送方法を提供する。本方法は：第1の装置によって、第3の装置によって送信され、第1のアプリケーション層メッセージを担持する第1のデータ・パケットを受信するステップであって、第1のデータ・パケットは、第2の装置の識別子および第1の指示情報を担持し、第1の指示情報は、第1のデータ・パケットにおいて担持されるメッセージのタイプが第1のアプリケーション層メッセージであることを示すために使用される、ステップと；第1の装置によって、第1のアプリケーション層メッセージを担持する第2のデータ・パケットを第2の装置に送信するステップであって、第2のデータ・パケットは、第2の装置の識別子および第2の指示情報を含み、第2の指示情報は、第2のデータ・パケットにおいて搬送されるメッセージのタイプが第1のアプリケーション層メッセージであることを示すために使用される、ステップとを含み、第1の装置は、伝送経路上の複数の無線バックホール・ノードのうちの第1の無線バックホール・ノードであり、第2の装置は、前記伝送経路上の複数の無線バックホール・ノードのうちの第2の無線バックホール・ノードであり、第3の装置は、ドナー・ノードであるか、第2の装置の第1のアプリケーション層のピア層である第1のアプリケーション層をもつ、ドナー・ノードの分散ユニットDUである、または、第1の装置は、ドナー・ノードの分散ユニットDUであり、第2の装置は、伝送経路上の少なくとも1つの無線バックホール・ノードのうちの第2の無線バックホール・ノードであり、第3の装置は、第2の装置の第1のアプリケーション層のピア層である第1のアプリケーション層をもつ、前記ドナー・ノードの集中ユニットCUである。
【００３９】
第10の側面によれば、本願のある実施形態は、下りリンク・データ伝送方法を提供する。本方法は、第2の装置によって、第1の装置によって送信され、第1のアプリケーション層メッセージを担持する第2のデータ・パケットを受信するステップであって、第2のデータ・パケットは、第2の装置の識別子および第2の指示情報を含み、第2の指示情報は、第2のデータ・パケットにおいて担持されるメッセージのタイプが第1のアプリケーション層メッセージであることを示すために使用される、ステップと；
第2の装置によって、第2のデータ・パケットのうちの第1のアプリケーション層メッセージを、第3の装置の第1のアプリケーション層のピア層である第1のアプリケーション層に、受信処理のために送達するステップとを含み、
第1の装置は伝送経路上の複数の無線バックホール・ノードのうちの第1の無線バックホール・ノードであり、第2の装置は前記伝送経路上の複数の無線バックホール・ノードのうちの第2の無線バックホール・ノードであり、第3の装置は、ドナー・ノードであるか、または、第2の装置の第1のアプリケーション層のピア層である第1のアプリケーション層をもつ、ドナー・ノードのCUもしくはDUである、または、第1の装置はドナー・ノードの分散ユニットDUであり、第2の装置は伝送経路上の少なくとも1つの無線バックホール・ノードのうちの第2の無線バックホール・ノードであり、第3の装置は、第2の装置の第1のアプリケーション層のピア層である第1のアプリケーション層をもつ、ドナー・ノードの集中ユニットCUである。
【００４０】
第11の側面によれば、本願は、上りリンク・データ伝送装置を提供する。上りリンク・データ伝送装置は、第5の側面または第5の側面の可能な実装のうちのいずれかによる方法を実施することができ、よって、第5の側面または第5の側面の可能な実装のいずれかによる有益な効果をさらに実施することができる。本装置は、第1の装置（たとえば、無線バックホール・ノード）であってもよく、または、第5の側面または第5の側面の可能な実装のいずれかによる方法を実装する際に第1の装置をサポートすることができる装置、たとえば、第1の装置に適用されるチップであってもよい。本装置は、ソフトウェアまたはハードウェアを使用することによって、または対応するソフトウェアを実行するハードウェアによって、上記方法を実施することができる。
【００４１】
本願のある実施形態は、上りリンク・データ伝送装置を提供する。本装置は、第1の装置として、または第1の装置に適用されるチップとして使用することができる。本装置は、第2の装置によって生成され、T1アプリケーション・プロトコルAPメッセージを担持する第1のデータ・パケットを受信するように構成された受信ユニットであって、第1のデータ・パケットは第2の装置の識別子と第1の指示情報とを含み、第1の指示情報は、第1のデータ・パケットにおいて担持されるメッセージのタイプが第1のアプリケーション層メッセージであることを示すために使用される、受信ユニットと；第1のアプリケーション層メッセージを担持する第2のデータ・パケットを第3の装置に送信するように構成された送信ユニットであって、第2のデータ・パケットは、第2の装置の識別子と第2の指示情報とを含み、第2の指示情報は、第2のデータ・パケットにおいて担持されるメッセージのタイプが第1のアプリケーション層メッセージであることを示すために使用される、送信ユニットとを含み、第1の装置は、伝送経路上の複数の無線バックホール・ノードのうちの第1の無線バックホール・ノードであり、第2の装置は、前記伝送経路上の複数の無線バックホール・ノードのうちの第2の無線バックホール・ノードであり、第3の装置は、ドナー・ノードであるか、または、第2の装置のT1AP層のピア層であるT1AP層をもつ、ドナー・ノードのCUもしくはDUである、または、第1の装置はドナー・ノードの分散ユニットDUであり、第2の装置は伝送経路上の少なくとも1つの無線バックホール・ノードのうちの第2の無線バックホール・ノードであり、第3の装置は、第2の装置のT1AP層のピア層であるT1AP層をもつ、ドナー・ノードの集中ユニットCUである。
【００４２】
任意的に、第2の装置の識別子は、T1APメッセージが送信される送信先の装置を示すために使用される。
【００４３】
第12の側面によれば、本願は、上りリンク・データ伝送装置を提供する。上りリンク・データ伝送装置は、第6の側面または第6の側面の可能な実装のうちのいずれかによる方法を実施することができ、よって、第6の側面または第6の側面の可能な実装のうちのいずれかによる有益な効果をさらに実施することができる。本装置は、第2の装置（たとえば、無線バックホール・ノード）であってもよく、または、第6の側面または第6の側面の可能な実装による方法を実装する際に、第2の装置をサポートすることができる装置、たとえば、第2の装置に適用されるチップであってもよい。本装置は、ソフトウェアまたはハードウェアを使用することによって、または対応するソフトウェアを実行するハードウェアによって、上記方法を実施することができる。
【００４４】
上りリンク・データ伝送装置は：T1アプリケーション・プロトコルAPメッセージを担持する第1のデータ・パケットを生成するように構成された生成ユニットと；第1のデータ・パケットを第1の装置に送信するように構成された送信ユニットとを含み、第1のデータ・パケットは、第2の装置の識別子と第1の指示情報とを含み、第1の指示情報は、第1のデータ・パケットにおいて担持されるメッセージのタイプが第1のアプリケーション層メッセージであることを示すために使用され、第1の装置は伝送経路上の複数の無線バックホール・ノードのうちの第1の無線バックホール・ノードであり、第2の装置は前記伝送経路上の複数の無線バックホール・ノードのうちの第2の無線バックホール・ノードである、または、第1の装置はドナー・ノードの分散ユニットDUであり、第2の装置は伝送経路上の少なくとも1つの無線バックホール・ノードのうちの第2の無線バックホール・ノードである。
【００４５】
第13の側面によれば、本願は、上りリンク・データ伝送装置を提供する。上りリンク・データ伝送装置は、第7の側面または第7の側面の可能な実装のいずれかによる方法を実施することができ、よって、第7の側面または第7の側面の可能な実装のいずれかによる有益な効果をさらに実施することができる。本装置は、第3の装置（たとえば、RAN装置）であってもよく、または、第7の側面または第7の側面の可能な実装のいずれかによる方法を実施する際に、RAN装置をサポートすることができる装置、たとえばRAN装置に適用されるチップであってもよい。本装置は、ソフトウェアまたはハードウェアを使用することによって、または対応するソフトウェアを実行するハードウェアによって、上記方法を実施することができる。
【００４６】
上りリンク・データ伝送装置は、第1の装置によって送信され、第1のアプリケーション層メッセージを担持する第2のデータ・パケットを受信するように構成された受信ユニットであって、第2のデータ・パケットは第2の装置の識別子および第2の指示情報を含み、第2の指示情報は、第2のデータ・パケットにおいて担持されるメッセージのタイプが第1のアプリケーション層メッセージであることを示すために使用される、受信ユニットと；第2のデータ・パケットにおける第1のアプリケーション層メッセージを、受信処理のために第2の装置の第1のアプリケーション層のピア層である第1のアプリケーション層に送達するように構成された処理ユニットとを含み、第1の装置は伝送経路上の複数の無線バックホール・ノードのうちの第1の無線バックホール・ノードであり、第2の装置は前記伝送経路上の複数の無線バックホール・ノードのうちの第2の無線バックホール・ノードであり、第3の装置は、ドナー・ノードであるか、または、第2の装置の第1のアプリケーション層のピア層である第1のアプリケーション層をもつ、ドナー・ノードのCUもしくはDUである、または、第1の装置はドナー・ノードの分散ユニットDUであり、第2の装置は伝送経路上の少なくとも1つの無線バックホール・ノードのうちの第2の無線バックホール・ノードであり、第3の装置は、第2の装置の第1のアプリケーション層のピア層である第1のアプリケーション層をもつ、前記ドナー・ノードの集中ユニットCUである。
【００４７】
第14の側面によれば、本願は、下りリンク・データ伝送装置を提供する。下りリンク・データ伝送装置は、第8の側面または第8の側面の可能な実装のうちのいずれかによる方法を実施することができ、よって、第8の側面または第8の側面の可能な実装のうちのいずれかによる有益な効果をさらに実施することができる。本装置は、第3の装置（たとえば、RAN装置）であってもよく、または、第8の側面または第8の側面の可能な実装のいずれかによる方法を実装する際に、RAN装置をサポートすることができる装置、たとえば、RAN装置に適用されるチップであってもよい。本装置は、ソフトウェアまたはハードウェアを使用することによって、または対応するソフトウェアを実行するハードウェアによって、上記方法を実施することができる。
【００４８】
下りリンク・データ伝送装置は：第2の装置に送信されるべき、第1のアプリケーション層メッセージを担持する第1のデータ・パケットを生成するように構成された生成ユニットと；第1の装置に、第1のアプリケーション層メッセージを担持する第1のデータ・パケットを送信するように構成された送信ユニットであって、第1のデータ・パケットは、第2の装置の識別子および第1の指示情報を担持し、第1の指示情報は、第1のデータ・パケットにおいて担持されるメッセージのタイプが第1のアプリケーション層メッセージであることを示すために使用され、第1の装置は伝送経路上の複数の無線バックホール・ノードのうちの第1の無線バックホール・ノードであり、第2の装置は前記伝送経路上の複数の無線バックホール・ノードのうちの第2の無線バックホール・ノードであり、第3の装置は、ドナー・ノードであるか、または、第2の装置の第1のアプリケーション層のピア層である第1のアプリケーション層をもつ、ドナー・ノードの分散ユニットDUである、または、第1の装置はドナー・ノードの分散ユニットDUであり、第2の装置は伝送経路上の少なくとも1つの無線バックホール・ノードのうちの第2の無線バックホール・ノードであり、第3の装置は、第2の装置の第1のアプリケーション層のピア層である第1のアプリケーション層をもつ、前記ドナー・ノードの集中ユニットCUである。
【００４９】
第15の側面によれば、本願のある実施形態は、下りリンク・データ伝送装置を提供する。下りリンク・データ伝送装置は、第9の側面または第9の側面の可能な実装のいずれかによる方法を実施することができ、よって、第9の側面または第9の側面の可能な実装のうちのいずれかによる有益な効果をさらに実施することができる。本装置は、第1の装置（たとえば、無線バックホール・ノード）であってもよく、または、第9の側面または第9の側面の可能な実装のいずれかによる方法を実施する際に第1の装置をサポートすることができる装置、たとえば、第1の装置に適用されるチップであってもよい。本装置は、ソフトウェアまたはハードウェアを使用することによって、または対応するソフトウェアを実行するハードウェアによって、上記方法を実施することができる。
【００５０】
下りリンク・データ伝送装置は、第3の装置によって送信され、第1のアプリケーション層メッセージを担持する第1のデータ・パケットを受信するように構成された受信ユニットであって、第1のデータ・パケットは第2の装置の識別子および第1の指示情報を担持し、第1の指示情報は第1のデータ・パケットにおいて担持されるメッセージのタイプが第1のアプリケーション層メッセージであることを示すために使用される、受信ユニットと；第1のアプリケーション層メッセージを担持する第2のデータ・パケットを第2の装置に送信するように構成された送信ユニットであって、第2のデータ・パケットは、第2の装置の識別子および第2の指示情報を含み、第2の指示情報は、第2のデータ・パケットにおいて担持されるメッセージのタイプが第1のアプリケーション層メッセージであることを示すために使用され、第1の装置は伝送経路上の複数の無線バックホール・ノードのうちの第1の無線バックホール・ノードであり、第2の装置は前記伝送経路上の複数の無線バックホール・ノードのうちの第2の無線バックホール・ノードであり、第3の装置は、ドナー・ノードであるか、または、第2の装置の第1のアプリケーション層のピア層である第1のアプリケーション層をもつ、ドナー・ノードのDUである、または、第1の装置はドナー・ノードの分散ユニットDUであり、第2の装置は伝送経路上の少なくとも1つの無線バックホール・ノードのうちの第2の無線バックホール・ノードであり、第3の装置は、第2の装置の第1のアプリケーション層のピア層である第1のアプリケーション層をもつ、前記ドナー・ノードの集中ユニットCUである。
【００５１】
第16の側面によれば、本願のある実施形態は、下りリンク・データ伝送装置を提供する。下りリンク・データ伝送装置は、第10の側面または第10の側面の可能な実装のいずれかによる方法を実施することができ、よって、第10の側面または第10の側面の可能な実装のいずれかによる有益な効果をさらに実施することができる。本装置は、第2の装置（たとえば、無線バックホール・ノード）であってもよく、または、第10の側面または第10の側面の可能な実装のいずれかの方法を実装する際に第2の装置をサポートすることができる装置、たとえば、第2の装置に適用されるチップであってもよい。本装置は、ソフトウェアまたはハードウェアを使用することによって、または対応するソフトウェアを実行するハードウェアによって、上記方法を実施することができる。
【００５２】
下りリンク・データ伝送装置は、第1の装置によって送信され、第1のアプリケーション層メッセージを担持する第2のデータ・パケットを受信するように構成された受信ユニットであって、第2のデータ・パケットは第2の装置の識別子および第2の指示情報を含み、第2の指示情報は第2のデータ・パケットにおいて担持されるメッセージのタイプが第1のアプリケーション層メッセージであることを示すために使用される、受信ユニットと；第2のデータ・パケット中のT1APメッセージを、受信処理のために第3の装置のT1AP層のピア層であるT1AP層に送達するように構成された処理ユニットとを含み、第1の装置は伝送経路上の複数の無線バックホール・ノードのうちの第1の無線バックホール・ノードであり、第2の装置は前記伝送経路上の複数の無線バックホール・ノードのうちの第2の無線バックホール・ノードであり、第3の装置は、ドナー・ノードであるか、または、第2の装置のT1AP層のピア層であるT1AP層をもつ、ドナー・ノードのCUもしくはDUである、または、第1の装置はドナー・ノードの分散ユニットDUであり、第2の装置は伝送経路上の少なくとも1つの無線バックホール・ノードのうちの第2の無線バックホール・ノードであり、第3の装置は、第2の装置の第1のアプリケーション層のピア層である第1のアプリケーション層をもつ、前記ドナー・ノードの集中ユニットCUである。
【００５３】
第17の側面によれば、本願は、コンピュータ読み取り可能な記憶媒体を提供する。コンピュータ読み取り可能記憶媒体は命令を記憶し、該命令がコンピュータ上で実行されると、コンピュータは、第1の側面および第1の側面の可能な設計の一つまたは複数を実行できるようになる。
【００５４】
第18の側面によれば、本願は、コンピュータ読み取り可能な記憶媒体を提供する。コンピュータ読み取り可能記憶媒体は命令を記憶し、該命令がコンピュータ上で実行されると、コンピュータは、第2の側面および第2の側面の可能な設計の一つまたは複数を実行できるようになる。
【００５５】
第19の側面によれば、本願は、コンピュータ読み取り可能な記憶媒体を提供する。コンピュータ読み取り可能記憶媒体は命令を記憶し、該命令がコンピュータ上で実行されると、コンピュータは、第5の側面および第5の側面の可能な設計の一つまたは複数を実行できるようになる。
【００５６】
第20の側面によれば、本願は、コンピュータ読み取り可能な記憶媒体を提供する。コンピュータ読み取り可能記憶媒体は命令を記憶し、該命令がコンピュータ上で実行されると、コンピュータは、第6の側面および第6の側面の可能な設計の一つまたは複数を実行できるようになる。
【００５７】
第21の側面によれば、本願は、コンピュータ読み取り可能な記憶媒体を提供する。コンピュータ読み取り可能記憶媒体は命令を記憶し、該命令がコンピュータ上で実行されると、コンピュータは、第7の側面および第7の側面の可能な設計の一つまたは複数を実行できるようになる。
【００５８】
第22の側面によれば、本願は、コンピュータ読み取り可能な記憶媒体を提供する。コンピュータ読み取り可能記憶媒体は命令を記憶し、該命令がコンピュータ上で実行されると、コンピュータは、第8の側面および第8の側面の可能な設計の一つまたは複数を実行できるようになる。
【００５９】
第23の側面によれば、本願は、コンピュータ読み取り可能な記憶媒体を提供する。コンピュータ読み取り可能記憶媒体は命令を記憶し、該命令がコンピュータ上で実行されると、コンピュータは、第9の側面および第9の側面の可能な設計の一つまたは複数を実行できるようになる。
【００６０】
第24の側面によれば、本願は、コンピュータ読み取り可能な記憶媒体を提供する。コンピュータ読み取り可能記憶媒体は命令を記憶し、該命令がコンピュータ上で実行されると、コンピュータは、第10の側面および第10の側面の可能な設計の一つまたは複数を実行できるようになる。
【００６１】
第25の側面によれば、本願は、命令を含むコンピュータ・プログラム製品を提供する。コンピュータ・プログラム製品がコンピュータ上で実行されるとき、コンピュータは、第1の側面および第1の側面の可能な設計の一つまたは複数を実行できるようになる。
【００６２】
第26の側面によれば、本願は、命令を含むコンピュータ・プログラム製品を提供する。コンピュータ・プログラム製品がコンピュータ上で実行されるとき、コンピュータは、第2の側面および第2の側面の可能な設計の一つまたは複数を実行できるようになる。
【００６３】
第27の側面によれば、本願は、命令を含むコンピュータ・プログラム製品を提供する。コンピュータ・プログラム製品がコンピュータ上で実行されるとき、コンピュータは、第5の側面および第5の側面の可能な設計の一つまたは複数を実行できるようになる。
【００６４】
第28の側面によれば、本願は、命令を含むコンピュータ・プログラム製品を提供する。コンピュータ・プログラム製品がコンピュータ上で実行されるとき、コンピュータは、第6の側面および第6の側面の可能な設計の一つまたは複数を実行できるようになる。
【００６５】
第29の側面によれば、本願は、命令を含むコンピュータ・プログラム製品を提供する。コンピュータ・プログラム製品がコンピュータ上で実行されるとき、コンピュータは、第7の側面および第7の側面の可能な設計の一つまたは複数を実行できるようになる。
【００６６】
第30の側面によれば、本願は、命令を含むコンピュータ・プログラム製品を提供する。コンピュータ・プログラム製品がコンピュータ上で実行されるとき、コンピュータは、第8の側面および第8の側面の可能な設計の一つまたは複数を実行できるようになる。
【００６７】
第31の側面によれば、本願は、命令を含むコンピュータ・プログラム製品を提供する。コンピュータ・プログラム製品がコンピュータ上で実行されるとき、コンピュータは、第9の側面および第9の側面の可能な設計の一つまたは複数を実行できるようになる。
【００６８】
第32の側面によれば、本願は、命令を含むコンピュータ・プログラム製品を提供する。コンピュータ・プログラム製品がコンピュータ上で実行されるとき、コンピュータは、第10の側面および第10の側面の可能な設計の一つまたは複数を実行できるようになる。
【００６９】
第33の側面によれば、本願は、チップを提供する。チップは、プロセッサおよびインターフェース回路を含み、インターフェース回路は、プロセッサに結合され、プロセッサは、コンピュータ・プログラムまたは命令を実行して、第1の側面および第1の側面の可能な設計の一つまたは複数を実施するように構成される。
【００７０】
第34の側面によれば、本願は、チップを提供する。チップは、プロセッサおよびインターフェース回路を含み、インターフェース回路は、プロセッサに結合され、プロセッサは、コンピュータ・プログラムまたは命令を実行して、第2の側面および第2の側面の可能な設計の一つまたは複数を実施するように構成される。
【００７１】
第35の側面によれば、本願は、チップを提供する。チップは、プロセッサおよびインターフェース回路を含み、インターフェース回路は、プロセッサに結合され、プロセッサは、コンピュータ・プログラムまたは命令を実行して、第5の側面および第5の側面の可能な設計の一つまたは複数を実施するように構成される。
【００７２】
第36の側面によれば、本願は、チップを提供する。チップは、プロセッサおよびインターフェース回路を含み、インターフェース回路は、プロセッサに結合され、プロセッサは、コンピュータ・プログラムまたは命令を実行して、第6の側面および第6の側面の可能な設計の一つまたは複数を実施するように構成される。
【００７３】
第37の側面によれば、本願は、チップを提供する。チップは、プロセッサおよびインターフェース回路を含み、インターフェース回路は、プロセッサに結合され、プロセッサは、コンピュータ・プログラムまたは命令を実行して、第7の側面および第7の側面の可能な設計の一つまたは複数を実施するように構成される。
【００７４】
第38の側面によれば、本願は、チップを提供する。チップは、プロセッサおよびインターフェース回路を含み、インターフェース回路は、プロセッサに結合され、プロセッサは、コンピュータ・プログラムまたは命令を実行して、第8の側面および第8の側面の可能な設計の一つまたは複数を実施するように構成される。
【００７５】
第39の側面によれば、本願は、チップを提供する。チップは、プロセッサおよびインターフェース回路を含み、インターフェース回路は、プロセッサに結合され、プロセッサは、コンピュータ・プログラムまたは命令を実行して、第9の側面および第9の側面の可能な設計の一つまたは複数を実施するように構成される。
【００７６】
第40の側面によれば、本願は、チップを提供する。チップは、プロセッサおよびインターフェース回路を含み、インターフェース回路は、プロセッサに結合され、プロセッサは、コンピュータ・プログラムまたは命令を実行して、第10の側面および第10の側面の可能な設計の一つまたは複数を実施するように構成される。
【００７７】
任意的に、本願のこの実施形態のチップは、一つまたは複数（2つを含む）のメモリをさらに含み、該一つまたは複数のメモリは命令またはコンピュータ・プログラムを記憶する。インターフェース回路は、当該チップ以外のモジュールと通信するように構成される。
【００７８】
第41の側面によれば、本願のある実施形態は、通信システムを提供する。通信システムは、一つまたは複数の無線バックホール・ノードおよびRAN装置を含む。無線バックホール・ノードは、第3の側面および第3の側面の可能な実装による構成装置であってもよい。RAN装置は、第4の側面および第4の側面の可能な実装による構成装置であってもよい。任意的に、該第41の側面によれば、提供される通信システムは、端末をさらに含んでいてもよく、端末は、前記一つまたは複数の無線バックホール・ノードを通じてRAN装置にアクセスしてもよい。
【００７９】
第42の側面によれば、本願のある実施形態は、通信システムを提供する。通信システムは、第1の装置と、第2の装置と、第3の装置とを含み、第1の装置は、第11の側面および第11の側面の可能な実装のうちの一つまたは複数による上りリンク・データ伝送装置であり、第2の装置は、第12の側面および第12の側面の可能な実装のうちの一つまたは複数による上りリンク・データ伝送装置であり、第3の装置は、第13の側面および第13の側面の可能な実装のうちの一つまたは複数による上りリンク・データ伝送装置である。
【００８０】
第43の側面によれば、本願の実施形態は、通信システムを提供する。通信システムは、第1の装置と、第2の装置と、第3の装置とを含み、第1の装置は、第15の側面および第15の側面の可能な実装のうちの一つまたは複数による下りリンク・データ伝送装置であり、第2の装置は、第16の側面および第16の側面の可能な実装のうちの一つまたは複数による下りリンク・データ伝送装置であり、第3の装置は、第14の側面および第14の側面の可能な実装のうちの一つまたは複数による下りリンク・データ伝送装置である。
【００８１】
むろん、本願のこの実施形態において提供される通信システムは、別の通信装置、たとえば、アクセス・ネットワーク装置または端末をさらに含んでいてもよいことが理解されよう。
【００８２】
第44の側面によれば、本願のある実施形態は、構成方法を提供し、該方法は、第1の装置によって、無線アクセス・ネットワークRAN装置によって送信された構成情報を受信するステップであって、構成情報は、伝送経路上の第1の装置の適応層のためのルーティング構成を含み、伝送経路は、第1の装置および伝送経路装置を含み、第1の装置は、分散ユニットDUまたはDUに接続された無線バックホール・ノードであり、ルーティング構成は、伝送経路装置の識別子を含み、伝送経路は、少なくとも2つの無線バックホール・ノードを含む、ステップと、第1の装置によって、第1の装置の適応層上で前記ルーティング構成を実行するステップとを含む。
【００８３】
第44の側面に対応するさまざまな可能な実装については、第1の側面のさまざまな可能な実装を参照されたい。本稿では、本願のこの実施形態において詳細を再び述べることはしない。
【００８４】
第45の側面によれば、本願のある実施形態は、構成方法を提供し、該方法は、無線アクセス・ネットワークRAN装置によって、構成情報を第1の装置に送信するステップであって、構成情報は、伝送経路上の第1の装置の適応層のためのルーティング構成を含み、伝送経路は、第1の装置および伝送経路装置を含み、第1の装置は、分散ユニットDUまたはDUに接続された無線バックホール・ノードであり、ルーティング構成は、伝送経路装置の識別子を含み、伝送経路は、少なくとも2つの無線バックホール・ノードを含む。
【００８５】
第45の側面に対応するさまざまな可能な実装については、第2の側面のさまざまな可能な実装を参照されたい。本稿では、本願のこの実施形態において詳細を再び述べることはしない。
【００８６】
第46の側面によれば、本願の実施形態は、構成装置を提供し、本装置は、第1の装置または第1の装置に適用されるチップであり、本装置は、無線アクセス・ネットワークRAN装置によって送信された構成情報を受信するように構成された受信ユニットであって、構成情報は、伝送経路上の第1の装置の適応層のためのルーティング構成を含み、伝送経路は、第1の装置および伝送経路装置を含み、第1の装置は、分散ユニットDUまたはDUに接続された無線バックホール・ノードであり、ルーティング構成は、伝送経路装置の識別子を含み、伝送経路は、少なくとも2つの無線バックホール・ノードを含む、受信ユニットと、第1の装置の適応層上で前記ルーティング構成を実行するように構成された構成ユニットとを含む。
【００８７】
第46の側面に対応するさまざまな可能な実装については、第3の側面のさまざまな可能な実装を参照されたい。本稿では、本願のこの実施形態において詳細を再び述べることはしない。
【００８８】
第47の側面によれば、本願のある実施形態は、構成装置を提供し、本装置は、RAN装置またはRAN装置に適用されるチップであり、本装置は、構成情報を第1の装置に送信するように構成された送信ユニットを含み、構成情報は、伝送経路上の第1の装置の適応層のためのルーティング構成を含み、伝送経路は、第1の装置および伝送経路装置を含み、第1の装置は、分散ユニットDUまたはDUに接続された無線バックホール・ノードであり、ルーティング構成は、伝送経路装置の識別子を含み、伝送経路は、少なくとも2つの無線バックホール・ノードを含む。
【００８９】
第47の側面に対応するさまざまな可能な実装については、第4の側面のさまざまな可能な実装を参照されたい。本稿では、本願のこの実施形態において詳細を再び述べることはしない。
【図面の簡単な説明】
【００９０】
【図１】本願のある実施形態によるIABノードの第1の概略ネットワーク図である。
【００９１】
【図２】本願のある実施形態による基地局の第1の概略構造図である。
【００９２】
【図３】本願のある実施形態による基地局の第2の概略構造図である。
【００９３】
【図４】本願のある実施形態によるIABノードの第2の概略ネットワーク図である。
【００９４】
【図５】本願のある実施形態によるIABノードの第3の概略ネットワーク図である。
【００９５】
【図６】本願のある実施形態によるIABノードの第4の概略ネットワーク図である。
【００９６】
【図７】本願のある実施形態によるプロトコル・スタックの第1の概略アーキテクチャー図である。
【００９７】
【図８】本願のある実施形態によるプロトコル・スタックの第2の概略アーキテクチャー図である。
【００９８】
【図９】本願のある実施形態によるプロトコル・スタックの第3の概略アーキテクチャー図である。
【００９９】
【図１０】本願のある実施形態によるプロトコル・スタックの第4の概略アーキテクチャー図である。
【０１００】
【図１１】本願のある実施形態によるプロトコル・スタックの第5の概略アーキテクチャー図である。
【０１０１】
【図１２】本願のある実施形態によるプロトコル・スタックの第6の概略アーキテクチャー図である。
【０１０２】
【図１３】本願のある実施形態による構成方法の第1の概略フローチャートである。
【０１０３】
【図１４】本願のある実施形態による構成方法の第2の概略フローチャートである。
【０１０４】
【図１５】本願のある実施形態による構成方法の第3の概略フローチャートである。
【０１０５】
【図１６】本願のある実施形態による構成方法の第4の概略フローチャートである。
【０１０６】
【図１７】本願のある実施形態による上りリンク・データ伝送方法の概略フローチャートである。
【０１０７】
【図１８】本願のある実施形態による下りリンク・データ伝送方法の概略フローチャートである。
【０１０８】
【図１９】図19A、図19B、および図19Cは、本願のある実施形態による通信方法の第1の概略フローチャートである。
【０１０９】
【図２０】図20A、図20B、および図20Cは、本願のある実施形態による通信方法の第2の概略フローチャートである。
【０１１０】
【図２１】本願のある実施形態によるプロトコル・スタックの第7の概略アーキテクチャー図である。
【０１１１】
【図２２】本願のある実施形態によるプロトコル・スタックの第8の概略アーキテクチャー図である。
【０１１２】
【図２３】本願のある実施形態によるプロトコル・スタックの第9の概略アーキテクチャー図である。
【０１１３】
【図２４】本願のある実施形態によるプロトコル・スタックの第10の概略アーキテクチャー図である。
【０１１４】
【図２５】本願のある実施形態による構成装置の第1の概略構造図である。
【０１１５】
【図２６】本願のある実施形態による構成装置の第2の概略構造図である。
【０１１６】
【図２７】本願のある実施形態による構成装置の第3の概略構造図である。
【０１１７】
【図２８】本願のある実施形態による構成装置の第4の概略構造図である。
【０１１８】
【図２９】本願のある実施形態による構成装置の第5の概略構造図である。
【０１１９】
【図３０】本願のある実施形態による構成装置の第6の概略構造図である。
【０１２０】
【図３１】本願のある実施形態による上りリンク／下りリンク・データ伝送装置の第1の概略構造図である。
【０１２１】
【図３２】本願のある実施形態による上りリンク／下りリンク・データ伝送装置の第2の概略構造図である。
【０１２２】
【図３３】本願のある実施形態による上りリンク／下りリンク・データ伝送装置の第3の概略構造図である。
【０１２３】
【図３４】本願のある実施形態による上りリンク・データ伝送装置の第1の概略構造図である。
【０１２４】
【図３５】本願のある実施形態による上りリンク・データ伝送装置の第2の概略構造図である。
【０１２５】
【図３６】本願のある実施形態による上りリンク・データ伝送装置の第3の概略構造図である。
【０１２６】
【図３７】本願のある実施形態による上りリンク・データ伝送装置の第4の概略構造図である。
【０１２７】
【図３８】本願のある実施形態による上りリンク・データ伝送装置の第5の概略構造図である。
【０１２８】
【図３９】本願のある実施形態による上りリンク・データ伝送装置の第6の概略構造図である。
【０１２９】
【図４０】本願のある実施形態による下りリンク・データ伝送装置の第1の概略構造図である。
【０１３０】
【図４１】本願のある実施形態による下りリンク・データ伝送装置の第2の概略構造図である。
【０１３１】
【図４２】本願のある実施形態による下りリンク・データ伝送装置の第3の概略構造図である。
【０１３２】
【図４３】本願のある実施形態による下りリンク・データ伝送装置の第4の概略構造図である。
【０１３３】
【図４４】本願のある実施形態による下りリンク・データ伝送装置の第5の概略構造図である。
【０１３４】
【図４５】本願のある実施形態による下りリンク・データ伝送装置の第6の概略構造図である。
【０１３５】
【図４６】本願のある実施形態によるチップの概略構造図である。
【発明を実施するための形態】
【０１３６】
本願の実施形態において、「例として」または「たとえば」という語は、例、例解または説明を与えることを表わすために使用される。本願の実施形態において「例として」または「たとえば」を使用することによって記載される実施形態または設計スキームは、他の実施形態または設計スキームよりも好ましい、またはより有利であると解釈してはならない。「例として」または「たとえば」のような語の使用はまさに、相対的な概念を具体的な仕方で呈示することを意図しているのである。
【０１３７】
本願の実施形態において記載されるネットワーク・アーキテクチャーおよびサービス・シナリオは、本願の実施形態における技術的解決策をより明確に記載することを意図したものであり、本願の実施形態において提供される技術的解決策に対する限定を構成するものではない。当業者は、次のことを知ることができる。ネットワーク・アーキテクチャーの進化および新しいサービス・シナリオの登場により、本願の実施形態において提供される技術的解決策は、同様の技術的課題にも適用可能である。
【０１３８】
本願において、「少なくとも1」とは、一または複数を意味し、「複数」とは、2以上を意味する。用語「および／または」は、関連するオブジェクト間の関連関係を記述し、3つの関係を示すことができる。たとえば、Aおよび／またはBは、次の場合を示しうる：Aのみが存在、AおよびBの両方が存在、Bのみが存在。ここで、AおよびBは単独または複数でありうる。記号「／」は、通例、関連するオブジェクト間の「または」関係を示す。「次のうちの少なくとも1つの項目（ピース）」またはその類似表現は、単数の項目（ピース）または複数の項目（ピース）の任意の組み合わせを含む、これらの項目の任意の組み合わせを意味する。たとえば、a、b、またはcのうち少なくとも1つ（のピース）は、a、b、c、a-b、a-c、b-c、またはa-b-cを表わすことができ、ここで、a、b、およびcは、単数形または複数形でありうる。また、本願の実施形態における技術的解決策を明確に記載するために、本願の実施形態においては、基本的に同じ機能および目的を有する同じまたは類似の項目の間の区別をするために、「第1」および「第2」のような用語を用いる。当業者は、「第1」および「第2」のような用語が、数量または実行順序を限定するものではなく、「第1」および「第2」のような用語は、確定的な相違を示すものではないことを理解することができる。
【０１３９】
本願の実施形態における技術的解決策は、データ処理のためのさまざまな通信システム、たとえば、符号分割多元接続（code  division  multiple  access、CDMA）システム、時分割多元接続（time  division  multiple  access、TDMA）システム、周波数分割多元接続（frequency  division  multiple  access、FDMA）システム、直交周波数分割多元接続（orthogonal  frequency-division  multiple  access、OFDMA）システム、単一キャリア周波数分割多元接続（single  carrier  FDMA、SC-FDMA）システム、および別のシステムに適用されうる。「システム」および「ネットワーク」という用語は、互いに交換することができる。CDMAシステムは、ユニバーサル地上無線アクセス（universal  terrestrial  radio  access、UTRA）およびCDMA2000などの無線技術を実装することができる。UTRAは、広帯域CDMA（wideband  CDMA、WCDMA）技術およびCDMAの別の変形技術を含むことができる。CDMA2000は、暫定規格（interim  standard、IS）2000（IS-2000）、IS-95、およびIS-856規格をカバーすることができる。TDMAシステムは、グローバル移動通信システム（global  system  for  mobile  communications、GSM）のような無線技術を実装することができる。OFDMAシステムは、進化型ユニバーサル地上無線アクセス（evolved  UTRA、E-UTRA）、ウルトラモバイルブロードバンド（ultra  mobile  broadband、UMB）、IEEE802.11（Wi-Fi）、IEEE802.16（WiMAX）、IEEE802.20、およびFlash  OFDMAなどの無線技術を実装することができる。UTRAはUMTSに対応し、E-UTRAはUMTSの進化版に対応する。E-UTRAを使用するUMTSの新バージョンが、3GPPログタームエボリューション（long  term  evolution、LTE）およびLTEに基づいて進化したさまざまなバージョンにおいて使用される。5G通信システムおよびニューラジオ（new  radio、NR）通信システムは、研究中の次世代通信システムである。さらに、通信システムは、未来志向の通信技術にさらに適用可能であり、本願の実施形態において提供される技術的解決策に適用可能である。
【０１４０】
本願の実施形態において記載されるシステム・アーキテクチャーおよびサービス・シナリオは、本願の実施形態における技術的解決策をより明確に記述することを意図したものであり、本願の実施形態において提供される技術的解決策に対する限定を構成するものではない。当業者は、次のことを知ることができる：ネットワーク・アーキテクチャーの進化および新しいサービス・シナリオの出現により、本願の実施形態において提供される技術的解決策は、同様の技術的課題にも適用可能である。本願の実施形態は、提供された方法がNRシステムまたは5Gネットワークに適用される例を用いて記述される。しかしながら、本願の実施形態において提供される方法は、他のネットワークにさらに適用されてもよく、たとえば、進化型パケットシステム（evolved  packet  system、EPS）ネットワーク（すなわち、第4世代（4th  generation、4G）ネットワーク）に適用されてもよいことに注意しておくべきである。対応して、本願の実施形態において提供される方法がEPSネットワークに適用される場合、本願の実施形態において提供される方法を実行するネットワーク・ノードは、EPSネットワーク内のネットワーク・ノードで置き換えられる。たとえば、本願の実施形態において提供される方法が、5GネットワークまたはNRシステムに適用される場合は、以下の説明における無線バックホール・ノードは、5Gネットワークにおける無線バックホール・ノードであってもよい。たとえば、5Gネットワーク内の無線バックホール・ノードは、IABノードと呼ばれることがあり、またはもちろん別の名前をもつことができる。これは、本願の実施形態において特に限定されない。本願の実施形態において提供される方法がEPSネットワークに適用される場合、以下の説明における無線バックホール・ノードは、EPSネットワークにおける無線バックホール・ノードであってもよい。たとえば、EPSネットワーク内の無線バックホール・ノードは、中継ノード（relay  node、RN）と称されてもよい。さらに、無線バックホール・ノードは、代替的に、ネットワーク内の無線バックホール・ノードとして作用する端末であってもよいことに注意しておくべきである。
【０１４１】
仮想現実（virtual  reality、VR）、拡張現実（augmented  reality、AR）、モノのインターネットなどの技術が発展するにつれて、将来のネットワークでは端末の量が増加し、ネットワーク・データ利用も継続的に増加する。市場における端末数の増加とネットワーク・データ利用のきわめて急速な増大に対応するために、現在、5Gネットワークの容量に対して、より高い要件が提起されている。ホットスポット領域では、5Gの超大容量化の要求を満たすために、高周波数小セルによるネットワーク化がより一般的になっている。高周波数キャリアは、比較的伝搬特性が貧弱であり、障害物によって著しく減衰させられ、カバレッジが小さい。よって、大量の小セルをホットスポット領域に高密度に配置する必要がある。これらの小セルはIABノードであってもよい。
【０１４２】
柔軟で便利なアクセスおよびバックホール解決策を設計するために、無線伝送解決策が、IABシナリオにおけるアクセス・リンク（access  link、AL）およびバックホール・リンク（backhaul  link、BL）の両方に適用される。
【０１４３】
IABノードを含むネットワーク（略してIABネットワーク）においては、IABノードは、端末のための無線アクセス・サービスを提供することができ、ユーザーのサービス・データを伝送するために無線バックホール・リンクを通じて、ドナー・ノードに接続される（たとえば、ドナー・ノードは5Gでは略してドナーgNodeB（donor  gNodeB、DgNB）と称される場合があり、下記ではドナー・ノードがDgNBである例が本願の実施形態を説明するために使用される）。DgNBは、端末のコア・ネットワークに接続され、IABノードのために無線バックホール機能を提供する無線アクセス・ネットワーク（Radio  access  network、RAN）装置である。DgNBは完備なエンティティであってもよい。図2に示されるように、基地局は、代替的に、集中ユニット（centralized  unit、または略してCU）と分散ユニット（distributed  unit、または略してDU）とが分離された形であってもよい。言い換えれば、ドナーgNodeBは集中ユニット（Donor-CU）および分散ユニット（Donor-DU）を含む。CUとDUの実際の配備態様は比較的柔軟である。たとえば、複数の基地局のCUが一緒に統合されて、比較的大規模な機能的ネットワーク要素を形成する。図2は、本願のある実施形態によるネットワーク・アーキテクチャーの概略図である。図2に示されるように、ネットワーク・アーキテクチャーは、コア・ネットワーク（core  network、CN）装置および無線アクセス・ネットワーク（radio  access  network、RAN）装置を含む。RAN装置は、一つまたは複数のCUおよび一つまたは複数のDUを含む。RAN装置は、1つのノードを使用して実装されてもよいし、複数のノードを使用して実装されてもよい。RAN装置は、無線資源制御（radio  resource  control、RRC）層、パケット・データ収束プロトコル（packet  data  convergence  protocol、PDCP）層、無線リンク制御（radio  link  control、RLC）層、および媒体アクセス制御（medium  access  control、MAC）層のようなプロトコル層の機能を実装するように構成される。図2に示されるように、CUおよびDUは、無線ネットワークのプロトコル層に基づいて分割されてもよい。たとえば、パケット・データ収束プロトコル層およびパケット・データ収束プロトコル層より上のプロトコル層の機能はCU上に設定され、PDCP層より下のRLC層、MAC層などの機能を含むプロトコル層の機能はDU上に設定される。
【０１４４】
上記プロトコル層に基づく分割は単に例であり、分割は代替的に、別のプロトコル層、たとえばRLC層に基づいて実行されてもよい。RLC層およびRLC層より上の層の機能はCUに設定され、RLC層より下のプロトコル層の機能はDUに設定される。代替的に、分割はあるプロトコル層において行なわれる。たとえば、RLC層のいくつかの機能およびRLC層より上のプロトコル層の機能がCUに設定され、RLC層の残りの機能およびRLC層より下のプロトコル層の機能がDUに設定される。さらに、分割は、代替的に、別の仕方で実行されてもよく、たとえば、分割は、待ち時間に基づいて実行される。遅延要件を満たす必要のある処理時間をもつ機能がDU上に設定され、前記遅延要件を満たす必要のない処理時間をもつ機能がCU上に設定される。
【０１４５】
さらに、引き続き図2を参照するに、図3に示されるアーキテクチャーと比較して、CUの制御プレーン（control  plane、CP）およびユーザープレーン（user  plane、UP）は、さらに、実装のために異なるネットワーク要素に分離されてもよく、それらの異なるネットワーク要素は、それぞれ、CU制御プレーン・ネットワーク要素（CU-CPネットワーク要素）およびCU-ユーザープレーン・ネットワーク要素（CU-UPネットワーク要素）である。
【０１４６】
前述のネットワーク・アーキテクチャーでは、CUによって生成されたデータが、DUを通じて端末に送信されてもよく、あるいは端末によって生成されたデータが、DUを介してCUに送信されてもよい。DUは、プロトコル層においてデータを直接カプセル化し、次いで、該データをパースすることなく、カプセル化されたデータを端末またはCUに送信することができる。たとえば、RRC層またはPDCP層のデータは、最終的に物理層（physical  layer、PHY）でデータとして処理され端末に送信されるか、またはPHY層で受信したデータから変換される。このアーキテクチャーでは、RRC層またはPDCP層のデータがDUによって送信されると考えられてもよい。
【０１４７】
前述の実施形態では、CUは、RAN内のアクセス・ネットワーク装置として使用される。さらに、CUは、代替的に、CN内のアクセス・ネットワーク装置として分類されてもよい。これは、本明細書において限定されない。
【０１４８】
本願の下記の実施形態の装置は、該装置によって実装される機能に基づいてアクセス・ネットワーク装置内に配置されてもよい。前述のCU-DU構造が使用される場合、アクセス・ネットワーク装置は、CUノードまたはCUノードおよびDUノードの機能を含むRAN装置であってもよい。
【０１４９】
IABノードは、ドナー・ノードを通じて有線リンクを通じてコア・ネットワークに接続される（たとえば、スタンドアローン・ネットワーキング5Gアーキテクチャーでは、IABノードは、DgNBを通じて有線リンクを通じて5Gコア・ネットワーク（略して5Gコア、5GC）に接続される；非スタンドアローン・ネットワーキング5Gアーキテクチャーでは、制御プレーン（control  plane、CP）上のIABノードは、eNB（進化型NodeB）を通じて進化型パケット・コア・ネットワーク（evolved  packet  core、EPC）に接続され、ユーザープレーン（user  plane、UP）上のIABノードは、DgNBおよびeNBを通じてEPCに接続される）。
【０１５０】
IABネットワークはマルチホップIABノード・ネットワーキングとマルチコネクションIABノード・ネットワーキングをサポートする。よって、端末とDgNBとの間には複数の伝送経路が存在しうる。1つの経路上では、IABノード間、およびIABノードと該IABノードにサービスを提供するDgNBとの間に、決定された階層的関係が存在する。各IABノードは、そのIABノードのためにバックホール・サービスを提供するノードを親ノードと考える。これに対応して、IABノードは、親ノードの子ノードと考えることができる。
【０１５１】
たとえば、図1を参照するに、IABノード2およびIABノード1の親ノードはいずれもDgNBである。端末の上りリンク・データ・パケットがIABノード1またはIABノード2を通じてDgNBに送信されたかもしれない後、上りリンク・データ・パケットは、DgNBによってモバイル・ゲートウェイ装置（たとえば、5Gネットワークにおけるユーザープレーン機能（user  plane  function、UPF）ネットワーク要素）に送信される。モバイル・ゲートウェイ装置から下りリンク・データ・パケットを受信した後、DgNBは、IABノード1またはIABノード2を通じて端末に該下りリンク・データ・パケットを送信する。端末とDgNBとの間のサービス・データ伝送のためには、経路１：端末→IABノード1→DgNBと、経路２：端末→IABノード2→DgNBというの2つの任意的な経路がある。端末のサービス・データが複数の経路を通じて伝送されると考えられる場合、図1の例では、端末の下りリンク・サービス・データはDgNBで分割され、端末で集約され、端末の上りリンク・サービス・データは端末で分割され、DgNBで集約される。
【０１５２】
たとえば、図4を参照するに、端末は、それぞれIABノード1およびIABノード2に接続される2つのALを有する。IABノード1とIABノード2の親ノードはどちらもIABノード3であり、IABノード3の親ノードは、DgNBである。端末とDgNB間のサービス・データ伝送には：経路１：端末→IABノード1→IABノード3→DgNBと、経路２：端末→IABノード2→IABノード3→DgNBの2つの任意的な経路がある。図4に示されるシナリオでは、端末のサービス・データが両方の経路を通じて伝送されると考えられる場合には、端末の下りリンク・サービス・データはIABノード3で分割され、端末で集約され、端末の上りリンク・サービス・データは端末で分割され、IABノード3で集約される。
【０１５３】
たとえば、図5を参照するに、端末とIABノード3との間にはALがあり、IABノード3の親ノードはIABノード1とIABノード2である。具体的には、IABノード3は2つのBLをもち（たとえば、IABノード3とIABノード2の間のBL、およびIABノード3とIABノード2の間のBL）、IABノード2とIABノード1の親ノードはいずれもDgNBである。端末とDgNB間のサービス・データ伝送には：経路１：端末→IABノード3→IABノード1→DgNBと、端末→IABノード3→IABノード2→DgNBという2つの任意的な経路がある。端末のサービス・データが両方の経路を通じて伝送されると考えられる場合、端末の下りリンク・サービス・データはDgNBで分割され、IABノード3で集約され、端末の上りリンク・サービス・データはIABノード3で分割され、DgNBで集約される。
【０１５４】
たとえば、図6を参照するに、端末とIABノード2との間にALがあり、IABノード2は1つのBLを有し、IABノード2の親ノードは1つのIABノード1を有し、IABノード1とDgNBとの間にBLがある。図6に示されるアーキテクチャーでは、端末とDgNBとの間でサービス・データ伝送のための任意的な経路、たとえば、経路１：端末1→IABノード2→IABノード1→DgNBがある。
【０１５５】
前述のIABネットワーキング・シナリオは単に例であり、DgNBおよびIABノードの両方は無線アクセス・ネットワーク（radio  access  network、RAN）側の装置である。マルチホップIABノード・ネットワーキングとマルチコネクションIABノード・ネットワーキングが組み合わされるとき、IABネットワーキング・シナリオのより多くの他の可能性がある。たとえば、DgNBと別のDgNBによってサービスされるIABノードが、端末にサービスするためにデュアル接続性を形成する。これらの可能性は、本明細書に一つ一つは列挙されない。
【０１５６】
本願の実施形態におけるネットワーク要素は、端末、アクセス・ネットワーク装置（たとえば、基地局）、および無線バックホール・ノード（たとえば、IABノード）を含む。本願の実施形態における端末は、ユーザー装置（user  equipment、UE）、アクセス端末、加入者ユニット、加入者局、移動局、遠隔局、遠隔端末、モバイル装置、ユーザー端末、無線通信装置、ユーザーエージェント、またはユーザー装置とも呼ばれることがあることに注意しておくべきである。端末は、代替的には、無線ローカルエリアネットワーク（wireless  local  area  network、WLAN）内のステーション（station、ST）、携帯電話、コードレス電話、セッション開始プロトコル（session  initiation  protocol、SIP）電話、無線ローカルループ（wireless  local  loop、WLL）ステーション、パーソナルデジタルアシスタント（personal  digital  assistant、PDA）装置、無線通信機能を有するハンドヘルド装置、コンピューティング装置、無線モデムに接続された別の処理装置、車載装置、またはウェアラブル装置（ウェアラブルインテリジェントデバイスとも呼ばれる）であってもよい。端末は、代替的に、次世代通信システムの端末、たとえば、5Gの端末、または将来の進化した公衆陸上移動体ネットワーク（public  land  mobile  network、PLMN）の端末、またはニューラジオ（new  radio、NR）通信システムにおける端末であってもよい。
【０１５７】
IABノードは、顧客施設機器（customer  premises  equipment、CPE）または住宅ゲートウェイ（residential  gateway、RG）などの装置であってもよい。本願の実施形態において提供される方法は、さらに、ホームアクセス（home  access）シナリオに適用されてもよい。
【０１５８】
以下に記載される方法をよりよく理解するために、以下で言及されるいくつかのプロトコル層および該プロトコル層に関連する添付の図面は、すべて本明細書に記載される。
【０１５９】
装置のプロトコル層は、次のプロトコル層のうちの一つまたは複数を含む：サービス・データ適応プロトコル（service  data  adaptation  protocol、SDAP）層、PDCP層、一般パケット無線サービストンネルプロトコル（general  packet  radio  service  tunneling  protocol、GTP）層、ユーザーデータグラムプロトコル（user  datagram  protocol、UDP）層、インターネットプロトコル（internet  protocol、IP）層、無線リンク制御（radio  link  control、RLC）層、媒体アクセス制御（media  access  control、MAC）層、物理層（physical  layer、PHY）、適応（adaptation）層、BL-L2層、BL-L1層、L2層（layer  2）およびL1層（layer  1）。CUとDUの間のF1インターフェース上では、L2層はCUとDUの間のインターフェースの対応するリンク層であり、L1層はCUとDUの間のインターフェースの対応する物理層である。
【０１６０】
BL-L2層は、無線バックホール・リンクのリンク層を表わし、次のプロトコル層：SDAP層、PDCP層、RLC層、およびMAC層のうちの一つまたは複数を含む。BL-L1層は、無線バックホール・リンクの物理層、すなわちPHY層を表わす。プロトコル層の具体的な機能は、無線バックホール・リンクのために使用される特定の規格（たとえば、LTEまたはNR）に依存し、特定の規格において定義されるすべてのプロトコル層の一部または全部の機能を含むことができる。無線バックホール・リンクはUnインターフェースに対応するリンクであり、IABノード間のバックホール・リンク、またはIABノードとDgNBとの間のバックホール・リンクであってもよい。
【０１６１】
アダプト層は、適応層を表わす（adaptation  layer；これは略してAdapt  layerと呼ぶこともある）。適応層は、次の機能のうち一つまたは複数をもつ：データ・パケットに、無線バックホール・ノードによって識別されうるルーティング情報を追加する（これは、構成するとも称されうる）こと；無線バックホール・ノードによって識別されうるルーティング情報に基づいて、ルート選択を実行すること；前記データ・パケットに、無線バックホール・ノードによって識別されることができ、かつサービス品質（quality  of  service、QoS）要件に関係する識別情報を追加すること；前記データ・パケットについての無線バックホール・ノードを含む複数のリンク上でQoSマッピングを実行すること；データ・パケット・タイプ指示情報を前記データ・パケットに追加すること；およびフロー制御機能を有するノードにフロー制御フィードバック情報を送信すること。これらの機能をもつプロトコル層の名前は必ずしも適応層ではないことに注意しておくべきである。当業者は、これらの機能を有する任意のプロトコル層が、本願の実施形態において、適応層として理解されうることを理解しうる。
【０１６２】
無線バックホール・ノードによって識別されうるルーティング情報は、次の情報のうちの一つまたは複数であってもよい：UEの識別子、UEによってアクセスされるIABノードの識別子、DgNBの識別子、ドナーDUの識別子、ドナーCUの識別子、伝送経路の識別子など。
【０１６３】
複数のリンク上のQoSマッピングは、データ・パケットを次ホップ・ノードに送信するために、QoS要件に関係しデータ・パケットにおいて担持される識別情報に基づいてバックホール・リンク上で、データ・パケットをバックホール・リンク（Unインターフェース）上の無線ベアラ（またはRLCベアラ）または論理チャネル（またはRLCチャネル）にマッピングすることであってもよい。たとえば、IABノードは、データ・パケットにおいて担持されるUEの無線ベアラ（または論理チャネル）の識別子に基づいて、データ・パケットをUEの無線ベアラ（または論理チャネル）に、Unインターフェース上の無線ベアラまたは論理チャネルにマップしてもよく；または、IABノードは、データ・パケットを受信するための論理チャネルまたは無線ベアラに基づいて、データ・パケットを次ホップ・リンク上の論理チャネルまたは無線ベアラにマップしてもよい。ある可能な例では、バックホール・リンク上のIABノードによって維持される論理チャネルの量は、UEの論理チャネルの量以上であり、UEの論理チャネル#xは、IABノードの論理チャネル#yに一意的にマッピングされる。たとえば、データ・パケットにおいて担持される、UEの論理チャネルの識別子がLCID#1である場合、IABノードは、データ・パケットを、次ホップ・ノードに面するIABノードのエア・インターフェース上の、LCID#1によって識別される論理チャネルにマッピングする。本願の実施形態における無線ベアラは、代替的に、理解のために、無線ベアラに対応するRLCベアラで置き換えられてもよい。本願の実施形態における論理チャネルは、代替的に、理解のために、論理チャネルに対応するRLCチャネルで置き換えられてもよい。
【０１６４】
データ・パケット・タイプ指示情報は、適応層においてカプセル化された内容が、次のタイプのうちのいずれかを含むことを示すために使用されうる：UEのユーザープレーン・データ、UEの無線資源制御（radio  resource  control、RRC）メッセージ、IABノードのRRCメッセージ、第1のアプリケーション層メッセージ（たとえば、T1アプリケーション・プロトコル（T1  application  protocol、T1AP）メッセージ）が、IABノードとDgNBまたはドナーCUとの間の第1のインターフェース（本願の実施形態では、第1のインターフェースはT1インターフェースと呼ばれる；むろん、第1のインターフェースは代替的に別の名前を有していてもよい）上の第1のアプリケーション層メッセージ、およびIABノードによって生成されたフロー制御フィードバック・メッセージなど。下記の実施形態では、第1のアプリケーション層がT1AP層であり、第1のアプリケーション層によって送信または生成されるメッセージがT1APメッセージである例を用いる。あるノードが、該ノードの第1のアプリケーション層を通じて、別のノードのピア第1のアプリケーション層に第1のメッセージを送信してもよい。第1のメッセージは、前記別のノードによってサービスされる端末および／または該端末のRRCメッセージのコンテキスト管理情報を含む。本願の実施形態では、Xプロトコル層においてあるノードによって生成または送信されるメッセージは、Xメッセージと呼ばれてもよい。たとえば、T1APプロトコル層においてあるノードによって生成または送信されたメッセージは、T1APメッセージと呼ばれてもよい。
【０１６５】
IABノードとDgNB／ドナーCUとの間のインターフェースは、T1インターフェースと呼ばれることもあれば、あるいはF1インターフェースまたはF1*インターフェースの名前を使用することもあることに注意しておくべきである。T1インターフェースが、本願の実施形態において例として使用されるが、インターフェースの名前は限定されない。
【０１６６】
QoS要件に関係する識別情報は、QoSフロー識別子（QoS  flow  identifier、QFI）、無線ベアラ（data  radio  bearer、DRB）またはシグナリング無線ベアラ（signalling  radio  bearer、SRB）の識別子、無線ベアラに対応する論理チャネル（logical  channel、LCH）またはRLCベアラ（bearer）またはRLCチャネル（channel）の識別子、5QI（5G  QoS識別子、5Gサービス品質識別子）、サービス品質クラス識別子（QoSクラス識別子、QCI）、差別化サービス・コードポイント（differentiated  services  code  point、DSCP）などでありうる。
【０１６７】
たとえば、フロー制御機能を有するノードは、DgNB、ドナーDU、ドナーCU、またはIABノードの親ノード、またはIABノードのためのバックホール・サービスを提供する上流ノードであってもよい。フロー制御フィードバック情報の内容は、次の情報のうちの一つまたは複数を含んでいてもよい：IABノードのキャッシュ状態および負荷程度、IABノードを含むリンクの状態（たとえば、リンク遮断（blockage）、リンク再開（レジューム）、またはリンク品質情報）、IABノードを含むリンクの帯域幅および伝送遅延、IABノードにおいて失われたデータ・パケットのシーケンス番号、IABノードが端末または端末の子ノードに送信することに成功したデータ・パケットのシーケンス番号、など。
【０１６８】
適応層は、BL-L2層に含まれるすべてのプロトコル層より上にあってもよい。たとえば、BL-L2層がRLC層およびMAC層を含む場合、適応層は、RLC層より上にあってもよい。あるいはまた、適応層は、BL-L2層に含まれる任意の2つのプロトコル層の間にあってもよい。たとえば、BL-L2層がRLC層およびMAC層を含む場合、適応層は、RLC層とMAC層との間、すなわち、MAC層の上、かつRLC層の下にあってもよい。あるいはまた、適応層は、BL-L2層とBL-L1層との間にあってもよい。適応層の具体的な位置は、本願の実施形態において限定されない。さらに、ある可能な場合には、適応層の機能は、代替的に、追加のプロトコル層なしに、BL-L2層に含まれる任意の一つまたは複数の層の機能（単数または複数）から拡張されてもよい。別の可能な場合では、適応層の機能は、代替的に、追加のプロトコル層なしに、BL-L2層より上の任意の一つまたは複数のプロトコル層の機能（単数または複数）から拡張されてもよい。
【０１６９】
以下に記載されるプロトコル層に関係する添付の図面は、図7ないし図12を含む（添付の図面におけるIABnは、IABノードnを表わし、たとえば、IAB4は、IABノード4を表わす）。図7ないし図12はみな、ネットワーク・アーキテクチャーが図6に示されるネットワーク・アーキテクチャーである例、すなわち、2つのIABノードが使用される例を使用して描かれている。実際のプロセスでは、1つのIABノードが存在してもよいし、または基地局とUEの間に2つ以上のIABノードが存在してもよい。基地局とUEとの間のIABノードの量が変化する場合、UEと基地局との間のIABノードのプロトコル・スタックについては、図7ないし図12に示されるIABノードのプロトコル・スタックのアーキテクチャーを参照されたい。本稿では、本願のこの実施形態においては詳細は記載しない。
【０１７０】
図7は、L2  IABプロトコル・ユーザープレーン・マルチホップ・プロトコル・スタック・アーキテクチャーを示す。図7において、ユーザープレーン・プロトコル・アーキテクチャーの装置は、CU、DU、IABノード1、IABノード2、およびUEを含む。UEのプロトコル・スタックは、上から下の順に、CUのSDAP層およびPDCP層のピア層であるSDAP層およびPDCP層と、IABノード2のRLC層、MAC層、およびPHY層のピア層であるRLC層、MAC層、およびPHY層とを含む。UEとの通信のためのIABノード2のプロトコル・スタックは、上から下の順に、RLC層、MAC層、およびPHY層を含む。IABノード1との通信のためのIABノード2のプロトコル・スタックは、上から下の順に、適応層、BL-L2層、およびBL-L1層を含む。IABノード2との通信のためのIABノード1のプロトコル・スタックは、上から下の順に、適応層、BL-L2層、およびBL-L1層を含む。DUとの通信のためのIABノード1のプロトコル・スタックは、上から下の順に、適応層、BL-L2層、およびBL-L1層を含む。IABノード1との通信のためのDUのプロトコル・スタックは、上から下の順に、適応層、BL-L2層、およびBL-L1層を含む。CUとの通信のためのDUのプロトコル・スタックは、上から下の順に、GTP層、UDP層、IP層、およびL1/L2層（L1層およびL2層を示す）を含む。CUのプロトコル・スタックは、上から下の順に、UEのSDAP層およびPDCP層のピア層であるSDAP層およびPDCP層と、DUのGTP層、UDP層、IP層およびL1/L2層のピア層であるGTP層、UDP層、IP層、およびL1/L2層とを含む。
【０１７１】
図7において、CUとDUとの間のF1インターフェース上の破線の四角で示されるGTP層／UDP層／IP層が任意的なプロトコル層であることが理解されうる。すなわち、これら3つのプロトコル層は、CUおよびDUについて構成されなくてもよく、またはGTP層／UDP層／IP層のうちのいくつかのプロトコル層が構成されない（たとえば、図8に示されるように、GTP層およびUDP層が、CUとDUの間のインターフェース（たとえば、F1インターフェース）のために構成されないが、IP層は、CUとDUの間の該インターフェースのために構成される）。
【０１７２】
図9は、本願のある実施形態による別の任意的なプロトコル・スタック・アーキテクチャーを示す。図9と図7との違いは、IABノード2とCUとの間のインターフェースのために、ピアGTP層がさらに構成されうる点にある。任意的に、ピアUDP層およびピアIP層が、IABノード2とCUとの間のインターフェースのために、GTP層の下にさらに設定されてもよい。IABノード2とCUとの間のインターフェースのGTP層より下のUDP層およびIP層は、任意的な層である、すなわち、構成されなくてもよいことが理解されうる。GTP層に基づいてセットアップされるGTPトンネルは、UEのDRBに対応する。すなわち、GTP層のトンネル終点識別子（tunnel  endpoint  identifier、TEID）は、UEの1つのDRBに一意的にマッピングされてもよい。IABノード2のGTP層は、適応層より上に位置し、CUのために構成された、IABノード2のGTP層のピア層であるGTP層は、CUのPDCP層より下に位置する。さらに、CUのために構成された、IABノード2のGTP層のピア層であるGTP層より下の、IABノード2のUDP層およびUDP層のピア層であるUDP層およびIP層があってもよい。したがって、図9では、CUのために構成されるGTP層は、CUのPDCP層とCUのUDP層との間に位置する例が用いられる。
【０１７３】
図10は、本願のある実施形態による、さらに別の任意的なプロトコル・スタック・アーキテクチャーを示す。図10と図7の違いは、図10には、IABノード2とCUのホップ毎のピアGTP層またはセグメント毎のピアGTP層があり、これらのGTP層に基づいてセットアップされたGTPトンネルもUEのDRBに対応するという点にある。
【０１７４】
図11では、制御プレーン・マルチホップ・プロトコル・アーキテクチャーの装置は、アクセス管理機能（access  management  function、AMF）ユニット、CU、DU、IABノード1、IABノード2、およびUEを含む。UEのプロトコル・スタックは、上から下の順に、AMFのNAS層のピア層であるNAS層と、CUのRRC層のピア層であるRRC層と、CUのPDCP層のピア層であるPDCP層と、UEがIABノード2と通信するときにIABノード2のRLC層、MAC層、およびPHY層のピア層であるRLC層、MAC層、およびPHY層とを含む。IABノード2とUEのプロトコル・スタックでは、ピア・プロトコル層は、上から下の順にRLC層、MAC層、およびPHY層を含む。IABノード2とIABノード1のプロトコル・スタックでは、ピア・プロトコル層は、上から下の順に、適応層、RLC層、MAC層、およびPHY層を含む。さらに、図11において、IABノード2は、CUのT1AP層およびPDCP層のピア層である、適応層より上に位置するT1AP層およびPDCP層をさらに含む。T1AP層は、PDCP層より上に位置する。IABノード2との通信のためのIABノード1のプロトコル・スタックは、上から下の順に、適応層、RLC層、MAC層、およびPHY層を含む。DUとの通信のためのIABノード1のプロトコル・スタックは、上から下の順に、適応層、RLC層、MAC層、およびPHY層を含む。IABノード1との通信のためのDUのプロトコル・スタックは、上から下の順に、適応層、RLC層、MAC層、およびPHY層を含む。通信のためのDUおよびCUのプロトコル・スタックは、上から下の順に、ピアF1AP層、ピアSCTP層、ピアIP層、およびピアL1/L2層を含む。UE、IABノード2、およびDUとの通信のためのCUのプロトコル・スタックは、上から下の順に、UEのRRC層のピア層であるRRC層、UEのPDCP層のピア層であるPDCP層、IABノード2のT1AP層のピア層であるT1AP層、IABノード2のPDCP層のピア層であるPDCP層、DUのF1AP層のピア層であるF1AP層、DUのSCTP層のピア層であるSCTP層、DUのIP層のピア層であるIP層、およびDUのL1/L2層のピア層であるL1/L2層を含む。通信のための、CUとAMFの間のインターフェースのプロトコル・スタックは、上から下の順に、NG-AP層、SCTP層、IP層、およびL1/L2層を含む。AMFのプロトコル・スタックは、上から下の順に、UEのNAS層のピア層であるNAS層、CUのNG-AP層、SCTP層、IP層、およびL1/L2層のピア層であるNG-AP層、SCTP層、IP層、およびL1/L2層を含む。
【０１７５】
図11において、N2は、基地局とAMFとの間のインターフェースを表わす。基地局とAMFとの間のインターフェースの名前は、本願のこの実施形態では限定されない。換言すれば、基地局とAMFとの間のインターフェースは、別の名前を有してもよい。図11において、IABノード2のPDCP層およびCUのPDCP層は、CUとIABノード2との間で伝送されるT1APメッセージについて、暗号化および完全性保護などのセキュリティ保護を提供するように構成される。T1AP層の機能については、CUおよびDUのF1AP層の機能を参照されたい。たとえば、T1AP層は、IABノードがCUの無線分散ユニットとみなされる場合、IABノードとCUとの間で制御プレーン・メッセージを運ぶように主に構成される。たとえば、IABノードとCUとの間のインターフェース（本願では、IABノード2とCUとの間のインターフェースがT1インターフェースである例が使用される）が、IABノードおよびCUの構成更新に関係するメッセージを管理するために使用され、構成情報は、IABノード2の子ノード（前記UE、別のIABノードなどを含む）に関係する。IABノードとCUとの間のインターフェースはT1インターフェースと称されてもよく、あるいはF1インターフェースまたはF1*インターフェースという名前を使ってもよいことに注意しておくべきである。本願のこの実施形態では、IABノードとCUとの間のインターフェースの名前がT1インターフェースである例が使用されているが、IABノードとCUとの間のインターフェースの名前は限定されない。
【０１７６】
本願のこの実施形態におけるXXAP層は、IABノードとCUとの間のXXインターフェースを使用することによって命名されることに注意しておくべきである。よって、IABノードとCUとの間のインターフェースがT1インターフェースである例を用いると、IABノードのAP層はT1AP層と呼ぶことができる。IABノードとCUとの間のインターフェースが別の名前を持つときは、T1AP層の名前はそれに応じて変わることになる。たとえば、IABノードとCUとの間のインターフェースがF1*インターフェースである場合は、IABノードのAP層は、F1*AP層と称されてもよい。
【０１７７】
図11に示されるアーキテクチャーについては、CUとDUとの間のF1インターフェース上のピアF1AP層、ピアSCTP層、およびピアIP層は、代替的に、GTP層、UDP層、およびIP層で置き換えられてもよい。この場合、IABノードのT1APメッセージは、F1インターフェース上のユーザープレーン伝送チャネルを通じて伝送される。
【０１７８】
図12は、本願のある実施形態による別の制御プレーン・マルチホップ・プロトコル・アーキテクチャーを示す。図12において、DUは、IABノードとCUとの間の制御プレーン・メッセージのためのプロキシ・ノードのはたらきをすることができ、IABノード2とDUの間のT1APメッセージと、DUとCUの間のF1APメッセージとの間の変換を実行する。図12に示されるアーキテクチャーでは、F1APメッセージの内容がIABノードのT1APメッセージからのものであることを示すために、特定のタイプのF1APメッセージを定義する必要がある。下りリンクでは、CUによって送信されたF1APメッセージを受信した後、DUはまず、F1APメッセージがIABノード2に送信される必要があることを決定する（たとえば、CUは、F1APメッセージに、IABノード2の識別子または特別な指示情報を追加し、F1APメッセージの内容がIABノード2に転送される必要があることを示す）。次いで、DUはF1APメッセージを修正し、T1APメッセージに変換し、T1APメッセージをIABノード2に送信する。上りリンクでは、T1APメッセージを受信した後、DUは、T1APメッセージがCUに送信される必要があると判断し、よってDUは、T1APメッセージを修正し、F1APメッセージに変換することができ（たとえば、DUは、F1APメッセージに、IABノード2の識別子または特別な指示情報を追加し、F1APメッセージの内容がIABノード2によってCUに送信されることを示す）、F1APメッセージをCUに送信する。図12に示されるアーキテクチャーでは、T1APメッセージに対してセキュリティ保護を実行するPDCP層は、DUおよびIABノードに配置される（注：このセキュリティ構成プロセスは、特殊なものである。PDCP層は、DUおよびIABノードに配置される。したがって、CUは、セキュリティ・パラメータを構成する必要がある。さらに、IABノードのネットワーク・アクセス手順では、セキュリティ・パラメータは、以下の説明のS213〜S215で記述されるルーティング構成とともに、DUおよびIABノード2に送信される）。プロキシ・ノードとして、UEに関係したT1APメッセージについて、DUは、UEに第1の識別子、たとえばDU  T1AP  UE  IDを割り当てる。これが、T1APメッセージにおいて、UEを識別するために運ばれる。DUはさらに、UEに第2の識別子、たとえば、DU  F1AP  UE  IDを割り当てる。これが、UEを識別するためにF1APメッセージにおいて運ばれる。DUは、DU  T1AP  UE  IDとDU  F1AP  UE  IDとの間の対応、およびUEとUEのためにアクセス・サービスを提供するIABノード（たとえば、図12のIABノード2）との間の対応を維持することができる。UEに依存しないT1APメッセージについては、IABノードの識別子は、DUとCUとの間のF1APメッセージにおいて対応して搬送され、F1APメッセージに含まれる内容が来たIABノードまたは送信される必要のある送信先のIABノードを示すために使用される。
【０１７９】
本願の実施形態において、DgNBは、完備な機能的エンティティであってもよく、またはCUとDUが分離される形であってもよいことに注意しておくべきである。換言すれば、DgNBは、ドナーgNodeBの集中ユニット（ドナーCU、以下にCUと略す）とドナーgNodeBの分散ユニット（ドナーDU、以下DUと略す）を含む。DgNBがCUとDUが分離される形である場合、L2層はCUとDUの間のインターフェースの対応するリンク層であり、L1層はCUとDUの間のインターフェースの対応する物理層である。さらに、DgNBが完備な機能的エンティティである場合、下記に示される図7ないし図12におけるCUとDUとの間にプロトコル・スタックが存在しない可能性があり、DgNBは、IABノードのプロトコル・スタックのピア・プロトコル・スタックであるプロトコル・スタックと、端末のプロトコル・スタックのピア・プロトコル・スタックであるプロトコル・スタックのみを予約する必要がある。
【０１８０】
任意的に、図7および図8に示されるユーザープレーン・プロトコル・アーキテクチャーについては、さらにピアGTP層が、あるいはIABノード2およびDgNB/CUのピアGTP層およびピアUDP層が存在してもよい。GTP層は、IABノード2においては適応層より上に位置し、CUにおいてはUEのPDCP層のピア層であるPDCP層より下かつ、PDCP層とF1インターフェースのIP層（またはL2層）との間に位置するか、またはCUにおいてUEのPDCP層のピア層であるPDCP層とF1インターフェースのGTP層との間に位置する。
【０１８１】
本願の実施形態では、プロトコル層間の位置関係は、次のように定義される：あるノードがデータまたはシグナリングを送信するプロセスにおいては、データ・パケットを最初に処理するプロトコル層は、データ・パケットを後に処理するプロトコル層より上にある；換言すれば、データ・パケットを最初に処理するプロトコル層は、データ・パケットを後に処理するプロトコル層の上位プロトコル層と考えられてもよい。あるいはまた、あるノードがデータを受信するプロセスにおいては、データ・パケットを最初に処理するプロトコル層は、データ・パケットを後に処理するプロトコル層より下にある；換言すれば、データ・パケットを最初に処理するプロトコル層は、後にデータ・パケットを処理するプロトコル層の下位プロトコル層と考えられてもよい。たとえば、図9を参照するに、UEのプロトコル・スタックにおいて、SDAP層とPDCP層はいずれもRLC層の上位プロトコル層であり、SDAP層、PDCP層、およびRLC層はすべてMAC層の上位プロトコル層である。
【０１８２】
以下の説明をより明確にするために、本願の実施形態における「ホップ毎」、「エンドツーエンド」および「セグメント毎」の記述がみなここで明確にされる。
【０１８３】
ノードAとノードBの間の経路がS個のノードを含む場合、その経路上のノードは逐次、ノードA、ノード1、ノード2、…、ノードS、そしてノードBである。
【０１８４】
ノードAとノードBがホップ毎〔ホップバイホップ〕のピア・プロトコル層（たとえば、最初の諸プロトコル層であってもよい）をもつと記述される場合、そのことは、ノードAとノード1がピア・プロトコル層をもち、ノードsとノードs＋1がピア・プロトコル層をもち、ノードSとノードBがピア・プロトコル層をもつことを示す。ここで、sは0より大きくSより小さい整数である。
【０１８５】
ノードAとノードBがエンドツーエンドのピア・プロトコル層をもつと記述される場合、そのことは、ノードAとノードBがピア・プロトコル層をもち、ノードAとノード1はピア・プロトコル層をもたず、ノードSとノードBはピア・プロトコル層をもたないことを示す。
【０１８６】
ノードAおよびノードBがセグメント毎のピア・プロトコル層（たとえば、最初の諸プロトコル層であってもよい）をもつと記述される場合、そのことは、ノードAおよびノードBについて、ノードAおよびノードBのセグメント毎のピア・プロトコル層は、複数のエンドツーエンドのピア・プロトコル層を使用することによってセットアップされてもよく、データは、該データを別のノードによって転送することによって、前記複数のエンドツーエンドのピア・プロトコル層のうちの少なくとも1つのピア・プロトコル層の2つのエンドポイント間で伝送されてもよいことを示す。たとえば、ノードAとノードBについて、ノードAとノードBのセグメント毎のピア・プロトコル層は、2つのエンドツーエンドのピア・プロトコル層のうちの2つを使用することによってセットアップされてもよい。たとえば、ノードAおよびノードS1はエンドツーエンドのピア・プロトコル層を有し、ノードS1およびノードBはエンドツーエンドのピア・プロトコル層を有し、データは、該データを別のノードによって転送することによって、ノードAとノードS1との間またはノードS1とノードBとの間で伝送されてもよい。
【０１８７】
本願の実施形態において、特に断わりのない限り、ノードAおよびノードBがピア・プロトコル層を有するとは、前述の3つの場合を指すことがありうる。
【０１８８】
ノードAとノードBがホップ毎のピア・トンネル（たとえば、GTPトンネルであってもよい）をもつと記述される場合、そのことは、ノードAとノード1がピア・トンネルをもち、ノードsとノードs＋1がピア・トンネルをもち、ノードSとノードBがピア・トンネルをもつことを示す。ここでsは0より大きくSより小さい整数である。
【０１８９】
ノードAとノードBがエンドツーエンドのピア・トンネルをもつと記述される場合、そのことは、ノードAとノードBがピア・トンネルをもち、ノードAとノード1はピア・トンネルをもたず、ノードSとノードBがピア・トンネルをもたないことを示す。
【０１９０】
ノードAとノードBがセグメント毎のピア・トンネルをもつと記述される場合、そのことは、ノードAとノードBについて、ノードAとノードBのセグメント毎のピア・トンネルが複数のエンドツーエンドのピア・トンネルを使用することによってセットアップされてもよく、データは該データを別のノードによって転送することによって前記複数のエンドツーエンドのピア・トンネルのうち少なくとも1つのピア・トンネルの2つのエンドポイント間で伝送されてもよいことを示す。たとえば、ノードAとノードBについて、ノードAとノードBのセグメント毎のピア・トンネルは、前記エンドツーエンドのピア・トンネルの2つを使用してセットアップされてもよい。たとえば、ノードAおよびノードS1がエンドツーエンドのピア・トンネルをもち、ノードS1およびノードBはエンドツーエンドのピア・トンネルをもち、データは、該データを別のノードによって転送することによって、ノードAとノードS1との間またはノードS1とノードBとの間で伝送されてもよい。
【０１９１】
本願の実施形態では、特に断わりのない限り、ノードAとノードBがピア・トンネルをもつとは、前述の3つの場合を指すことがありうる。本願の実施形態において記述されるホップ毎（またはセグメント毎）のピア・トンネルにおいて、トンネルのホップ（またはセグメント）は1対1のマッピングにあることに注意しておくべきである。
【０１９２】
本願の実施形態におけるデータ・パケットは、制御プレーン信号またはユーザープレーン・データでありうる。あるいはまた、本願の実施形態におけるデータ・パケットは、サービス・データ単位（service  data  unit、SDU）またはプロトコル・データ単位（protocol  data  unit、PDU）でありうる。本願の実施形態におけるデータ・パケットは、下りリンク・データ・パケットであってもよく、または上りリンク・データ・パケットであってもよい。
【０１９３】
ユーザープレーン・データと制御プレーン・シグナリングの伝送モード：
【０１９４】
ユーザープレーン・データ・パケット：ユーザープレーン・データ・パケットがUEとDgNB／ドナーCUとの間で、各アクセス・リンクおよび各バックホール・リンク上で伝送されるとき、ユーザープレーン・データ・パケットは、送信のためにデータ無線ベアラDRBまたは該DRBに対応するRLCベアラ／RLCチャネル／論理チャネルにマッピングされる。
【０１９５】
制御プレーン・データ・パケット：制御プレーン・データ・パケットは、制御プレーン信号を含むデータ・パケットである。制御プレーン信号伝達は、主に2つのタイプに分類される：一方のタイプは、RRCメッセージであり、UEのRRCメッセージと、IABノードがUE／移動端末（モバイル端末、MT）として動作する場合に使用されるRRCメッセージとを含む。制御プレーン・データ・パケットは、信号伝達無線キャリア（SRB）または該SRBに対応するRLCベアラ／RLCチャネル／論理チャネル上でアクセス・リンクを通じて送信される。他方のタイプは、IABノードのT1APメッセージである。これら2つのタイプの制御プレーン・データ・パケットがバックホール・リンクを通じて伝送されるとき、データ・パケットはバックホール・リンクのDRBを通じて、または該DRBに対応するRLCベアラ／RLCチャネル／論理チャネルを通じて送信されてもよく、またはバックホール・リンクのSRBを通じて、または該SRBに対応するRLCベアラ／RLCチャネル／論理チャネルを通じて送信されてもよい。
【０１９６】
本願におけるノードの子ノードは、そのノードに直接接続された（またはそのノードにリンクを通じて接続された）ノードである（たとえば、図5のIABノード3は、IABノード1およびIABノード2の子ノードである）。
【０１９７】
ノードの後裔子ノードは、n（n＞1）個のリンクを通じてそのノードに接続される。たとえば、図5では、IABノード1およびIABノード2の後裔子ノードは端末である。
【０１９８】
子ノードか後裔子ノードかにかかわらず、該ノードは、子ノードおよび後裔子ノードのためにバックホール（backhaul）サービスを提供する。
【０１９９】
本願における構成方法は、第1の装置、または、本方法を実施することにおいて第1の装置をサポートする装置、たとえば第1の装置に適用される装置、たとえばチップによって実行されうることが理解されうる。前述の構成方法と対話する構成方法は、RAN装置、または、本方法を実装することにおいてRAN装置をサポートする装置、たとえばRAN装置に適用される装置、たとえばチップによって実行されうる。以下の実施形態では、構成方法が第1の装置によって実行され、該構成方法と対話する構成方法がRAN装置によって実行される例が使用される。
【０２００】
図13は、本願のある実施形態による構成方法を示す。本方法は、以下のステップを含む。
【０２０１】
S101：RAN装置は、構成情報を第1の装置に送信する。ここで、構成情報は、伝送経路上の第1の装置の適応層のためのルーティング構成を含み、伝送経路は、RAN装置および少なくとも1つの無線バックホール・ノードを含み、ルーティング構成は、第2の装置の識別子を含み、第1の装置は、ドナー・ノードの分散ユニットDUまたは前記少なくとも1つの無線バックホール・ノードのうちの第1の無線バックホール・ノードであり、第2の装置は、前記少なくとも1つの無線バックホール・ノードのうちの第2の無線バックホール・ノード、または前記少なくとも1つの無線バックホール・ノードのうちの前記第1の無線バックホール・ノードによってサービスされる端末、または第2の無線バックホール・ノードによってサービスされる端末である。
【０２０２】
たとえば、本願の本実施形態におけるS101の構成情報は、代わりに、次のものによって置き換えられてもよい：構成情報が、伝送経路上の第1の装置の適応層のためのルーティング構成を含み、伝送経路が、第1の装置および伝送経路装置を含み、第1の装置が、分散ユニットDUまたはDUに接続された無線バックホール・ノードであり、ルーティング構成が、伝送経路装置の識別子を含み、伝送経路が、少なくとも2つの無線バックホール・ノードを含む。
【０２０３】
たとえば、伝送経路装置は、伝送経路上の第1の装置の子ノードまたは後裔子ノードであってもよく、または第1の装置によってサービスされる端末であってもよく、または伝送経路装置によってサービスされる端末であってもよい。
【０２０４】
たとえば、第1の装置は、ドナー・ノードの分散ユニットDUまたは少なくとも2つの無線バックホール・ノードのうちの第1の無線バックホール・ノードであり、伝送経路装置は、前記少なくとも2つの無線バックホール・ノードのうちの第2の無線バックホール・ノード、または前記少なくとも2つの無線バックホール・ノードのうちの前記第1の無線バックホール・ノードによってサービスされる端末、または第2の無線バックホール・ノードによってサービスされる端末である。
【０２０５】
RAN装置と第1の装置との間に直接リンクがある場合、RAN装置は第1の装置に直接、構成情報を送信してもよく、またはRAN装置は別の中間ノードを通じて第1の装置に構成情報を送信する。
【０２０６】
任意的に、第2の装置の識別子または伝送路装置の識別子は、一つまたは複数の装置の識別子であってもよい。これは、本願のこの実施形態において限定されない。
【０２０７】
本願における任意の装置の識別子は、たとえば、セルラー無線ネットワーク一時識別子（Cell  Radio  Network  Temporary  Identifier、C-RNTI）、MAC層識別子、国際移動体加入者識別子（International  Mobile  Subscriber  Identity、IMSI）、一時移動体加入者識別子（Temporary  Mobile  Subscriber  Identity、TMSI）、または運用・管理・維持（operations,  Administration,  and  Maintenance、OAM）エンティティもしくはドナー・ノードDgNB／ドナーCU、またはコア・ネットワーク要素（たとえば、ゲートウェイ装置、セッション管理機能（session  management  function、SMF）ユニット、またはユーザープレーン機能（user  plane  function、UPF）ユニット）によって装置に割り当てられる識別子（たとえば、装置の、IPアドレスなどのネットワーク層識別子、トランスポート層識別子、または適応層識別子）でありうる。これは、本願のこの実施形態において限定されない。
【０２０８】
たとえば、RAN装置はドナー・ノードであってもよく、またはドナー・ノードの集中ユニットCUであってもよい。たとえば、RAN装置は、図6に示されるDgNB、または図7ないし図12に示されるCUであってもよい。
【０２０９】
任意的に、本願のこの実施形態では、RAN装置は、F1APメッセージを使用することによって、構成情報を第1の装置に送信してもよい。第1の装置がDUであり、RAN装置がCUである場合、RAN装置によって送信される構成情報はF1APメッセージにおいて搬送されて、第1の装置に送信されてもよい。
【０２１０】
第1の装置が第1の無線バックホール・ノードである場合、RAN装置はCUまたはDgNBであってもよく、RAN装置はT1APメッセージを使用して構成情報を第1の装置に送信してもよい。たとえば、RAN装置はCUである。この場合、構成情報は、CUによって第1の無線バックホール・ノードに送信されるT1APメッセージである。CUはF1インターフェースのプロトコル層でT1APメッセージを処理し、カプセル化し、処理されカプセル化されたT1APメッセージをDUに送信する。処理されカプセル化されたT1APメッセージを受信した後、DUはF1インターフェースのプロトコル・カプセル化を除去し、T1APメッセージを取得し、次いでバックホール・リンク（Unインターフェース）のプロトコル層でT1APメッセージを処理し、T1APメッセージを第1の装置に送信する。具体的な処理は、CUのプロトコル・スタック構成に基づいて理解される必要がある。図11に示されるCUについて構成されたプロトコル・スタックを例として使うと、CUは、第1の装置（たとえば、IABノード2）に送信されるT1APメッセージを生成する。T1APメッセージは、第1の装置に送信される構成情報を含む。CUは、PDCP層でT1APメッセージに対して処理を実行し（たとえば、PDCP層で暗号化および／または完全性保護を実行する）、F1インターフェースのプロトコル層でT1APメッセージを処理およびカプセル化し（たとえば、T1APメッセージをF1AP層、SCTP層、IP層、L2層、L1層で順次処理およびカプセル化するか、またはT1APメッセージをGTP層、UDP層、IP層、L2層、L1層で順次処理およびカプセル化する）、次いで、処理およびカプセル化されたT1APメッセージをDUに送信する。処理されカプセル化されたT1APメッセージを受信した後、DUは、F1インターフェースのプロトコル・カプセル化を除去してT1APメッセージを含むPDCP  PDUを得て、DUは、Unインターフェースのプロトコル層でPDCP  PDUを処理およびカプセル化し（たとえば、適応層、RLC層、MAC層、およびPHY層で処理しカプセル化した）、次いで、処理されカプセル化されたPDCP  PDUをIABノード1を通じて第1の装置に送信する。
【０２１１】
たとえば、一方では、第1の無線バックホール・ノードは、前記少なくとも1つの無線バックホール・ノードのうちの、DUまたはドナー・ノードに直接接続される無線バックホール・ノードであってもよい。
【０２１２】
たとえば、図6に示されるように、前記少なくとも1つの無線バックホール・ノードは、IABノード1およびIABノード2を含む。IABノード1がドナー・ノードに接続されている場合、第1の無線バックホール・ノードはIABノード1であってもよい。他方、第1の無線バックホール・ノードは、前記少なくとも1つの無線バックホール・ノードのうちの、DUまたはドナー・ノードに間接的に接続される無線バックホール・ノードであってもよい。換言すれば、一つまたは複数の無線バックホール・ノードが、第1の無線バックホール・ノードとDUまたはドナー・ノードとの間にさらに存在してもよい。たとえば、図5に示されるように、第1の無線バックホール・ノードは、IABノード3であってもよい。
【０２１３】
第2の無線バックホール・ノードは、前記少なくとも1つの無線バックホール・ノードのうちの、第1の無線バックホール・ノードによって直接的または間接的にサービスされる無線バックホール・ノードであってもよい。あるいはまた、第2の無線バックホール・ノードは、前記少なくとも1つの無線バックホール・ノードのうちの第1の無線バックホール・ノードの子ノードまたは後裔子ノードであってもよいことが理解されうる。たとえば、図6において、第2の無線バックホール・ノードは、IABノード2であってもよい。図5において、IABノード1とIABノード3との間にさらにIABノード4が存在する場合、IABノード3は、IABノード1の後裔子ノードである。このようにして、第2の無線バックホール・ノードは、IABノード3であってもよい。
【０２１４】
任意的に、IABネットワークにおいて、第1の無線バックホール・ノードが端末のためのアクセス・サービスを直接提供するか、または第1の無線バックホール・ノードが無線式に端末に直接接続される場合、第2の装置は代替的に当該端末であってもよい。
【０２１５】
たとえば、図4に示されるように、第1の無線バックホール・ノードはIABノード1であり、第2の装置は図4に示される端末であってもよい。
【０２１６】
任意的に、IABネットワークにおいて、端末とRAN装置との間に複数の無線バックホール・ノードが存在する場合、第2の装置は、第2の無線バックホール・ノードにアクセスする端末であってもよい。この場合、第2の無線バックホール・ノードは、端末のためにアクセス・サービスを直接提供する無線バックホール・ノードであってもよい。あるいはまた、第2の無線バックホール・ノードは、前記少なくとも1つの無線バックホール・ノードのうちの、端末のためのアクセス・サービスを直接提供する無線バックホール・ノードであることが理解されうる。
【０２１７】
任意的に、本願のこの実施形態において提供されるルーティング構成は、次の内容のうちの一つまたは複数をさらに含んでいてもよい：第1の装置と第2の装置との間の伝送経路上の第1の装置の次ホップ・ノードの識別子、第1の装置とRAN装置との間にある、第1の装置の次ホップ・ノードの識別子、伝送経路の識別子、および伝送経路の識別子に対応する次ホップ・ノードの識別子。
【０２１８】
伝送経路の識別子は、RAN装置／第1装置と第2装置との間の伝送経路を決定するために使用される。たとえば、伝送経路の識別子は、RAN装置／第1装置と第2装置との間の伝送経路上のすべてのノードの識別子を含む。たとえば、第1の装置はDUであり、第2の装置は図5に示されるIABノード3である。図5において、DUからIABノード3への伝送経路は、下記を含む：伝送経路1：DU→IABノード1→IABノード3、この場合、伝送経路1の識別子は、順次、3つのノードを表わす識別子を含む；伝送経路2：DU→IABノード2→IABノード3、この場合、伝送経路2の識別子は、順次、3つのノードを表わす識別子を含む。CUによってDUに送られる構成情報は、伝送経路1の識別子および／または伝送経路2の識別子を含んでいてもよい。別の可能な例では、伝送経路の識別子は、伝送経路上のあるノードに関する情報を反映しない。たとえば、伝送経路の識別子が1および2である場合、RAN装置によって第1の装置に送信される構成情報は、伝送経路の識別子と、伝送経路の識別子に対応する第1の装置の次ホップ・ノードとを含む必要がある。たとえば、CUによってDUに送られる構成情報は、伝送経路1の識別子「1」と、対応する次ホップ・ノードがIABノード1であること、および／または伝送経路2の識別子「2」と、対応する次ホップ・ノードがIABノード2であることを含む。
【０２１９】
前述のルーティング構成は第1の装置について構成されており、第1の装置が、第1の装置が位置するネットワークのトポロジー構造を決定しうる、または第1の装置からRAN装置へのルーティング関係、またはRAN装置のサービス範囲内の各無線バックホール・ノードまたは端末を決定しうることが理解されうる。データ伝送プロセスにおいて、第1の装置がIABノードまたは端末に送られるべきデータ・パケットを受信した場合、第1の装置は、前述のルーティング構成に基づいて正しい次ホップ無線バックホール・ノードを見つけることができ、その結果、データ・パケットは、諸無線バックホール・ノードを通じて正しい無線バックホール・ノードまたは端末に転送される。
【０２２０】
第1の装置は変化するので、第1の装置と第2の装置との間の伝送経路上の第1の装置の次ホップ・ノードはそれに応じて変化する。したがって、実際のプロセスでは、第1の装置の次ホップ・ノードの識別子を、実際の状況に基づいて決定する必要がある。図5を参照するに、第1の装置がDUであり第2の装置がIABノード3である例を使うと、第1の装置の次ホップ・ノードは、IABノード1またはIABノード2であり；第1の装置がIABノード1であり第2の装置がIABノード3である例を使うと、第1の装置の次ホップ・ノードは、IABノード3である。
【０２２１】
第1の装置は、RAN装置によって直接的または間接的にサービスされる無線バックホール・ノードであってもよいことが理解されうる。第1の装置が、RAN装置によって間接的にサービスされる無線バックホール・ノードである場合、RAN装置は、RAN装置と第1の装置との間のノード（これは無線バックホール・ノードおよび／またはDUを含みうる）を通じて、第1の装置に送信されるべき構成情報を転送することができる。この場合、RAN装置が構成情報を第1の装置に送信するプロセスにおいて、第1の装置の識別子がさらに搬送されてもよい。このようにして、第1の装置に送信されるべき構成情報を受信すると、RAN装置と第1の装置との間の無線バックホール・ノードは、第1の装置の識別子に基づいて、構成情報を第1の装置に送信することを決定することができる。
【０２２２】
たとえば、図6に示されるように、第1の装置がIABノード1であり、RAN装置がCUである場合、CUは、まず、第1の装置に送られるべき構成情報および第1の装置の識別子をDUに送ることができ、次いで、DUは、第1の装置の識別子に基づいて、構成情報を第1の装置に送る。
【０２２３】
S102：RAN装置によって送信された構成情報を第1の装置が受信する。
【０２２４】
S103：第1の装置がルーティング構成を実行する。
【０２２５】
任意的に、第1の装置の適応層は、ルーティング機能を有する。ルーティング・マッピング・テーブルが適応層において維持され、第1の装置は、ルーティング・マッピング・テーブルに基づいて、第1の装置から他のノードへのルーティング関係を決定し、その結果、第1の装置は、第1の装置によって維持されるルーティング・マッピング・テーブルに、RAN装置によって送信されたルーティング構成情報を追加することができる（S103）。
【０２２６】
任意的に、RAN装置によって第1の装置に送信される構成情報は、さらに、第1の装置が伝送経路上でデータ送信を実行するために使用されるQoS構成を含む。
【０２２７】
たとえば、QoS構成は、次の内容のうちの一つまたは複数を含む：QoS識別子、該QoS識別子に対応するQoSパラメータ（待ち時間、保証ビットレート、最大ビットレート、パケット損失レート、または優先度レベルなど）、およびQoSマッピング関係。QoSマッピング関係は、QoS識別子と、第1の装置の無線インターフェース上の無線ベアラ／RLCベアラ／論理チャネル／RLCチャネルとの間のマッピング関係、または、第1の装置の前ホップ無線インターフェース上の無線ベアラ／RLCベアラ／論理チャネル／RLCチャネルと、次ホップ無線インターフェース上の無線ベアラ／RLCベアラ／論理チャネル／RLCチャネルとの間のマッピング関係でありうる。QoS識別子は、QFI、5QI、QCI、DSCP、無線ベアラ／RLCベアラ／論理チャネル／RLCチャネルなどの識別子でありうる。
【０２２８】
QoS識別子および該QoS識別子に対応するQoSパラメータは、第1の装置のために構成される。よって、データ・パケットを受信した後、第1の装置は、データ・パケットを送信するときに、データ・パケットにおいて担持されるQoS識別子および該QoS識別子に対応するQoSパラメータに基づいて、対応するQoS保証を提供することができる。
【０２２９】
第1の装置の前ホップ無線インターフェース上の無線ベアラ／RLCベアラ／論理チャネル／RLCチャネルと次ホップ無線インターフェース上の無線ベアラ／RLCベアラ／論理チャネル／RLCチャネルとの間のマッピング関係は、第1の装置の前ホップ無線インターフェース上の無線ベアラ／RLCベアラ／論理チャネル／RLCチャネルの識別子と次ホップ無線インターフェース上の無線ベアラ／RLCベアラ／論理チャネル／RLCチャネルの識別子との間のマッピング関係を使用することによって表わすことができる。QoS識別子と第1の装置の無線インターフェース上の無線ベアラ／RLCベアラ／論理チャネル／RLCチャネルとの間のマッピング関係は、QoS識別子と第1の装置の無線インターフェース上の無線ベアラ／RLCベアラ／論理チャネル／RLCチャネルの識別子との間のマッピング関係を使用することによって表わすことができる。
【０２３０】
QoSマッピング関係は、第1の装置のために構成される。よって、データ・パケットを受信するとき、第1の装置は、データ・パケットにおいて担持されるQoS識別子に基づいて、またはデータ・パケットを受信するための無線ベアラ／RLCベアラ／論理チャネル／RLCチャネル、データ・パケットに基づいて、第1の装置と次ホップ・ノードとの間の無線インターフェース上の、データ・パケットを転送するために使用される無線ベアラ／RLCベアラ／論理チャネル／RLCチャネルを決定（または選択）し、データ・パケットのQoS要件（またはデータ・パケットに対応するサービス）に基づいてデータ・パケットを転送することができる。
【０２３１】
本願の実施形態における前ホップおよび次ホップは、相対的概念であることが理解されうる。異なる伝送シナリオでは、同じ無線バックホール・ノードの前ホップ・ノードおよび次ホップ・ノードは異なる。図6に示されるように、上りリンク伝送プロセスにおいて、IABノード1については、IABノード1の前ホップはIABノード2であり、IABノード1の次ホップはドナー・ノードである。下りリンク伝送プロセスでは、IABノード1について、IABノード1の前ホップはドナー・ノードであり、IABノード1の次ホップはIABノード2である。
【０２３２】
前述の説明に基づいて、装置の前ホップ・ノードおよび次ホップ・ノードが決定された後、前ホップ無線インターフェースおよび次ホップ無線インターフェースも決定される必要がある。図7に示されるように、たとえば、下りリンク伝送の間、IABノード1の前ホップ・ノードはドナーgNBであり、IABノード1の次ホップ・ノードはIABノード2である。この場合、IABノード1の前ホップ無線インターフェースはUnインターフェースであり、IABノード2の次ホップ無線インターフェースはUnインターフェースである。たとえば、下りリンク伝送の間、IABノード2の次ホップ・ノードはUEであり、IABノード2の前ホップ・ノードはIABノード1である。この場合、IABノード2の次ホップ無線インターフェースはUuインターフェースであり、IABノード2の前ホップ無線インターフェースはUnインターフェースである。
【０２３３】
任意的に、本願のこの実施形態における無線ベアラは、データ無線ベアラDRBまたは信号伝達無線ベアラSRBでありうる。本願のこの実施形態におけるRLCベアラ／論理チャネル／RLCチャネルは、DRBまたはSRBに対応するRLCベアラ／論理チャネル／RLCチャネルであってもよい。
【０２３４】
本願のこの実施形態では、第2の装置のアクセス・プロセスにおいて、RAN装置が、構成情報を第1の装置に送信することが理解されうる。第2の装置が第2の無線バックホール・ノードである場合、伝送経路上の第1の装置のルーティング構成は、第2の無線バックホール・ノードに関連するルーティング構成を含んでいてもよい。たとえば、構成情報は、第2の装置の識別子ならびに第1の装置と第2の装置との間の伝送経路上の次ホップ・ノードの識別子のような情報を含む。第2の装置が端末である場合、伝送経路上の第1の装置の構成は、端末に関連するルーティング構成情報およびQoS構成情報を含んでいてもよい。ルーティング構成情報は、たとえば、第2の装置の識別子と、RAN装置から第2の装置への伝送経路の識別子とを含む。QoS構成情報は、たとえば、UEの無線ベアラ／論理チャネルの識別子、ならびに、UEの無線ベアラ／論理チャネルの識別子とエア・インターフェース上の第1の装置の論理チャネルの識別子との間のマッピング関係を含む。
【０２３５】
ある可能な実装形態では、S103の後、本願のこの実施形態は、次のステップをさらに含んでいてもよい。
【０２３６】
S104：第1の装置はRAN装置に構成応答を送信する。構成応答は、RAN装置に第1の装置の構成結果（たとえば、構成が完了した、構成が部分的に完了した、または構成が失敗した）を通知するために使用される。
【０２３７】
たとえば、第1の装置がDUである場合、構成応答は、F1APメッセージにおいてカプセル化され、RAN装置に送られてもよい；または、第1の装置が無線バックホール・ノードである場合、構成応答は、T1APメッセージにおいてカプセル化され（この場合、T1APメッセージは、第1の装置の識別子およびRAN装置（CU／ドナー・ノード）の識別子を担持することができる。RAN装置がCUである例を使うと、ここでの第1の装置の識別子は、構成応答を送信するノードが第1の装置であることを決定するために使用され、CUの識別子は、構成応答の宛先ノードがCUであることを決定するために使用される）、DUのような次ホップ・ノードに送られてもよい。次いで、DUはF1インターフェースのプロトコル層でT1APメッセージを処理し、処理されたT1APメッセージをCUに送信する。
【０２３８】
本願のこの実施形態において提供される構成方法によれば、RAN装置は、第1の装置のためにルーティング構成を構成する。このようにして、第1の装置は、構成情報に基づいて、第1の装置の後裔ノードおよび子ノードを決定することができ、その結果、データ・パケットは、データ・パケットが宛先ノードに転送されるまで、データ転送プロセスにおいて、正しい次ホップ・ノードに転送されることができる。
【０２３９】
第1の装置が第1の無線バックホール・ノードである例を使うと、本願において提供される別の実施形態においては、図14に示されるように、本願の本実施形態において提供される方法は、次のステップをさらに含む。
【０２４０】
S105：RAN装置は、指示情報を第1の装置に送信する。ここで、指示情報は、無線リンク制御RLC層における第1の装置の自動反復要求ARQモードを示すために使用される。
【０２４１】
任意的に、指示情報は、RAN装置によってT1APメッセージまたはRRCメッセージに追加され、第1の装置に送られてもよい。
【０２４２】
任意的に、RAN装置によって第1の装置に送信されるべき指示情報および構成情報は、同じメッセージにおいて第1の装置に送信されてもよい。このようにして、RAN装置と第1の装置との間のメッセージ量を減らすことができる。
【０２４３】
IABネットワークにおいて、DgNB（またはドナーDU）と端末との間の伝送経路は、複数のエア・インターフェース・リンクを含む。RLC確認応答モード（acknowledge  mode、AM）については、RLC層におけるIABノードの次の2つの機能モードが使用されうる。
【０２４４】
モード1：ホップ毎（hop-by-hop）ARQモードでは、完全なRLC層機能が各IABノードのRLCエンティティのために構成され、IABノードの受信側のAM  RLCエンティティはRLC状態報告フィードバック機能をもつ必要があり、IABノードの送信側のAM  RLCエンティティは受信されたRLC状態報告に基づいて、現在の受信端によっては正しく受信されないRLC  SDUまたはRLC  SDUセグメントを次ホップの受信端に再送信する必要がある。たとえば、上りリンクを例として使うと、端末によってDUに送信されるデータ・パケット1は、IABノード2を通じて送信される必要がある。IABノード2がデータ・パケット1を正しく受信しない場合、IABノード2は、データ・パケットが正しく受信されないことを端末に通知するために、端末にRLC状態報告を送信し、端末にデータ・パケット1を再送することを指示する。
【０２４５】
モード2；エンドツーエンド（end-to-end）ARQモードでは、いくつかのRLC層機能が、各IABノードのRLCエンティティのために構成され；IABノードの受信側のAM  RLCエンティティは、RLC状態報告フィードバック機能を有する必要はなく、受信されたRLC  SDUセグメントを再組み立てする必要はない；IABノードの送信側のAM  RLCエンティティは、すでに送信されたRLC  SDUまたはRLC  SDUセグメントをバッファリングする必要はなく、IABノードの送信側のAM  RLCエンティティは、下位プロトコル層（たとえば、MAC層）の指示に従って、RLC  SDUをセグメント化またはRLC  SDUセグメントをセグメント化し、得られた各RLC  SDUセグメントに新しいRLCヘッダを加えて、新しいRLC  PDUを形成することができる。RLC状態報告は、UEとDgNB／ドナーDUとの間でフィードバックされる必要があるだけであり、対応して、DgNB／ドナーDUまたはUEによって正しく受信されないRLC  SDUまたはRLC  SDUセグメントもまた、UEまたはDgNB／ドナーDUのRLC送信側のAM  RLCエンティティによって再送される。たとえば、上りリンクを例として使うと、UEはデータ・パケット1をDUに送信し、データ・パケット1はIABノード2およびIABノード1を通じてDUに送信される必要がある。UEは、データ・パケット1をセグメント化し、次いでデータ・パケット1の諸セグメントをIABノード2に送信する。IABノード2がデータ・パケット1のいくつかのセグメントを受信しない場合、IABノード2は、RLC状態報告をUEに送信せず、データ・パケット1の残りのセグメントをIABノード1を通じてDUに送信し続ける。DUは、データ・パケット1の該セグメントを受信し、完全で正しいデータ・パケット1が復元できないと判断した場合、DUは、データ・パケット1またはデータ・パケット1の失われたセグメントを再送するように端末に指示するために、端末に再送メッセージを送信する。
【０２４６】
IABノードによってサービスされる各端末は、DgNB（またはドナーDU）への複数のエア・インターフェース・リンクを含む伝送経路を有する。各伝送経路は、1：エア・インターフェース・リンクの数、および2：各エア・インターフェース・リンクの信頼性によって特徴づけられる。エア・インターフェース・リンクの異なる数および信頼性について、RLC層におけるIABノードの異なるARQモードが構成されてもよい。たとえば、比較的大量のエア・インターフェース・リンクがある場合（たとえば、エア・インターフェース・リンクの数が閾値THN以上である場合）、ホップ毎のARQモードが選択される；または比較的少量のエア・インターフェース・リンクがある場合（たとえば、エア・インターフェース・リンクの数が閾値THN未満である場合）、エンドツーエンドのARQモードが選択される；またはリンク信頼性が比較的高い場合（たとえば、リンク信頼性が閾値THR以上である、またはリンクのパケット損失率が閾値THD以下である場合）、エンドツーエンドのARQモードが選択される；またはリンク信頼性が比較的低い場合（たとえば、リンク信頼性がTHR未満である、またはリンクのパケット損失率が閾値THDより大きい場合）、ホップ毎のARQモードが選択される。
【０２４７】
前述の説明から、IABネットワークでは、RLC層におけるIABノードはホップ毎（hop-by-hop）ARQモードまたはエンドツーエンド（end-to-end）ARQモードで機能しうることがわかる。具体的なARQモードは、制御プレーン情報（たとえば、T1APメッセージまたはRRCメッセージ）を使用することによって、IABノードのためにDgNBまたはドナーCUによって設定されてもよい。任意的に、IABネットワークにおけるIABノードがホップ毎ARQモードまたはエンドツーエンドARQモードを使用すると決定された後、ドナーCUは制御プレーンF1APメッセージを使用することによってドナーDUのためにARQモードを構成してもよく、DgNBまたはドナーCUはさらに、制御プレーン・メッセージ（たとえば、RRCメッセージ）を使用することによって端末のためのARQモードを構成してもよい。たとえば、ARQモードに関連する構成情報は、1ビットの指示情報を使用することによって識別されてもよい。指示情報が"0"である場合は、そのことはエンドツーエンドARQモードが使用されることを示し、あるいは指示情報が"1"である場合は、そのことはホップ毎ARQモードが使用されることを示す。指示情報は、IABノードがネットワークにアクセスし、CUへのT1コネクションをセットアップした後にIABノードについて構成されてもよいし、または、端末のネットワーク・アクセス手順において端末のコンテキスト関連構成と一緒にIABノードに送信されてもよい。
【０２４８】
具体的には、本願のこの実施形態では、RAN装置によって第1の装置に送信される指示情報は、特に、RLC層における第1の装置のARQモードがホップ毎ARQモードまたはエンドツーエンドARQモードのいずれかであることを示すために使用される。
【０２４９】
S106：第1の装置が、RAN装置によって送信された指示情報を受信する。
【０２５０】
任意的に、S106の後、第1の装置は、指示情報に基づいて、RLC層において自動反復要求ARQモードを決定してもよい。たとえば、指示情報が、ARQモードがホップ毎ARQモードであることを示すために使用される場合、第1の装置は、RLC層における第1の装置のARQモードがホップ毎ARQモードであると決定することができ、または、指示情報が、ARQモードがエンドツーエンドARQモードであることを示すために使用される場合、第1の装置は、RLC層における第1の装置のARQモードがエンドツーエンドARQモードであると決定することができる。
【０２５１】
任意的に、S106の後、本願のこの実施形態において提供される方法は、さらに、第1の装置によって、RAN装置に応答情報を送信することを含む。応答情報は、RAN装置に対して、RLC層における第1の装置のARQモード構成の結果（たとえば、構成が完了した、または構成が部分的に完了した、または構成が失敗したか）を示すために使用され、応答情報は、第1の装置によって生成され、RAN装置に送信されるT1APメッセージまたはRRCメッセージにおいて伝達されうる。
【０２５２】
たとえば、第1の装置が無線バックホール・ノードである場合、応答情報は、F1APメッセージにカプセル化され（この場合、T1APメッセージは、第1の装置の識別子およびRAN装置（CU／ドナー・ノード）の識別子を担持してもよい。RAN装置がCUである例を使うと、ここでの第1の装置の識別子は構成応答を送信するノードが第1の装置であることを決定するために使用され、CUの識別子は、構成応答の宛先ノードがCUであることを決定するために使用される）、DUのような次ホップ・ノードに送られてもよい。次いで、DUはF1インターフェースのプロトコル層でT1APメッセージを処理し、処理されたT1APメッセージをCUに送信する。
【０２５３】
任意的に、本願のこの実施形態では、S106の後、本方法は、さらに：第1の装置によって、フィードバック・メッセージをRAN装置に送信することを含んでいてもよい。ここで、フィードバック・メッセージは、第1の装置がRLC層において第1の装置のARQモードを決定したことを示すために使用される。
【０２５４】
第1の装置がDUである例を使うと、図15に示されるように、本願のさらに別の実施形態においては、本願のこの実施形態において提供される方法は、さらに次のステップを含む。
【０２５５】
S107：RAN装置が、第1の装置のPDCP層を構成するために使用される情報を第1の装置に送信する。第1の装置のPDCP層は、端末にサービスする第2無線バックホール・ノードのPDCP層のピア層である。
【０２５６】
S108：第1の装置が、RAN装置によって送信された、第1の装置のPDCP層を構成するために使用される情報を受信する。
【０２５７】
任意的に、第1の装置のPDCP層を構成するために使用される情報は、PDCP層のセキュリティ保護機能に対応する情報であってもよい。たとえば、第1の装置のPDCP層を構成するために使用される情報は、暗号化／復号機能構成情報（たとえば、暗号化／復号機能が有効にされているかどうか、使用される暗号化／復号アルゴリズム、または暗号化アルゴリズムによって要求される鍵）および完全性保護機能構成情報（たとえば、完全性保護機能が有効にされているかどうか、完全性保護アルゴリズム、または完全性検査アルゴリズム）を含んでいてもよい。第1の装置のパケット・データ収束プロトコルPDCP層を構成するために使用される情報は、さらに、PDCP層の別の機能、たとえば、ヘッダ圧縮機能、パケット複製機能、または並べ替え機能に対応する情報を含んでいてもよい。これは、本願のこの実施形態において限定されない。
【０２５８】
任意的に、第1の装置のPDCP層を構成するために使用される情報は、エア・インターフェース上の第1の装置の一つまたは複数の特定の無線ベアラ／RLCベアラ／論理チャネル／RLCチャネルに限定されてもよく、たとえば、第1の装置によって端末にサービスする第2の無線バックホール・ノードにT1APメッセージを送信するために使用される無線ベアラ／RLCベアラ／論理チャネル／RLCチャネルに限定されてもよく、または、第1の装置によって端末にサービスする第2の無線バックホール・ノードによって送信されるT1APメッセージを受信するために使用される無線ベアラ／RLCベアラ／論理チャネル／RLCチャネルに限定されてもよい。
【０２５９】
任意的に、S108の後に、第1の装置は、PDCP  SDU（たとえば、T1APメッセージ）のために必要なセキュリティ保護を提供するために、第1の装置のPDCP層のセキュリティ保護情報を決定してもよい。
【０２６０】
RAN装置がドナー・ノードの集中ユニットCUまたはドナー・ノードであり、第1の装置が図16に示される第1の無線バックホール・ノードである例を使うと、本願のさらに別の実施形態では、本願のこの実施形態において提供される方法は、以下のステップをさらに含む。
【０２６１】
S109：RAN装置が、第1の装置のPDCP層を構成するために使用される情報を第1の装置に送信する。ここで、第1の装置のPDCP層は、RAN装置のPDCP層のピア層である、またはドナー・ノードのDUのPDCP層のピア層である。
【０２６２】
任意的に、RAN装置は、T1APメッセージまたはRRCメッセージを使用して、第1の装置のPDCP層を構成するために使用される情報を第1の装置に送信する。
【０２６３】
S110：第1の装置が、RAN装置によって送信され、第1の装置のPDCP層を構成するために使用される情報を受信する。ここで、第1の装置のPDCP層は、RAN装置のPDCP層のピア層である、またはドナー・ノードのDUのPDCP層のピア層である。
【０２６４】
任意的に、第1の装置のPDCP層を構成するために使用される情報は、PDCP層のセキュリティ保護機能に対応する情報であってもよい。たとえば、第1の装置のPDCP層を構成するために使用される情報は、暗号化／復号機能構成情報（たとえば、暗号化／復号機能が有効にされているかどうか、使用される暗号化／復号アルゴリズム、または暗号化アルゴリズムによって要求される鍵）および完全性保護機能構成情報（たとえば、完全性保護機能が有効にされているかどうか、完全性保護アルゴリズム、または完全性検査アルゴリズム）を含んでいてもよい。第1の装置のPDCP層を構成するために使用される情報は、さらに、別の機能、たとえば、PDCP層のヘッダ圧縮機能、パケット複製機能、または並べ替え機能に対応する情報を含んでいてもよい。これは、本願のこの実施形態において限定されない。
【０２６５】
任意的に、第1の装置のPDCP層を構成するために使用される情報は、エア・インターフェース上の第1の装置の一つまたは複数の特定の無線ベアラ／RLCベアラ／論理チャネル／RLCチャネルに限定されてもよく、たとえば、第1の装置によってT1APメッセージをRAN装置もしくはドナー・ノードのDUに送信するために使用される無線ベアラ／RLCベアラ／論理チャネル／RLCチャネルに限定されてもよく、または、第1の装置によってRAN装置またはドナー・ノードのDUによって送信されるT1APメッセージを受信するために使用される無線ベアラ／RLCベアラ／論理チャネル／RLCチャネルに限定されてもよい。
【０２６６】
任意的に、S109の後に、本願のこの実施形態において提供される方法は、さらに：PDCP  SDU（たとえば、T1APメッセージ）のために必要なセキュリティ保護を提供するために、第1の装置のPDCP層のセキュリティ保護情報を決定することができる。
【０２６７】
任意的に、S110およびS108の後に、本願のこの実施形態において提供される方法は、さらに、次のステップを含みうる。
【０２６８】
S111：第1の装置は、RAN装置に応答情報を送信する。応答情報は、RAN装置に対して、第1の装置のPDCP層構成の結果（たとえば、構成が完了した、または構成が部分的に完了した、または構成が失敗した）を示すために使用され、第1の装置によって生成されたT1APメッセージまたはRRCメッセージにおいて担持されて、RAN装置に送信されてもよい。
【０２６９】
本願のこの実施形態において、フェーズ1（S101ないし〜S104）、フェーズ2（S105およびS106）、フェーズ3（S107およびS108）、フェーズ4（S109ないしS111）は、4つの独立したフェーズであってもよいことを注意しておくべきである。むろん、4つのフェーズのうちの任意の2つ以上が、実行のために組み合わされてもよい。これは、本願のこの実施形態において限定されない。フェーズ3またはフェーズ4のいずれかが独立して実行される場合、第1の装置は、すでにルーティング構成を有することが理解されうる。この場合、第1の装置によってルーティング構成を取得する仕方は、本願のこの実施形態において限定されない。本願のこの実施形態におけるフェーズ1の仕方を使用することもできるし、別の仕方を使用することもできる。
【０２７０】
前述の4つのフェーズが実行のために組み合わされる場合、RAN装置によって第1の装置に送信される情報（たとえば、構成情報、指示情報、およびPDCP層を構成するために使用される情報）は、同じメッセージにおいて第1の装置に送信されてもよく；または4つのメッセージを使用して該情報を第1の装置を送信してもよく；または、任意の2つ以上の情報が同じメッセージにおいて担持されて第1の装置に送信されてもよい。これは、本願のこの実施形態において限定されない。
【０２７１】
図17は、本願のある実施形態による上りリンク・データ伝送方法を示す。本方法は、以下のステップを含む。
【０２７２】
S201：第2の装置が、T1APメッセージを担持する第1のデータ・パケットを生成する。
【０２７３】
たとえば、第2の装置は、図6に示されるIABノード2、または図6に示されるIABノード2内のチップであってもよい。
【０２７４】
任意的に、第1のデータ・パケットにおいて担持されるメッセージ（ペイロード）は、第2の装置のT1APメッセージであってもよく（第2の装置のT1APメッセージは、第2の装置の子ノードの制御プレーン・メッセージ、たとえば、第2の装置にアクセスする端末装置のRRCメッセージを含んでいてもよい）、または第2の装置のRRCメッセージ、または第2の装置のユーザープレーン・データ、または第2の装置の子ノードのユーザープレーン・データであってもよい。第2の装置の子ノードのユーザープレーン・データは、第2の装置にアクセスする（または第2の装置によってサービスされるセルにアクセスする）UE/MTのユーザープレーン・データである。UE/MTは、端末または端末として機能する無線バックホール・ノードであってもよい。
【０２７５】
一例では、第2の装置とRAN装置との間でT1接続がセットアップされる必要がある場合、第2の装置は、T1接続をCUにセットアップするプロセスを開始する。この場合、第2の装置のT1APメッセージは、T1接続セットアップ要求（T1  setup  request）を担持し、PDCP層のT1APメッセージに対してセキュリティ保護処理が実行され、下位プロトコル層においてT1APメッセージに対して処理が実行された後に、第1のデータ・パケットが取得される。
【０２７６】
別の例では、図6に示される端末が第2の装置（たとえば、IABノード2）を通じてドナーgNodeBにアクセスするプロセスにおいて、端末は、RRCメッセージ（たとえば、RRC接続要求メッセージ）を第2の装置に送信してもよい。この場合、端末からRRCメッセージを受信した後、第2の装置はT1APメッセージを生成する。T1APメッセージは、第2の装置によって端末に割り当てられた第1の識別子（たとえば、IABノード2のT1AP  UE  ID）を含み、PDCP層においてT1APメッセージに対してセキュリティ保護が実行された後に第1のデータ・パケットが得られる。
【０２７７】
さらに別の例では、第2の装置が第1の装置を通じて端末としてネットワークにアクセスする場合、第2の装置は、第1の装置にRRCメッセージ（たとえば、RRC接続要求メッセージ）を送信する。この場合、第1のデータ・パケットは第2の装置のRRCメッセージを担持する。
【０２７８】
任意的に、第1のデータ・パケットが第2の装置のT1APメッセージを担持するか、または第2の装置の子ノードのユーザープレーン・データを担持する場合、第2の装置は、第1のデータ・パケットの適応層ヘッダに、第1のデータ・パケットをルーティングするために使用される適応情報をさらに追加してもよい（たとえば、適応情報は、第1のデータ・パケットを生成する装置を示すために使用されるソース・ノードの識別子、すなわち、第2の装置の識別子を含み；さらに、第1のデータ・パケット内に担持されるメッセージを生成するノードの識別子を含んでいてもよく、ここで、たとえば、第1のデータ・パケットが第2の装置の子ノードのユーザープレーン・データを担持する場合、第1のデータ・パケットの適応層ヘッダ内の情報はさらに、第2の装置の子ノードUE/MTの識別子を含み；さらに、第1のデータ・パケットが送信されるべき装置を示すために使用される、宛先ノードの識別子を含んでいてもよく、たとえばさらに、RAN装置の識別子を含んでいてもよい）。
【０２７９】
任意的に、第2の装置は、第1のデータ・パケットを、第2の装置と第1の装置との間のインターフェース上の無線ベアラ（たとえば、DRBまたはSRB）または該無線ベアラに対応するRLCベアラ／論理チャネル／RLCベアラ（たとえば、DRB/SRBに対応するRLCベアラ／論理チャネル／RLCベアラ）を通じて第1の装置に送信してもよい。
【０２８０】
S202：第2の装置が、第1のデータ・パケットを第1の装置に送信する。ここで、第1のデータ・パケットは、第2の装置の識別子および第1の指示情報を含み、第1の指示情報は、第1のデータ・パケットにおいて担持されるメッセージのタイプを示すために使用され、第1の装置は、伝送経路上の複数の無線バックホール・ノードのうちの第1の無線バックホール・ノードであり、第2の装置は、伝送経路上の複数の無線バックホール・ノードのうちの第2の無線バックホール・ノードである；または、第1の装置は、ドナー・ノードの分散ユニットDUであり、第2の装置は、伝送経路上の少なくとも1つの無線バックホール・ノードのうちの第2の無線バックホール・ノードである。
【０２８１】
たとえば、第1の装置は図6に示されるIABノード1であってもよく、第2の装置は図6に示されるIABノード2であってもよい。
【０２８２】
任意的に、第1の指示情報は、第1のデータ・パケットにおいて担持されるメッセージのタイプが、以下のいずれかでありうることを示すために使用される：T1APメッセージ（すなわち、無線バックホール・ノードのT1APメッセージ、たとえば、第2の装置のT1APメッセージ）、第2の装置のRRCメッセージ、第2の装置のユーザープレーン・データ、および第2の装置の子ノードのユーザープレーン・データ。
【０２８３】
任意的に、第1の指示情報は、適応層、RLC層、またはMAC層で追加されたヘッダ情報において担持されてもよい。たとえば、以下の複数の場合を含むことができる。
【０２８４】
例1：第2の装置が、第2の装置のT1APメッセージおよび第2の装置のRRCメッセージを搬送する（送信する／受信する）ために、同じSRB（または該SRBに対応するRLCベアラ／論理チャネル／RLCチャネル）を使用する場合、第1の指示情報は、RLC層において追加されたヘッダ情報において担持され、第1の指示情報は、少なくとも2つの可能な値を有し、それらの値のうちの2つの値は、第1のデータ・パケットにおいて担持されるメッセージのタイプが、T1APメッセージおよび第2の装置のRRCメッセージであることを示す。
【０２８５】
例2：第2の装置が、第2の装置のT1APメッセージおよび第2の装置の子ノードのユーザープレーン・データを搬送する（送信する／受信する）ために、同じDRB（または該DRBに対応するRLCベアラ／論理チャネル／RLCチャネル）を使用する場合、第1の指示情報は、適応層において追加されたヘッダ情報において担持されてもよく、第1の指示情報は、少なくとも2つの可能な値を有し、それらの値のうちの2つの値は、第1のデータ・パケットにおいて担持されるメッセージのタイプが、T1APメッセージおよび第2の装置の子ノードのユーザープレーン・データであることを示す。
【０２８６】
例3：第2の装置が、第2の装置のT1APメッセージ、第2の装置のユーザープレーン・データ、および第2の装置の子ノードのユーザープレーン・データを搬送する（送信する／受信する）ために、同じDRB（または該DRBに対応するRLCベアラ／論理チャネル／RLCチャネル）を使用する場合、第1の指示情報は、RLC層において追加されるヘッダ情報において担持されてもよく、第1の指示情報は、少なくとも3つの可能な値を有し、それらの値のうちの3つの値は対応して、第1のデータ・パケットにおいて担持されるメッセージのタイプが、第2の装置のT1APメッセージ、ユーザープレーン・データ、および第2の装置の子ノードのユーザープレーン・データであることを示す。
【０２８７】
例4：第2の装置が、第2の装置のユーザープレーン・データおよび第2の装置の子ノードのユーザープレーン・データを搬送する（送信する／受信する）するために同じDRB（または、該DRBに対応するRLCベアラ／論理チャネル／RLCチャネル）を使用する場合、第1の指示情報は、RLC層において追加されるヘッダ情報において担持されてもよく、第1の指示情報は、少なくとも2つの可能な値を有し、それらの値のうちの2つは、第1のデータ・パケットにおいて担持されるメッセージのタイプが対応して、第2の装置のユーザープレーン・データおよび第2の装置の子ノードのユーザープレーン・データであることを示す。
【０２８８】
例5：第2の装置が、第2の装置のT1APメッセージを搬送する（送信する／受信する）ために専用の無線ベアラ（DRB/SRBまたは専用のDRB/SRBに対応するRLCベアラ／論理チャネル／RLCチャネル）を使用する場合、第1の指示情報は、専用の無線ベアラの識別子または専用の無線ベアラに対応するRLCベアラ／RLCチャネルの識別子であって、該識別子は、適応層において追加されるヘッダ情報において担持されるのでもよく、または、第1の指示情報は、専用の無線ベアラに対応する論理チャネルの識別子LCIDであって、該識別子はMAC層において追加されるヘッダ情報において担持されるのでもよい。
【０２８９】
S203：第1の装置が、第2の装置によって送信された第1のデータ・パケットを受信する。
【０２９０】
たとえば、一方では、第1の装置は、第2の装置によって送信された第1のデータ・パケットを直接受信してもよい。この場合、第2の装置は、第1の装置の子ノードである。たとえば、図6において、第1の装置はIABノード1であり、第2の装置はIABノード2である。他方、第1の装置は、代替的に、第1のデータ・パケットを、第1の装置と第2の装置との間の中間ノードを通じて受信してもよい。
【０２９１】
第2の装置が第1の装置の子ノードでない場合、第1の装置によって受信される第1のデータ・パケットは、T1APメッセージを担持し、第1の装置と第2の装置との間の中間ノードによって転送されるデータ・パケットであることが理解されうる。
【０２９２】
S204：第1の装置が、T1APメッセージを担持する第2のデータ・パケットを第3の装置に送信する。ここで、第2のデータ・パケットは、第2の装置の識別子および第2の指示情報を含み、第2の指示情報は、第2のデータ・パケットにおいて担持されるメッセージのタイプを示すために使用される。
【０２９３】
任意的に、第2のデータ・パケットはさらに、第1の装置が第1のデータ・パケットを受信した後に生成される第1の装置のT1APメッセージを担持してもよい。第1のデータ・パケットは、第1の装置のT1APメッセージにおいてカプセル化される。
【０２９４】
たとえば、第1の装置は、伝送経路上の複数の無線バックホール・ノードのうちの第1の無線バックホール・ノードであり、第2の装置は、伝送経路上の複数の無線バックホール・ノードのうちの第2の無線バックホール・ノードであり、第3の装置は、ドナー・ノードの、第2の装置のT1AP層のピア層であるT1AP層を有するCUまたはDU、またはドナー・ノードである。別の例では、第1の装置はドナー・ノードの分散ユニットDUであり、第2の装置は伝送経路上の前記少なくとも1つの無線バックホール・ノードのうちの第2の無線バックホール・ノードであり、第3の装置はドナー・ノードの、第2の装置のT1AP層のピア層であるT1AP層を有する集中ユニットCUである。任意的に、第3の装置は、第2の装置のT1AP層のピア層であるT1AP層を有する。
【０２９５】
任意的に、第2のデータ・パケットにおいて搬送されるメッセージ（ペイロード）は、第1のデータ・パケットにおいて搬送されるメッセージ（ペイロード）である。
【０２９６】
たとえば、第1の装置は図6に示されるIABノード1であってもよく、第2の装置は図6に示されるIABノード2であってもよく、第3の装置は図6に示されるDgNBであってもよい。
【０２９７】
任意に、第2の指示情報は、第2のデータ・パケットにおいて担持されるメッセージのタイプが、以下のいずれかでありうることを示すために使用される：T1APメッセージ（すなわち、無線バックホール・ノードのT1APメッセージ、たとえば、第1の装置または第1の装置の子ノードのT1APメッセージ）、第1の装置のRRCメッセージ、第1の装置のユーザープレーン・データ、および第1の装置の子ノードまたは第1の装置の後裔子ノードのユーザープレーン・データ。第1の装置の後裔子ノードのユーザープレーン・データは、n個（n＞2）のエア・インターフェース・リンクを通じて第1の装置に接続されたUE/MTのユーザープレーン・データである。UE/MTは、端末装置、または端末として機能する無線バックホール・ノードであってもよい。
【０２９８】
任意的に、第1の装置が無線バックホール・ノードである場合、第2の装置の識別子は、適応層において追加されたヘッダ情報において担持されてもよく、第2の指示情報は、適応層、RLC層、またはMAC層において追加されたヘッダ情報において担持されてもよい。たとえば、以下の複数の場合が含まれうる。
【０２９９】
例1：第1の装置が、第1の装置のT1APメッセージおよびRRCメッセージを搬送する（送信する／受信する）ために、同じSRB（または該SRBに対応するRLCベアラ／論理チャネル／RLCチャネル）を使用する場合、第2の指示情報は、RLC層において追加されるヘッダ情報において担持されてもよく、第2の指示情報は、少なくとも2つの可能な値を有し、それらの値の2つは第2のデータ・パケットにおいて担持されるメッセージのタイプが、第1の装置のT1APメッセージおよびRRCメッセージであることを示す。
【０３００】
例2：第1の装置が、第1の装置の子ノードまたは第1の装置の後裔子ノードのT1APメッセージおよびユーザープレーン・データを搬送する（送信する／受信する）ために、同じDRB（または該DRBに対応するRLCベアラ／論理チャネル／RLCチャネル）を使用する場合、第2の指示情報は、適応層で追加されたヘッダ情報において担持されてもよく、第2の指示情報は、少なくとも2つの可能な値を有し、それらの値の2つは、第2のデータ・パケットにおいて担持されるメッセージのタイプが、T1APメッセージおよび第1の装置の子ノードまたは第1の装置の後裔子ノードのユーザープレーン・データであることを示す。
【０３０１】
例3：第1の装置が、T1APメッセージ、第1の装置のユーザープレーン・データ、および第1の装置の子ノードまたは第1の装置の後裔子ノードのユーザープレーン・データを搬送する（送信する／受信する）ために、同じDRB（または該DRBに対応するRLCベアラ／論理チャネル／RLCチャネル）を使用する場合、第2の指示情報は、RLC層において追加されるヘッダ情報において担持され、第2の指示情報は、少なくとも3つの可能な値を有し、それらの値のうちの3つは対応して、第2のデータ・パケットにおいて担持されるメッセージのタイプが、第1の装置のT1APメッセージ、第1の装置のユーザープレーン・データ、および第1の装置の子ノードもしくは第1の装置の後裔子ノードのユーザープレーン・データであることを示す。
【０３０２】
例4：第1の装置が、第1の装置のユーザープレーン・データおよび第1の装置の子ノードもしくは第1の装置の後裔子ノードのユーザープレーン・データを搬送する（送信する／受信する）ために、同じDRB（または該DRBに対応するRLCベアラ／論理チャネル／RLCチャネル）を使用する場合、第2の指示情報は、RLC層において追加されるヘッダ情報において担持されてもよく、第2の指示情報は、少なくとも2つの可能な値を有し、それらの値のうちの2つは対応して、第2のデータ・パケットにおいて担持されるメッセージのタイプが、第1の装置のユーザープレーン・データおよび第1の装置の子ノードまたは第1の装置の後裔子ノードのユーザープレーン・データであることを示す。
【０３０３】
例5：第1の装置が、T1APメッセージを搬送する（送信する／受信する）ために専用の無線ベアラ（DRB/SRBまたは専用のDRB/SRBに対応するRLCベアラ／論理チャネル／RLCチャネル）を使用する場合、第2の指示情報は、専用の無線ベアラの識別子または該専用の無線ベアラに対応するRLCベアラ／RLCチャネルの識別子であって、その識別子は、適応層において追加されたヘッダ情報において担持されるのでもよく、または、第2の指示情報は、専用の無線ベアラに対応する論理チャネルの識別子LCIDであって、その識別子は、MAC層において追加されたヘッダ情報において担持されるのでもよい。
【０３０４】
任意的に、第1の装置がドナー・ノードのDUである場合、第2の装置の識別子および第2の指示情報は、DUとCUとの間のF1インターフェースのプロトコル層（たとえば、F1AP層、SCTP層、IP層、L2層、またはL1層；またはGTP層、UDP層、IP層、L2層、またはL1層；または、適応層）において追加されるヘッダ情報において担持されてもよい。たとえば、以下の複数の場合が含まれうる。
【０３０５】
例6：第1の装置が第2のデータ・パケットをF1インターフェースのユーザープレーンを通じて第3の装置に送信する場合、第2の装置の識別子が、GTP層の拡張ヘッダ・フィールドにおいて担持されてもよく、またはGTP層にあり、第2の装置に対応するTEIDを使用して表わされてもよく、第2の指示情報は、GTP層において拡張ヘッダ・フィールドにおいて担持される。
【０３０６】
例7：第1の装置が第2のデータ・パケットをF1インターフェースの制御プレーンを通じて第3の装置に送信する場合、第2の装置の識別子は、第1の装置によって生成されたF1APメッセージにおいて担持されてもよく、第2の指示情報はさらに、第1の装置のF1APメッセージにおいて担持されてもよい。あるいはまた、特定のタイプのF1APメッセージが定義されてもよく、特別なメッセージ・タイプ・フィールドが、F1APメッセージが無線バックホール・ノードの上りリンクT1APメッセージを担持することを示すために使用される。特殊なメッセージ・タイプが、前記第2の指示情報である。
【０３０７】
例8：第1の装置と第3の装置との間のF1インターフェースがピア適応層を有する場合、第2の装置の識別子および第2の指示情報は、代替的に、適応層に追加されたヘッダ情報において担持されてもよい。
【０３０８】
S205：第3の装置は、第1の装置によって送信された第2のデータ・パケットを受信する。
【０３０９】
S206：第3の装置は、第2のデータ・パケットにおいて担持されるメッセージ（ペイロード）を、受信処理のために、メッセージ（ペイロード）を生成するノードのプロトコル層のピア層であるプロトコル層に送達する。
【０３１０】
たとえば、第3の装置が、第2のデータ・パケットにおいて担持される第2の装置の識別子および第2の指示情報に基づいて、第2のデータ・パケットにおいて担持されるメッセージが第2の装置のT1APメッセージであると判断する場合、第3の装置は、そのT1APメッセージを、受信処理のために第2の装置のT1AP層のピア層であるT1AP層に送達する。
【０３１１】
任意的に、S204の前に、本願のこの実施形態において提供される方法は、さらに：第1の装置によって、第1のデータ・パケットにおいて担持されるメッセージのタイプを決定することを含む。
【０３１２】
たとえば、第1のデータ・パケットにおいて担持されるメッセージのタイプがT1APメッセージである場合、ある可能な実装では、第1の装置が第1のデータ・パケットにおいて担持されるメッセージのタイプがT1APメッセージであると判断することは、次のようにして実装されうる：第1の装置が、第1の指示情報が、第1のデータ・パケットにおいて担持されるメッセージのタイプがT1APメッセージであることを示すために使われていると判断した場合、第1の装置は、第1のデータ・パケットにおいて担持されるメッセージのタイプがT1APメッセージであると判断する。別の可能な実装では、第1の装置が第1のデータ・パケットにおいて担持されるメッセージのタイプがT1APメッセージであると判断することは、次のようにして実装されうる：第1のデータ・パケットが、第1のデータ・パケットを専用の無線ベアラ（または、専用の無線ベアラに対応するRLCベアラ／論理チャネル／RLCチャネル）を通じて受信した場合、第1の装置は、第1のデータ・パケットにおいて担持されるメッセージのタイプがT1APメッセージであると判断する。
【０３１３】
S206の後は、第2の装置によって送信されたT1APメッセージが第2の装置のRRCメッセージを含む例が使用されることが理解されうる。T1APメッセージを担持する第2のデータ・パケットを受信した後、第1の装置は、第2のデータ・パケットをパースして、T1APメッセージを取得する。第3の装置のPDCP層のピア層であるPDCP層においてT1APメッセージに対してセキュリティ処理を実行した後、第1の装置は、第3の装置のF1AP層のピア層であるF1AP層において、処理されたT1APメッセージに対して受信処理を実行し、次いで、F1APメッセージを用いて第3の装置にT1APメッセージを送信する。次いで、第3の装置は、第1の装置によって送信されたF1APメッセージをパースしてT1APメッセージを取得し、さらにT1APメッセージをパースしてT1APメッセージにおいて搬送されるRRCメッセージを取得する。第3の装置は、ルーティング情報における第2の装置の識別子に基づいて、RRCメッセージが第2の装置からのものであることを決定し、アクセス制御を実行してもよい。
【０３１４】
本願の別の実施形態では、図18は、本願のある実施形態による下りリンク・データ伝送方法を示す。この方法は、以下のステップを含む。
【０３１５】
S301：第3の装置が第1のデータ・パケットを生成する。
【０３１６】
たとえば、第3の装置は、図6に示されるドナーgNodeB、またはドナーgNodeBに適用されるチップであってもよく；またはドナーgNodeBのCU、またはドナーgNodeBのCUに適用されるチップであってもよい。
【０３１７】
任意的に、第1のデータ・パケットにおいて担持されるメッセージ（ペイロード）は、第2の装置に送信されるT1APメッセージ（ここで、第2の装置のT1APメッセージは、第2の装置の子ノードの制御プレーン・メッセージについての応答メッセージ、たとえば、第2の装置にアクセスする端末のRRCメッセージについての応答メッセージを含んでいてもよい）、または第2の装置に送信されるRRCメッセージ（たとえば、第2の装置に送信されるRRC接続設定メッセージ）、または第2の装置に送信されるユーザープレーン・データ、または第2の装置の子ノードに送信されるユーザープレーン・データであってもよい。第2の装置の子ノードに送信されるユーザープレーン・データは、第2の装置にアクセスする（または第2の装置によってサービスされるセルにアクセスする）UEのユーザープレーン・データである。UEは、端末または端末として機能する無線バックホール・ノードであってもよい。
【０３１８】
たとえば、第2の装置は第1の装置を通じて第3の装置にRRC接続要求メッセージを送信する。第3の装置が第2の装置のアクセスを許可した後、第3の装置は、第1の装置に送信されるT1APメッセージを生成する。第1の装置に送信されるT1APメッセージは、ペイロード（ペイロード）1を含む（ここで、ペイロード1は、第2の装置に送信されるRRCメッセージを含む（ここでのRRCメッセージは、応答メッセージであり、たとえば、第2の装置によって送信されるRRCメッセージについてのRRC接続セットアップ・メッセージである））を含む。第3の装置は、第2の装置のPDCP層のピア層であるPDCP層において、第2の装置に送信されるT1APメッセージを処理してもよい。PDCP層で処理されるT1APメッセージはペイロード2と考えられ、第1のデータ・パケットにおいて搬送される。
【０３１９】
任意的に、第1のデータ・パケットが第2の装置のT1APメッセージを担持する、または第2の装置の子ノードのユーザープレーン・データを担持する場合、第3の装置は、第1のデータ・パケットに、第1のデータ・パケットをルーティングするために使用される適応情報を追加してもよい（たとえば、第1のデータ・パケットをルーティングするために使用される適応情報は、第1のデータ・パケットを生成する装置を示すために使用されるソース・ノードの識別子、すなわち、第3の装置の識別子を含む；第1のデータ・パケットをルーティングするために使用される適応情報は、第1のデータ・パケットにおいて担持されるメッセージの宛先ノードの識別子をさらに含んでいてもよく、たとえば、第1のデータ・パケットが第2の装置の子ノードのユーザープレーン・データを担持する場合、第1のデータ・パケットの適応層ヘッダ内の情報は、第2の装置の子ノードUEの識別子をさらに含み；第1のデータ・パケットをルーティングするために使用される適応情報はさらに、第1のデータ・パケットが送信される装置を示すために使用されるT1APメッセージの宛先ノードの識別子を含んでいてもよく、たとえば第2の装置の識別子をさらに含んでいてもよい）。
【０３２０】
S302：第3の装置は第1の装置に第1のデータ・パケットを送信する。
【０３２１】
第1のデータ・パケットは、第2の装置の識別子および第1の指示情報を担持する。
【０３２２】
第1の指示情報は、第1のデータ・パケットにおいて担持されるメッセージのタイプを示すために使用される。第1の装置は、伝送経路上の複数の無線バックホール・ノードのうちの第1の無線バックホール・ノードであり、第2の装置は、伝送経路上の複数の無線バックホール・ノードのうちの第2の無線バックホール・ノードであり、第3の装置は、ドナー・ノードの、第2の装置のT1AP層のピア層であるT1AP層を有するDU、またはドナー・ノードである。あるいはまた、第1の装置はドナー・ノードのDUであり、第2の装置は伝送経路上の少なくとも1つの無線バックホール・ノード内の第2の無線バックホール・ノードであり、第3の装置はドナー・ノードの、第2の装置のT1AP層のピア層であるT1AP層を有するCUである。
【０３２３】
たとえば、第1の装置は、図6に示されるIABノード1またはIABノード1に適用されるチップであってもよい。
【０３２４】
任意的に、第1の指示情報は、第1のデータ・パケットにおいて担持されるメッセージのタイプが、T1APメッセージ（すなわち、無線バックホール・ノードのT1APメッセージ、たとえば、第1の装置または第2の装置のT1APメッセージ）、第1の装置のRRCメッセージ、第1の装置のユーザープレーン・データ、および第1の装置の子ノードのユーザープレーン・データのうちの任意のものでありうることを示すために使用される。
【０３２５】
任意的に、第1の装置が無線バックホール・ノードである場合、第2の装置の識別子は、適応層において追加されたヘッダ情報において担持されてもよく、第1の指示情報は、適応層、RLC層、またはMAC層において追加されたヘッダ情報において担持されてもよい。たとえば、以下の複数の場合が含まれうる。
【０３２６】
例1：第3の装置が、第2の装置のT1APメッセージおよび第1の装置のRRCメッセージを搬送する（送信する／受信する）するために、同じSRB（または該SRBに対応するRLCベアラ／論理チャネル／RLCチャネル）を使用する場合、第1の指示情報は、RLC層において追加されるヘッダ情報において担持され、第1の指示情報は、少なくとも2つの可能な値を有し、それらの値のうちの2つは、第1のデータ・パケットにおいて担持されるメッセージのタイプが、T1APメッセージおよび第1の装置のRRCメッセージであることを示す。
【０３２７】
例2：第3の装置が、第1の装置の子ノードのT1APメッセージおよびユーザープレーン・データを搬送する（送信する／受信する）ために、同じDRB（または該DRBに対応するRLCベアラ／論理チャネル／RLCチャネル）を使用する場合、第1の指示情報は、適応層において追加されるヘッダ情報において担持されてもよく、第1の指示情報は、少なくとも2つの可能な値を有し、それらの値のうちの2つは第1のデータ・パケットにおいて担持されるメッセージのタイプが、T1APメッセージおよび第1の装置の子ノードのユーザープレーン・データであることを示す。
【０３２８】
例3：第3の装置が、T1APメッセージ、第1の装置のユーザープレーン・データ、および第1の装置の子ノードのユーザープレーン・データを搬送する（送信する／受信する）ために、同じDRB（または該DRBに対応するRLCベアラ／論理チャネル／RLCチャネル）を使用する場合、第1の指示情報は、RLC層に追加されたヘッダ情報において担持されてもよく、第1の指示情報は、少なくとも3つの可能な値を有し、それらの値のうちの3つは、対応して、第1のデータ・パケットにおいて担持されるメッセージのタイプが、T1APメッセージ、第1の装置のユーザープレーン・データ、および第1の装置の子ノードのユーザープレーン・データであることを示す。
【０３２９】
例4：第3の装置が、第1の装置のユーザープレーン・データおよび第1の装置の子ノードのユーザープレーン・データを搬送する（送信する／受信する）ために、同じDRB（または該DRBに対応するRLCベアラ／論理チャネル／RLCチャネル）を使用する場合、第1の指示情報は、RLC層において追加されるヘッダ情報において担持されてもよく、第1の指示情報は、少なくとも2つの可能な値を有し、それらの値のうちの2つは対応して、第1のデータ・パケットにおいて担持されるメッセージのタイプが、第1の装置のユーザープレーン・データおよび第1の装置の子ノードのユーザープレーン・データであることを示す。
【０３３０】
例5：第3の装置が、T1APメッセージを搬送する（送信する／受信する）ために専用の無線ベアラ（DRB/SRBまたは専用のDRB/SRBに対応するRLCベアラ／論理チャネル／RLCチャネル）を使用する場合、第1の指示情報は、専用の無線ベアラの識別子または該専用の無線ベアラに対応するRLCベアラ／RLCチャネルの識別子であって、その識別子は、適応層において追加されたヘッダ情報において担持されるのでもよく、または第1の指示情報は、専用の無線ベアラに対応する論理チャネルの識別子LCIDであって、その識別子はMAC層において追加されたヘッダ情報において担持されるのであってもよい。
【０３３１】
任意的に、第3の装置がCUであり、第1の装置がドナー・ノードのDUである場合、第2の装置の識別子および第2の指示情報は、DUとCU間のF1インターフェースのプロトコル層（たとえば、F1AP層、SCTP層、IP層、L2層、またはL1層；またはGTP層、UDP層、IP層、L2層、またはL1層；または適応層）において追加されるヘッダ情報において担持されてもよい。たとえば、以下の複数の場合が含まれうる。
【０３３２】
例6：第3の装置がF1インターフェースのユーザープレーンを通じて第1の装置に第1のデータ・パケットを送信する場合、第2の装置の識別子は、GTP層の拡張ヘッダ・フィールドにおいて担持されてもよくまたはGTP層にあり、第2の装置に対応するTEIDを用いて表現されてもよく、第1の指示情報はGTP層において拡張ヘッダ・フィールドにおいて担持されてもよい。
【０３３３】
例7：第3の装置が第1の装置に第1のデータ・パケットをF1インターフェースの制御プレーンを通じて送信する場合、第2の装置の識別子は、第1の装置によって生成されたF1APメッセージにおいて担持されてもよく、第1の指示情報は、第1の装置のF1APメッセージにおいてさらに担持されてもよい。あるいはまた、特定のタイプのF1APメッセージが定義されてもよく、特別なメッセージ・タイプ・フィールドが、F1APメッセージが無線バックホール・ノードの上りリンクT1APメッセージを担持することを示すために使用される。特殊なメッセージ・タイプが前記第1の指示情報である。
【０３３４】
例8：第3の装置と第1の装置との間のF1インターフェースがピア適応層を有する場合、第2の装置の識別子および第1の指示情報は、さらに、適応層において追加されたヘッダ情報において担持されてもよい。あるいはまた、第2の装置の識別子は、適応層において追加されたヘッダ情報にあり、第1の指示情報は、F1インターフェースの別のプロトコル層（たとえば、F1AP層またはGTP層）において処理において担持される。
【０３３５】
S303：第1の装置は、第3の装置によって送信された第1のデータ・パケットを受信する。
【０３３６】
たとえば、第1の装置は、第3の装置によって送信された第1のデータ・パケットを直接受信してもよい。この場合、第1の装置は第3の装置の子ノードである。たとえば、第3の装置はCUであり、第1の装置はDUであってもよい。DUは、F1APメッセージのタイプに基づいてパースすることを通じて、F1APメッセージからペイロード2を取得する。DUはF1APメッセージ内の適応情報を、ペイロード2以外の適応情報に追加する。
【０３３７】
別の例として、第3の装置はDUであってもよく、第1の装置は図6に示されるIABノード1であってもよい。
【０３３８】
たとえば、第1の装置は、第3の装置によって送信された第1のデータ・パケットを直接受信してもよい。この場合、第1の装置は第3の装置の子ノードである。第3の装置はCUであり、たとえば、第1の装置は、図6に示されるIABノード1であってもよい。
【０３３９】
S304：第1の装置が、第2の装置に第2のデータ・パケットを送信する。第2のデータ・パケットは、第2の装置の識別子および第2の指示情報を含み、第2の指示情報は、第2のデータ・パケットにおいて担持されるメッセージのタイプを示すために使用される。
【０３４０】
具体的には、第1の装置が第2の装置に第2のデータ・パケットを送信する仕方については、前述の実施形態において第2の装置が第1の装置に第1のデータ・パケットを送信するプロセスを参照されたい。本願のこの実施形態において、ここに再び詳細を記述することはしない。
【０３４１】
任意的に、第2の指示情報は、第2のデータ・パケットにおいて担持されるメッセージのタイプが、以下のいずれかでありうることを示すために使用される：T1APメッセージ（すなわち、無線バックホール・ノードのT1APメッセージ、たとえば、第2の装置のT1APメッセージ）、第2の装置のRRCメッセージ、第2の装置のユーザープレーン・データ、および第2の装置の子ノードまたは第2の装置の後裔子ノードのユーザープレーン・データ。
【０３４２】
任意的に、第2の装置の識別子は、適応層において追加されたヘッダ情報において担持されてもよく、第2の指示情報は、適応層、RLC層、またはMAC層において追加されたヘッダ情報において担持されてもよい。たとえば、第2の指示情報を搬送する鹿について、以下の複数の場合がありうる。
【０３４３】
例1：第1の装置が、第2の装置のT1APメッセージおよび第2の装置のRRCメッセージを搬送する（送信する／受信する）ために、同じSRB（または該SRBに対応するRLCベアラ／論理チャネル／RLCチャネル）を使用する場合、第2の指示情報は、RLC層において追加されるヘッダ情報において担持されてもよく、第2の指示情報は、少なくとも2つの可能な値を有し、それらの値のうちの2つは第2のデータ・パケットにおいて担持されるメッセージのタイプが、T1APメッセージおよび第2の装置のRRCメッセージであることを示す。
【０３４４】
例2：第1の装置が、第2の装置のT1APメッセージおよび第2の装置の子ノードのユーザープレーン・データを搬送する（送信する／受信する）ために、同じDRB（または該DRBに対応するRLCベアラ／論理チャネル／RLCチャネル）を使用する場合、第2の指示情報は、適応層において追加されたヘッダ情報において担持されてもよく、第2の指示情報は、少なくとも2つの可能な値を有し、それらの値のうちの2つは、第2のデータ・パケットにおいて担持されるメッセージのタイプがT1APメッセージおよび第2の装置の子ノードのユーザープレーン・データであることを示す。
【０３４５】
例3：第2の装置が、第2の装置のT1APメッセージ、第2の装置のユーザープレーン・データ、および第2の装置の子ノードのユーザープレーン・データを搬送する（送信する／受信する）ために、同じDRB（または該DRBに対応するRLCベアラ／論理チャネル／RLCチャネル）を使用する場合、第2の指示情報は、RLC層に追加されたヘッダ情報において担持されてもよく、第2の指示情報は、少なくとも3つの可能な値を有し、それらの値のうちの3つは、対応して、第2のデータ・パケットにおいて担持されるメッセージのタイプが、第2の装置のT1APメッセージ、ユーザープレーン・データ、および第2の装置の子ノードのユーザープレーン・データであることを示す。
【０３４６】
例4：第1の装置が、第2の装置のユーザープレーン・データおよび第2の装置の子ノードのユーザープレーン・データを搬送する（送信する／受信する）ために、同じDRB（または該DRBに対応するRLCベアラ／論理チャネル／RLCチャネル）を使用する場合、第2の指示情報は、RLC層において追加されるヘッダ情報において担持されてもよく、第2の指示情報は、少なくとも2つの可能な値を有し、それらの値のうちの2つは対応して、第2のデータ・パケットにおいて担持されるメッセージのタイプが、第2の装置のユーザープレーン・データおよび第2の装置の子ノードのユーザープレーン・データであることを示す。
【０３４７】
例5：第1の装置が、第2の装置のT1APメッセージを搬送する（送信する／受信する）ために専用の無線ベアラ（DRB/SRBまたは専用のDRB/SRBに対応するRLCベアラ／論理チャネル／RLCチャネル）を使用する場合、第2の指示情報は、専用の無線ベアラの識別子または該専用の無線ベアラに対応するRLCベアラ／RLCチャネルの識別子であり、該識別子は、第2のデータ・パケットに含まれ、適応層において追加されるヘッダ情報において担持されるのであってもよく、あるいは、第2の指示情報は、専用の無線ベアラに対応する論理チャネルの識別子LCIDであって、MAC層において追加されるヘッダ情報において担持されるのであってもよい。
【０３４８】
たとえば、F1APメッセージを受信した後、第1の装置は、F1APメッセージからT1APメッセージを抽出し、さらに、T1APメッセージからペイロード1（すなわち、CUによってIABノード2に送信されたRRCメッセージがその中にカプセル化されている部分）と、T1APメッセージに含まれ、第1の装置によって第2の装置と第3の装置との間のT1接続上で第2の装置に割り当てられた識別子とを抽出して、ペイロード1が第2の装置に送信される必要があることを判別する。
【０３４９】
S305：第2の装置が、第1の装置によって送信された第2のデータ・パケットを受信する。
【０３５０】
S306：第2の装置が、第2のデータ・パケットにおいて搬送されたメッセージ（ペイロード）を、受信処理のために、該メッセージ（ペイロード）を生成するノードのプロトコル層のピア層であるプロトコル層に送達する。
【０３５１】
たとえば、第2の装置が、第2の装置の識別子と、第2のデータ・パケットにおいて担持される第2の指示情報とに基づいて、第2のデータ・パケットにおいて担持されるメッセージが第2の装置のT1APメッセージであると判断した場合、第2の装置は、該T1APメッセージを、受信処理のために、第3の装置のT1AP層のピア層であるT1AP層に送達する。
【０３５２】
任意的に、S304の前に、本願のこの実施形態において提供される方法は、さらに：第1の装置によって、第1のデータ・パケットにおいて担持されるメッセージのタイプを決定することを含む。具体的には、第1の装置によって第1のデータ・パケットにおいて担持されるメッセージのタイプを決定する仕方については、前述の上りリンク・データ伝送プロセスにおいて記載された解決策を参照されたい。本願のこの実施形態において、ここで詳細を再び述べることはしない。
【０３５３】
以下の実施形態では、IABノード2が図6にされるネットワーク・トポロジーおよび図9から図12に示されるプロトコル・スタック・アーキテクチャーに基づくネットワークにアクセスする例が、IABノードのネットワーク・アクセス手順と、CUがIABノード1の適応層およびDUの適応層を構成するプロセスとを記述するために使用される。図19A、図19B、および図19Cに示されるように、本願において提供される方法は、以下のステップを含む。
【０３５４】
S401：IABノード2が、IABノード1にRRCメッセージを送信する。
【０３５５】
たとえば、RRCメッセージは、RRC接続セットアップ要求メッセージであってもよい。
【０３５６】
S402：IABノード1が、IABノード2によって送信されたRRCメッセージを受信する。
【０３５７】
S403：IABノード1が上りリンクT1APメッセージを生成する。ここで、上りリンクT1APメッセージはペイロード（ペイロード1）を含み、ペイロード1はIABノード2のRRCメッセージを含む。
【０３５８】
任意的に、IABノード1の子ノードのRRCメッセージがその中にカプセル化される上りリンクT1APメッセージのメッセージ・タイプ（message  type）は、たとえば、上りリンクRRC転送（UL  RRC  transfer）または初期上りリンクRRC転送（initial  UL  RRC  transfer）であってもよい。
【０３５９】
任意的に、上りリンクT1APメッセージは、第1の識別子、たとえば、IABノード1によってIABノード1とCUとの間のT1接続上でIABノード2に割り当てられたIABノードT1AP  IABノード2  IDを含む。
【０３６０】
任意的に、上りリンクT1APメッセージは、IABノード1によってIABノード2に割り当てられた第1の識別子（たとえば、IAB  node  1  T1AP  IAB  node  2  ID）を含み、第1の識別子は、IABノード1とCUとの間のT1インターフェース上でIABノード2を識別するために使用される。PDCP層における上りリンクT1APメッセージに対する処理（たとえば、暗号化および完全性保護の実行）後、IABノード1はペイロード2（payload  2）を取得し、次いで適応層ヘッダ情報を追加するためにペイロード2を適応層に送達する。適応層ヘッダ情報は、ルーティング情報を含む。ルーティング情報は、たとえば、IABノード1の識別子およびCUの識別子を含む。IABノード1の識別子は、上りリンクT1APメッセージのソース・ノードがIABノード1であることを示すために使用される。CUの識別子は、上りリンクT1APメッセージの宛先ノードがCUであることを示すために使用される。
S404：IABノード1は、SRBを通じてDUに第1のデータ・パケットを送信する。ここで、第1のデータ・パケットは上りリンクT1APメッセージのペイロード2を担持する。
【０３６１】
第1のデータ・パケットは、IABノード1の識別子をさらに含む。任意的に、第1のデータ・パケットは、CUの識別子をさらに含む。
【０３６２】
第1のデータ・パケットは、さらに第1の指示情報を含み、第1の指示情報は、該データ・パケットにおいて担持されるメッセージのタイプがT1APメッセージであることを示すために使用される。第1のデータ・パケットが第1の指示情報を担持する仕方は、次のうちの一つでありうる：態様例1：IABノード1が、T1APメッセージおよびIABノード1のRRCメッセージを搬送する（送信する／受信する）ために、同じSRB（または該SRBに対応するRLCベアラ／論理チャネル／RLCチャネル）を使用する場合、第1の指示情報は、第1のデータ・パケットの、RLC層において追加されるヘッダ情報において担持されてもよい。
【０３６３】
態様例2：IABノード1が、IABノード1の子ノードのT1APメッセージおよびユーザープレーン・データを搬送する（送信する／受信する）するために、同じDRB（または、該DRBに対応するRLCベアラ／論理チャネル／RLCチャネル）を使用する場合、第1の指示情報は、第1のデータ・パケットの、適応層において追加されるヘッダ情報において担持されてもよい。
【０３６４】
態様例3：IABノード1が、T1APメッセージ、IABノード1のユーザープレーン・データ、IABノード1の子ノードのユーザープレーン・データを搬送する（送信する／受信する）ために、同じDRB（または、該DRBに対応するRLCベアラ／論理チャネル／RLCチャネル）を使用する場合、第1の指示情報は、第1のデータ・パケットの、RLC層において追加されるヘッダ情報において担持される。
【０３６５】
態様例4：IABノード1が、T1APメッセージを搬送する（送信する／受信する）ために専用の無線ベアラ（DRB/SRB、または専用のDRB/SRBに対応するRLCベアラ／論理チャネル／RLCチャネル）を使用する場合、第1の指示情報は、専用の無線ベアラの識別子、または該専用の無線ベアラに対応するRLCベアラ／RLCチャネルの識別子であって、その識別子は、第1のデータ・パケットの、適応層において追加されるヘッダ情報において担持されるのでもよく、または、第1の指示情報は、専用の無線ベアラに対応する論理チャネルの識別子LCIDであって、その識別子は、第1のデータ・パケットの、MAC層において追加されるヘッダ情報において担持されるのであってもよい。
【０３６６】
S404:IABノード1が、第1のデータ・パケットをDUに送信する。
【０３６７】
S405：DUは、IABノード1によって送信された第1のデータ・パケットを受信し、第1のデータ・パケットにおいて担持されるIABノード1の識別子および第1の指示情報に基づいて、第1のデータ・パケットがIABノード1のT1APメッセージを担持することを判別する。次いで、DUは第1のデータ・パケットを処理してペイロード2を得て、ペイロード2をF1インターフェースのプロトコル層において処理し、カプセル化して、第2のデータ・パケットを得る。DUはペイロード2を以下の方法うちの一つで、F1インターフェースのプロトコル層において処理し、カプセル化することができる。
【０３６８】
態様オプション1：図11に示されるプロトコル・スタック・アーキテクチャーを例として使うと、F1インターフェースの制御プレーンは、F1AP層、SCTP層、IP層、L2層、L1層を含む。DUは、F1AP層での処理を通じて、CUに送信される上りリンクF1APメッセージを生成し、ここで、上りリンクF1APメッセージはペイロード2、IABノード1の識別子、および第2の指示情報を担持し、第2の指示情報は、F1APメッセージが無線バックホール・ノードのT1APメッセージを担持することを示すために使用される。たとえば、DUによって生成され、その中にペイロード2がカプセル化される上りリンクF1APメッセージは、新しく定義された上りリンクF1APメッセージ・タイプ（たとえば、新しく定義された上りリンクF1APメッセージ・タイプは、上りリンクIAB  T1AP転送（UL  IAB  T1AP  transfer）であってもよい）であってもよく、IABノードの上りリンクT1APメッセージを担持するために使用され、F1APメッセージに含まれるメッセージ・タイプ（message  type）フィールドに満たされた内容が前記第2の指示情報である。任意的に、DUによって生成され、CUに送られる上りリンクF1APメッセージは、さらにCUの識別子を担持してもよい。任意的に、第2の指示情報およびIABノード1の識別子は、さらに、F1インターフェースの別のプロトコル層（F1AP層以外のプロトコル層）のヘッダ情報において担持されてもよい。
【０３６９】
態様オプション2：図11に示されるプロトコル・スタック・アーキテクチャーを例として使うと、F1インターフェースのユーザープレーンは、GTP層、UDP層、IP層、L2層、およびL1層を含む。DUは、GTP層での処理を通じて、CUに送られる上りリンクGTP  PDUを生成する。上りリンクGTP  PDUはペイロード2を担持する。第2の指示情報は、さらに、GTP  PDUにおいて担持されてもよく（たとえば、第2の指示情報は、GTP拡張ヘッダ・フィールドにおいて担持される）、第2の指示情報は、GTP  PDUが無線バックホール・ノードのT1APメッセージを担持することを示すために使用される。GTP  PDUは、さらに、IABノード1の識別子（たとえば、IABノード1の識別子は、GTP拡張ヘッダ・フィールドにおいて担持される）を担持してもよい。あるいはまた、GTPヘッダ・フィールド内のTEIDがIABノード1のDRBに一意的にマッピングされる場合、IABノード1の識別子はGTP  PDUで追加的に担持される必要はなく、すなわち、IABノード1はTEIDを使用して表現することができる。任意的に、DUによって生成され、CUに送信される上りリンクGTP  PDUにおいて、CUの識別子は、たとえば、GTP拡張ヘッダ・フィールドにおいてさらに担持されてもよい。任意的に、第2の指示情報およびIABノード1の識別子は、さらに、F1インターフェースの別のプロトコル層（GTP層以外のプロトコル層）のヘッダ情報において担持されてもよい。
【０３７０】
態様オプション3：図12に示されるプロトコル・スタック・アーキテクチャーを例として使うと、DUが、IABノードとCUとの間の制御プレーン・メッセージのプロキシ・ノードとして機能するので、DUは、T1APメッセージとF1APメッセージとの間の変換を実行する必要がある。このアーキテクチャーでは、DUは、まず、IABノード1のPDCP層のピア層であるPDCP層においてペイロード2に対して受信処理（たとえば、復号および完全性検査）を実行し、T1APメッセージを取得し、次いで、T1APメッセージの内容を、DUによって生成される上りリンクF1APメッセージ中にカプセル化し、上りリンクF1APメッセージをCUに送信する。任意的に、DUによって生成されたF1APメッセージは、IABノード1の識別子を含んでいてもよく、さらに第2の指示情報を含んでいてもよい。任意的に、DUによって生成され、CUに送られる上りリンクF1APメッセージは、さらにCUの識別子を担持してもよい。任意的に、第2の指示情報およびIABノード1の識別子は、さらに、F1インターフェースの別のプロトコル層（F1AP層以外のプロトコル層）のヘッダ情報において担持されてもよい。
【０３７１】
任意的に、態様オプション3において、DUがプロキシ・ノードとして機能する。UE関連のT1APメッセージについて、DUはUEに、DUとIABノードとの間のT1インターフェース上でのUEを表わす第1のUE識別子（たとえば、DU  T1AP  UE  ID）を割り当て、第1のUE識別子は、UEを識別するためにT1APメッセージにおいて担持されてもよい。DUはさらに、DUとCUの間のF1インターフェース上でUEを表わすために第2のUE識別子（たとえばDU  F1AP  UE  ID）をUEに割り当てる。第2のUE識別子は、UEを識別するために、F1APメッセージにおいて担持されてもよい。ドナーDUは、第1のUE識別子と第2のUE識別子との間の対応、およびUEとUEのためのアクセス・サービスを提供するIABノードとの間の対応を維持する。UE独立なT1APメッセージについては、IABノードの識別子は、DUとCUの間でF1APメッセージにおいて対応して搬送され、F1APメッセージに含まれる内容がそこからくる、またはそこに送信される必要があるIABノードを示すために使用される。
【０３７２】
態様オプション4：図22に示されるプロトコル・スタック・アーキテクチャーを例として使うと、DUとCUとの間のF1インターフェースがピア適応層を有する場合、DUはまず、適応層においてペイロード2を処理し、次いでペイロード2をF1AP層、SCTP層、IP層、L2層、L1層において順次処理するか、あるいはペイロード2をGTP層、UDP層、IP層、L2層、L1層において順次処理する。DUは、適応層のヘッダ情報に、IABノード1の識別子と第2の指示情報を追加してもよい。あるいはまた、DUは、適応層のヘッダ情報内にIABノード1の識別子を含め、適応層での処理を通じて得られた適応PDUを上りリンクF1APメッセージにカプセル化し、上りリンクF1APメッセージをCUに送信し、ここで、上りリンクF1APメッセージが第2の指示情報を担持する。あるいはまた、DUは、適応層のヘッダ情報内にIABノード1の識別子を含め、適応層での処理を通じて得られた適応PDUを上りリンクGTP  PDUにカプセル化し、上りリンクGTP  PDUをCUに送信し、ここで、上りリンクGTP  PDU（たとえば、GTP拡張ヘッダ・フィールド）が第2の指示情報を担持する。任意的に、DUは、適応層のヘッダ情報にCUの識別子をさらに含めてもよい。任意的に、第2の指示情報およびIABノード1の識別子は、さらに、F1インターフェースの別のプロトコル層（F1AP層、GTP層、および適応層以外のプロトコル層）のヘッダ情報において担持されてもよい。
【０３７３】
態様オプション5：図24に示されるプロトコル・スタック・アーキテクチャーを例として使うと、DUとCUとの間で、F1インターフェースの制御プレーン・プロトコル層（F1AP層、SCTP層、IP層、L2層、およびL1層を含む）が使用される。DUは、IABノード1の適応層での処理を通じて得られ、ペイロード2を含んでいる適応PDUを上りリンクF1APメッセージにカプセル化し、該上りリンクF1APメッセージをCUに送ってもよく、ここで、上りリンクF1APメッセージは、第2の指示情報を担持する。あるいはまた、F1インターフェースのユーザープレーン・プロトコル層（GTP層、UDP層、IP層、L2層、およびL1層を含む）が使用される。DUは、IABノード1の適応層での処理を通じて得られ、ペイロード2を含んでいる適応PDUを上りリンクGTP  PDUにカプセル化し、該上りリンクGTP  PDUをCUに送ってもよく、上りリンクGTP  PDU（たとえば、GTP拡張ヘッダ・フィールド）は、第2の指示情報を担持する。任意的に、IABノード1の適応層は、ペイロード2がIABノード1の適応層において処理された後に追加される適応層ヘッダ情報において、IABノード1の識別子またはCUの識別子を含んでいてもよい。
【０３７４】
S406：DUが、ペイロード2がカプセル化された第2のデータ・パケットをCUに送信する。
【０３７５】
S407：CUが、第2のデータ・パケットをパースして、ペイロード2を得る。IABノード1のPDCP層のピア層であるPDCP層においてペイロード2を処理した後、CUは、IABノード1によって送信された上りリンクT1APメッセージを取得し、さらに、上りリンクT1APメッセージをカプセル化解除して、ペイロード1においてIABノード2によって送られたRRCメッセージを取得する。
【０３７６】
第2のデータ・パケットは、IABノード1の識別子と第2の指示情報を担持する。このようにして、DUによって送信された第2のデータ・パケットを受信した後、CUは、第2のデータ・パケットがIABノード1のT1APメッセージを担持していることを決定し、T1APメッセージ内のペイロード1をパースした後、CUは、さらに、IABノード2がIABノード1を通じてネットワークにアクセスすることを決定してもよい。
【０３７７】
任意的に、CUは、IABノード1のT1APメッセージを参照して、IABノード2に対するアクセス制御を実行して、IABノード2のアクセスが許容されるかどうかを決定してもよい。たとえば、IABノード1は、上りリンクT1APメッセージを使用して、IABノード2の受付制御結果をCUに通知する（たとえば、DUとCUとの間の場合と同様に、IABノード1によって生成される初期UL  RRCメッセージ転送は、IAB  node  1  to  CU  RRCメッセージを含まない）。IABノード1によって送信されるF1APメッセージが、IABノード1がIABノード2のアクセスを拒否することを示す場合、CUは、接続セットアップを拒否するためのRRCメッセージを生成し、該RRCメッセージをIABノード1を通じてIABノード2に送信してもよい。CUが、IABノード2のアクセスが許可されることを決定した後、CUは、RRC接続をセットアップするようIABノード2に指示するRRCメッセージを生成し、該RRCメッセージをIABノード1を通じてIABノード2に送信してもよい。
【０３７８】
CUは、IABノード1に送信される下りリンクT1APメッセージを生成してもよい。下りリンクT1APメッセージは、IABノード2に送られるRRCメッセージ（たとえば、RRC接続セットアップ・メッセージ、RRC  Connection  Setup）を含み、該RRCメッセージは、CUおよびIABノード2のピアPDCP層で処理された後、ペイロード3として使用されうる。下りリンクT1APメッセージは、さらに、CUによってIABノード2に割り当てられた第2の識別子（たとえば、第2の識別子はCU  T1AP  IAB2  IDである）と、IABノード1によってIABノード2に割り当てられた前記第1の識別子とを含む。第2の識別子は、CUとIABノード1との間のT1インターフェース（またはT1接続）上でIABノード2を識別するために、CUによって使用される。CUは、IABノード1のPDCP層のピア層であるPDCP層において下りリンク（downlink、DL）T1APメッセージに対して送信処理（たとえば、暗号化および完全性保護）を実行し、次いで、PDCP層で処理された下りリンクT1APメッセージをペイロード4として使用してもよい。あるいはまた、図12に示されるプロトコル・スタック・アーキテクチャーを参照するに、CUはDUに送信されるF1APメッセージをペイロード4として使用し、F1APメッセージはDUにおいて、IABノード1に送信されるT1APメッセージに変換される。
【０３７９】
CUは、処理を実行し、ペイロード4をカプセル化することを、別の下位プロトコル層（たとえば、F1インターフェースのプロトコル層）で行なって、第3のデータ・パケットを取得する。CUはペイロード4を前記別のプロトコル層で処理しカプセル化することを、以下の仕方のうちの一つで行なってもよい。
【０３８０】
態様オプション1：図11に示されるプロトコル・スタック・アーキテクチャーを例として使うと、F1インターフェースの制御プレーンは、F1AP層、SCTP層、IP層、L2層、L1層を含む。CUは、F1AP層での処理を通じて、DUに送信される上りリンクF1APメッセージを生成する。上りリンクF1APメッセージはペイロード4、IABノード1の識別子、および第3の指示情報を担持し、第3の指示情報は、F1APメッセージが無線バックホール・ノードのT1APメッセージを担持することを示すために使用される。たとえば、CUによって生成され、ペイロード4がその中にカプセル化される下りリンクF1APメッセージは、新しく定義された下りリンクF1APメッセージ・タイプであってもよく（たとえば、新しく定義された下りリンクF1APメッセージ・タイプは、下りリンクIAB  T1AP転送（DL  IAB  T1AP  transfer）であってもよい）、IABノードの下りリンクT1APメッセージを担持するために使用され、F1APメッセージに含まれるメッセージ・タイプ（message  type）フィールドに満たされた内容が前記第3の指示情報である。任意的に、CUによって生成され、DUに送られるべき下りリンクF1APメッセージは、さらにCUの識別子を担持してもよい。任意的に、第3の指示情報およびIABノード1の識別子は、さらに、F1インターフェースの別のプロトコル層（F1AP層以外のプロトコル層）のヘッダ情報において担持されてもよい。
【０３８１】
態様オプション2：図11に示されるプロトコル・スタック・アーキテクチャーを例として使うと、F1インターフェースのユーザープレーンは、GTP層、UDP層、IP層、L2層、L1層を含む。CUは、GTP層での処理を通じて、DUに送られるべき下りリンクGTP  PDUを生成する。下りリンクGTP  PDUはペイロード4を担持する。第3の指示情報は、さらに、GTP  PDUにおいて担持されてもよく（たとえば、第3の指示情報は、GTP拡張ヘッダ・フィールドにおいて担持される）、第3の指示情報は、GTP  PDUが無線バックホール・ノードのT1APメッセージを担持することを示すために使用される。GTP  PDUは、さらに、IABノード1の識別子を担持してもよい（たとえば、IABノード1の識別子は、GTP拡張ヘッダ・フィールドにおいて担持される）。あるいはまた、GTPヘッダ・フィールドのTEIDがIABノード1のDRBに一意にマッピングされる場合、IABノード1の識別子はGTP  PDUにおいて追加的に担持される必要はなく、すなわち、IABノード1はTEIDを使用して表現できる。任意的に、CUによって生成され、DUに送信される下りリンクGTP  PDUにおいて、CUの識別子が、たとえばGTP拡張ヘッダ・フィールドにおいてさらに担持されてもよい。任意的に、第3の指示情報およびIABノード1の識別子は、さらに、F1インターフェースの別のプロトコル層（GTP層以外のプロトコル層）のヘッダ情報において担持されてもよい。
【０３８２】
態様オプション3：図12に示されるプロトコル・スタック・アーキテクチャーを例として使うと、CUはペイロード4を下りリンクF1APメッセージとしてDUに送信する。任意的に、CUによって生成されるF1APメッセージは、IABノード1の識別子を含んでいてもよく、さらに第3の指示情報を含んでいてもよい。任意的に、下りリンクF1APメッセージは、さらにCUの識別子を担持してもよい。任意的に、第3の指示情報およびIABノード1の識別子は、さらに、F1インターフェースの別のプロトコル層（F1AP層以外のプロトコル層）のヘッダ情報において担持されてもよい。
【０３８３】
態様オプション4：図22に示されるプロトコル・スタック・アーキテクチャーを例として使うと、DUとCUとの間のF1インターフェースがピア適応層を有する場合、CUはまずペイロード4を適応層において処理し、次いでペイロード4をF1AP層、SCTP層、IP層、L2層、L1層において順次処理するか、あるいはペイロード4をGTP層、UDP層、IP層、L2層、L1層において順次処理する。CUは、適応層のヘッダ情報にIABノード1の識別子および第3の指示情報を含めてもよい。あるいはまた、CUは、適応層のヘッダ情報にIABノード1の識別子を含め、適応層での処理を通じて得られた適応PDUを下りリンクF1APメッセージにカプセル化し、下りリンクF1APメッセージをDUに送信し、ここで、下りリンクF1APメッセージが第3の指示情報を担持する。あるいはまた、CUは、適応層のヘッダ情報にIABノード1の識別子を含め、適応層での処理を通じて得られた適応PDUを下りリンクGTP  PDUにカプセル化し、下りリンクGTP  PDUをDUに送信し、ここで、下りリンクGTP  PDU（たとえば、GTP拡張ヘッダ・フィールド）が第3の指示情報を担持する。任意的に、CUは、適応層のヘッダ情報にCUの識別子をさらに含めてもよい。任意的に、第3の指示情報およびIABノード1の識別子は、さらに、F1インターフェースの別のプロトコル層（F1AP層、GTP層、および適応層以外のプロトコル層）のヘッダ情報において搬送されてもよい。
【０３８４】
態様オプション5：図24に示されるプロトコル・スタック・アーキテクチャーを例として使うと、DUとCUとの間で、F1インターフェースの制御プレーン・プロトコル層（F1AP層、SCTP層、IP層、L2層、L1層を含む）が使用される。CUは、下りリンクF1APメッセージに、IABノード1の適応層での処理を通じて得られ、ペイロード4を含んでいる適応PDUをカプセル化し、下りリンクF1APメッセージをDUに送ることができ、ここで、下りリンクF1APメッセージが第3の指示情報を担持する。あるいはまた、F1インターフェースのユーザープレーン・プロトコル層（GTP層、UDP層、IP層、L2層、L1層を含む）が使用される。CUは、適応層での処理を通じて得られ、ペイロード4を含んでいる適応PDUを下りリンクGTP  PDUにカプセル化し、下りリンクGTP  PDUをDUに送ることができ、ここで、下りリンクGTP  PDU（たとえば、GTP拡張ヘッダ・フィールド）が第3の指示情報を担持する。任意的に、CUの適応層は、ペイロード2がCUの適応層において処理された後に追加される適応層ヘッダ情報において、IABノード1の識別子またはCUの識別子を含めてもよい。
【０３８５】
CUによってDUに送られるメッセージのフォーマットについては、理解のために、S406においてDUによってCUに送られるメッセージのフォーマットが参照されることが理解されうる。
【０３８６】
S408：CUはペイロード4がその中にカプセル化された第3のデータ・パケットをDUに送信する。
【０３８７】
S409：DUは第3のデータ・パケットを受信し、第3のデータ・パケットをパースしてペイロード4（またはペイロード4を含む適応PDU）を得る。DUは、バックホール・リンクの下位プロトコル層においてペイロード4を処理し、カプセル化して、第4のデータ・パケットを得る。
【０３８８】
第4のデータ・パケットは、IABノード1の識別子をさらに含む。任意的に、第4のデータ・パケットは、CUの識別子をさらに含む。
【０３８９】
第4のデータ・パケットは、さらに第4の指示情報を含み、第4の指示情報は、そのデータ・パケットにおいて担持されるメッセージのタイプがT1APメッセージであることを示すために使用される。第4のデータ・パケットが第4の指示情報を担持する仕方は、以下の態様のうちの一つでありうる。
【０３９０】
態様例1：DUがDUの子ノードのT1APメッセージおよびRRCメッセージを搬送する（送信する／受信する）ために同じSRB（または、該SRBに対応するRLCベアラ／論理チャネル／RLCチャネル）を使用する場合、第4の指示情報は、第4のデータ・パケットの、RLC層において追加されるヘッダ情報において担持されてもよい。
【０３９１】
態様例2：DUが、DUの後裔子ノードのT1APメッセージおよびユーザープレーン・データを搬送する（送信する／受信する）ために、同じDRB（または該DRBに対応するRLCベアラ／論理チャネル／RLCチャネル）を使用する場合、第4の指示情報は、第4のデータ・パケットの、適応層において追加されるヘッダ情報として担持されてもよい。
【０３９２】
態様例3：DUが、T1APメッセージ、DUの子ノードのユーザープレーン・データ、およびDUの後裔子ノードのユーザープレーン・データを搬送する（送信する／受信する）ために、同じDRB（または該DRBに対応するRLCベアラ／論理チャネル／RLCチャネル）を使用する場合、第4の指示情報は、第4のデータ・パケットの、RLC層において追加されるヘッダ情報として担持されてもよい。
【０３９３】
態様例4：DUがT1APメッセージを搬送する（送信する／受信する）ために専用の無線ベアラ（DRB/SRBまたは専用のDRB/SRBに対応するRLCベアラ／論理チャネル／RLCチャネル）を使用する場合、第4の指示情報は、専用の無線ベアラの識別子、または該専用の無線ベアラに対応するRLCベアラ／RLCチャネルの識別子であって、その識別子は、第4のデータ・パケットの、適応層において追加されたヘッダ情報において担持されるのであってもよく、または第4の指示情報は、専用の無線ベアラに対応する論理チャネルの識別子LCIDであって、その識別子は、第4のデータ・パケットの、MAC層において追加されたヘッダ情報おいて担持されるのであってもよい。
【０３９４】
S410：DUは、ペイロード4がその中にカプセル化された第4のデータ・パケットをIABノード1に送信する。
【０３９５】
具体的には、DUが第4のデータ・パケットをIABノード1に送信する態様については、理解のためにS409における4つの態様例を参照されたい。
【０３９６】
S411：IABノード1は、第4のデータ・パケットを受信し、下位プロトコル層においてカプセル化を除去してペイロード4を得て、PDCP層においてペイロード4に対して受信処理（たとえば復号および完全性検査）を実行して下りリンクT1APメッセージを得て、さらに、下りリンクT1APメッセージからペイロード3を抽出する（ここで、CUによってIABノード2に送信されたRRCメッセージがペイロード3にカプセル化されている）。ここで、下りリンクT1APメッセージは、IABノード1によってIABノード2に割り当てられた第1の識別子と、CUによってIABノード2に割り当てられた第2の識別子とを含み、IABノード1はペイロード3がIABノード2に送信される必要があると判断できる。
【０３９７】
S412：IABノード1は、ペイロード3をIABノード2に送信する。ペイロード3は、CUによって生成されるRRCメッセージ（たとえば、RRC接続セットアップ）を含む。
【０３９８】
S212の後、IABノード2は、移動端末（モバイル端末、MT）としてその後の手順を実行し続け、ネットワークへのIABノード2のアクセスを完了して、OAMとの通信のためのPDUセッション（session）をセットアップすることが理解されうる。
【０３９９】
該その後の手順は：IABノード2による、IABノード2とネットワークとの間のRRC接続セットアップ完了、認証および／または認可の送信、IABノード2のPDUセッションのセットアップ、IABノード2とRAN装置（CUまたはドナー・ノード）のセキュリティ・モード構成、IABノード2のエア・インターフェース・ベアラ・セットアップ・プロセス、IABノード1とRAN装置のためのIABノード2関連コンテキスト構成などを含む。該その後の手順における、IABノード2のRRCメッセージの送信プロセスとIABノード1のT1APメッセージの送信プロセスについては、理解のために、S201〜S211における上記の送信プロセスを参照されたい。詳細は記載しない。
【０４００】
次いで、IABノード2は、OAMおよび／またはCUからIAB関連の構成情報を取得する。たとえば、IAB関連の構成情報は、IABノード2のセル情報、IABノード2とIABノード1との間のインターフェース（たとえばUn）の適応層においてIABノード2によって要求されるルーティング情報（たとえば、IABノード2の識別子、CUの識別子、IABノード2とCUとの間のルーティング・マッピング関係を含む）、IABノード2のT1APメッセージを担持するために使用される専用ベアラの構成、およびIABノード2のT1APメッセージに対するセキュリティ保護を実行するために使用されるPDCP層の構成情報（ここで、PDCP層のピア・プロトコル層がCU、DU、またはDgNBに位置する）を含む。
【０４０１】
図12に示されるプロトコル・スタック・アーキテクチャーが使用される場合、CUは、F1APメッセージを使用することによって、PDCP層の構成情報をDUにさらに送信してもよい。構成情報は、IABノード2のPDCP層のピア層であるDUのPDCP層を構成するために使用される。PDCP層は、T1APメッセージについてセキュリティ保護を提供するために使用されてもよい。
【０４０２】
IABノード2がOAMからIAB関連の構成情報を取得する場合、MTとして機能するIABノード2は、ユーザープレーンとOAMとの間の接続を通じてIAB関連構成情報を取得することを注意しておくべきである。ユーザープレーン・データ・パケットをIABノード2とOAMとの間の中間ノードによってカプセル化する仕方については、理解のために図9から図12に示されるプロトコル・スタックを参照されたい。さらに、IABノード2は、OAMから取得したIAB関連構成情報の一部または全部を、RRCメッセージを使用してCUに報告してもよい。IABノード2がCUからIAB関連構成情報の一部または全部を取得する場合、MTとして機能するIABノード2は、制御プレーン接続、すなわち、IABノード2とCUとの間のRRC接続を通じて、CUによって送信されるRRCメッセージ（たとえば、RRC再構成）を受信して、IAB関連構成情報を取得する。
【０４０３】
PDCP層セキュリティ・パラメータがIABノード2とCUとの間で折衝された後、送信端（IABノード2またはCU）は、その後、IABノード2とCUとの間で伝送される上りリンクRRCメッセージ、下りリンクRRCメッセージ、上りリンクF1APメッセージ、および下りリンクF1APメッセージに対して、セキュリティ保護、たとえば暗号化および完全性保護動作を、IABノード2とCUとの間でピアPDCP層において実行してもよく、その後、処理されたメッセージは、ペイロードとしてIABノード1およびDUを通じて、IABノード2とCUとの間で転送されることを注意しておくべきである。IABノード2とCUとの間の中間ノードの処理および転送プロセスについては、理解のために前述のステップの対応する記述を参照されたい。
【０４０４】
本願の別の実施形態では、引き続き図19A、図19B、および図19Cを参照して、IABノード2がネットワークにアクセスした後、CUまたは基地局が、IABノード2とCUまたは基地局との間の中間ノード（たとえば、DUまたはIABノード1）のためのルーティング構成を構成するプロセスがさらに含まれてもよい。
【０４０５】
S413：CUは下りリンクF1APメッセージをDUに送信し、下りリンクF1APメッセージはDUのために設定されたルーティング構成を担持する。たとえば、ルーティング構成は、IABノード2の識別子を含む。
【０４０６】
任意的に、DUのために構成されたルーティング構成は、DUからIABノード2への伝送経路上の次ホップ・ノードの識別子（たとえば、図6に示されたIABノード1の識別子）をさらに含む；またはDUのために構成されたルーティング構成は、DUまたはCUからIABノード2への伝送経路の識別子をさらに含む；またはDUのために構成されたルーティング構成は、DUまたはCUからIABノード2への伝送経路の識別子、および伝送経路に対応する識別子に関連付けられた伝送経路上の次ホップ・ノードの識別子をさらに含む。
【０４０７】
本願のこの実施形態において、伝送経路の識別子は、ソース・ノードから宛先ノードへの伝送経路を決定するために使用される。たとえば、図6に示されるように、CUは、ソース・ノード（たとえば、DU）について、宛先ノード（たとえば、IABノード2）への次の伝送経路を構成してもよい：伝送経路1：DU→IABノード1→IABノード2；または、CUは、ソース・ノード（たとえば、DU）について、宛先ノード（たとえば、UE）への次の伝送経路を構成してもよい：伝送経路2：DU→IABノード1→IABノード2→UE。このようにして、DUは、UEと、DUにアクセスする無線バックホール・ノードとの間の接続関係を決定することができ、正しい次ホップ・ノードに、転送される必要があるデータ・パケットを転送することができる。異なる伝送経路上のソース・ノードの次のホップ・ノードの識別子は同じであってもよく、異なっていてもよいことを注意しておくべきである。これは、本願において限定されない。たとえば、DUのために構成された伝送経路1および伝送経路2上の次ホップ・ノードとの識別子は、両方ともIABノード1である。
【０４０８】
任意的に、図12に示される制御プレーン・プロトコル・スタックが使用される場合、CUはさらに、DUおよびIABノード2についてのピアPDCP層のための構成情報（たとえば、暗号化／復号機能構成情報および保全性保護機能構成情報を含む）を、F1APメッセージを使用することによってDUに送信する必要がある。DUおよびIABノード2についてのピアPDCP層のための構成情報と、DUのために構成されたルーティング構成は、同じ下りリンクF1APメッセージを使用してDUに送信されてもよい。あるいはまた、CUは、別個の下りリンクF1APメッセージを使用することによって、DUのために構成されたルーティング構成と、DUおよびIABノード2についてピアPDCP層のための構成情報とをDUに送信してもよい。対応して、DUおよびIABノード2のピアPDCP層のための構成情報は、たとえばRRCメッセージを使用することによって、CUによってIABノード2に送信される必要がある。RRCメッセージの送信態様については、S401〜S411の送信態様を参照されたい。
【０４０９】
S414：CUは、下りリンク・データ・パケットをDUに送信し、下りリンク・データ・パケットは、IABノード1に送信されるべき下りリンクT1APメッセージを含む。IABノード1の下りリンクT1APメッセージは、IABノード1のためのルーティング構成を含む（たとえば、IABノード1のためのルーティング構成は、IABノード2の識別子を含んでいてもよい）。下りリンク・データ・パケットにおいて担持される情報については、S407を参照されたい。下りリンクF1APメッセージは、ルーティング情報（routing  info）を担持する。たとえば、ルーティング情報はIABノード1の識別子とCUの識別子である。DUは、ルーティング情報に基づいて、IABノード1の下りリンクT1APメッセージに適応層情報を追加し、下位プロトコル層においてIABノード1の下りリンクT1APメッセージをカプセル化し、処理して、IABノード1に送られるべきデータ・パケットを得ることができる。DUは、前記下位プロトコル層においてIABノード1の下りリンクT1APメッセージをカプセル化し、処理する。該カプセル化、処理および下りリンクT1APメッセージにおいて担持される内容については、理解のためにS409の記述を参照されたい。
【０４１０】
任意的に、S413およびS414における下りリンクF1APメッセージは、同一の下りリンクF1APメッセージであってもよく、その結果、CUによってDUに送信されるメッセージの量が削減される。
【０４１１】
任意的に、IABノード1のためのルーティング構成は、IABノード1からIABノード2への伝送経路上のIABノード1の次ホップ・ノードの識別子（たとえば、図6に示されるIABノード2の識別子）をさらに含む；または、IABノード1のためのルーティング構成は、CU/IABノード1からIABノード2への伝送経路の識別子と、CU/IABノード1からIABノード2への伝送経路の識別子に関連付けられた伝送経路上の次ホップ・ノード（たとえば、IABノード1）の識別子とをさらに含む。
【０４１２】
S415：DUが、IABノード1を含むデータ・パケットをIABノード1に送信する。
【０４１３】
S413〜S415において記載されるルーティング構成プロセスは、CUがDUのためのルーティング構成と、IABノード1のためのルーティング構成を構成するプロセスであることを注意しておくべきである。実際のプロセスにおいて、新しくアクセスされたノードとCUとの間に複数のIABノードが存在する場合、CUが複数のIABノードのそれぞれのためにルーティング構成を構成するプロセスについては、S414およびS415が参照されることが理解されうる。ここでは本願のこの実施形態において詳細を再び述べることはしない。
【０４１４】
任意的に、DUまたはIABノード1がルーティング構成を完了した後、DUまたはIABノード1はさらに、別個に第1のメッセージをCUに返してもよい。第1のメッセージは、DUまたはIABノード1がルーティング構成を完了したことを示すために使用される。
【０４１５】
本願の実施形態におけるさらに別の実施形態においては、S415が実行された後、IABノード2とCUとの間にT1インターフェース（またはT1接続）がセットアップされる次のフェーズがさらに含まれる。
【０４１６】
S416：IABノード2がT1接続セットアップ要求をCUに送信する。IABノード2は、生成された上りリンクT1APメッセージ、すなわちT1接続セットアップ要求（T1  setup  request）をCUに送信する。IABノード2は、PDCP層で上りリンクT1APメッセージを処理して、ペイロード5を得る。IABノード2は、ペイロード5の適応層において、ペイロード5をルーティングするために使用される適応情報（たとえば、IABノード2であるソース・ノードの識別子およびCUである宛先ノードの識別子）を追加し、次いで、IABノード2とIABノード1との間のインターフェース（たとえば、Un）上の無線ベアラ（または無線ベアラに対応するRLCベアラ／論理チャネル／RLCチャネル）を通じてIABノード1に第5のデータ・パケットを送信する。第5のデータ・パケットはペイロード5を含み、ペイロード5は上りリンクT1APメッセージを搬送する。任意的に、第5のデータ・パケットは、第5のデータ・パケットがT1APメッセージを担持することを示すために使用される第5の指示情報をさらに含む。
【０４１７】
IABノード2がペイロード5を含む第5のデータ・パケットをIABノード1に送信する送信態様については、理解のために、S204においてIABノード1がT1APメッセージを含む第1のデータ・パケットをDUに送信する前述の送信態様を参照されたい。
【０４１８】
S417：ペイロード5を含み、IABノード2によって送信される第5のデータ・パケットを受信した後、IABノード1は、ルーティングに使用され、第5のデータ・パケットに含まれる適応情報と、事前のルーティング構成において維持されるルーティング・マッピング関係とに基づいて、ペイロード5を第6のデータ・パケットにカプセル化し、第6のデータ・パケットをDUに送信することを決定する。第6のデータ・パケットは、IABノード2の識別子および第1の指示情報を担持しうる。IABノード1がペイロード5を含む第6のデータ・パケットをDUに送信する送信態様については、理解のために、S204においてIABノード1がT1APメッセージを含む第1のデータ・パケットをDUに送信する前述の送信態様を参照されたい。理解の間、第1のデータ・パケットにおいて担持されるIABノード1の識別子とは異なり、第6のデータ・パケットは、IABノード2の識別子を担持する必要があることに注意しておくべきである。
【０４１９】
S418：DUは、ペイロード5を含み、IABノード1によって転送される第6のデータ・パケットを受信し、第6のデータ・パケットにおいて担持されるペイロード5内のメッセージのタイプが、IABノードのT1APメッセージであると判断し、第6のデータ・パケットをパースして得られたペイロード5を処理した後、DUは第7のデータ・パケットを得て、第7のデータ・パケットをCUに送信する。
【０４２０】
DUが第7のデータ・パケットを生成する処理プロセスおよび第7のデータ・パケットの送信態様については、理解のために、DUがCUに第2のデータ・パケットを送信する前述の態様を参照されたい。理解の間、第2のデータ・パケットにおいて担持されるIABノード1の識別子とは異なり、第7のデータ・パケットはIABノード2の識別子を担持する必要があることに注意しておくべきである。
【０４２１】
具体的には、S218において、データ・パケットにおいて担持されるペイロード5内のメッセージのタイプがIABノードのT1APメッセージであると判断する仕方については、S405の記述を参照されたい。ここでは本願のこの実施形態において、再び詳細を述べることはしない。
【０４２２】
S419：CUは、DUによって送信された第7のデータ・パケットを受信し、第7のデータ・パケットをパースしてペイロード5を抽出し、PDCP層においてペイロード5に対して受信処理（たとえば、復号および完全性検査）を実行した後、ペイロード5から、IABノード2によって送信された上りリンクT1APメッセージを取得し、IABノード2のT1接続セットアップ要求を処理し、次いで、IABノード2に送信されるべき下りリンクT1APメッセージ（たとえば、T1接続セットアップ応答）を生成し、IABノード2にT1接続のセットアップに関する情報を通知する。CUおよびIABノード2のピアPDCP層で下りリンクT1APメッセージが処理された後に、ペイロード6が得られてもよい。あるいはまた、図12に示されるプロトコル・アーキテクチャーに対応して、T1APメッセージは、CUによってDUに送信されるF1APメッセージであり、F1APメッセージは、IABノード2に送信されるT1APメッセージを取得するためにプロキシとしてDUによって処理される必要があり、CUは、F1APメッセージをペイロード6として使用する。
【０４２３】
S420：CUは、第8のデータ・パケットをDUに送信し、第8のデータ・パケットは、CUによってIABノード2に送信されたペイロード6を含む。
【０４２４】
任意的に、CUによってDUに送られる第8のデータ・パケットは、さらにルーティング情報を担持する。たとえば、ルーティング情報は、CUであるソース・ノードの識別子と、IABノード2である宛先ノードの識別子とを含む。あるいはまた、ルーティング情報は、CUからIABノード2への伝送経路の識別子を含む。
【０４２５】
CUが第8のデータ・パケットを処理および送信する態様については、理解のために、前述した諸ステップにおいてCUが第3のデータ・パケットを処理し、第3のデータ・パケットをDUに送信する前述の態様を参照されたい。理解の間、第3のデータ・パケットにおいて担持されるIABノード1の識別子とは異なり、第8のデータ・パケットはIABノード2の識別子を暗示する必要があることに注意しておくべきである。
【０４２６】
S421：DUは、第8のデータ・パケットを受信し、第8のデータ・パケットにおいて担持されるルーティング情報および第3の指示情報に基づいて、IABノード2に送信されるべきT1APメッセージを含む第9のデータ・パケットを生成し、第9のデータ・パケットをIABノード1に送信する。
【０４２７】
第9のデータ・パケットは、IABノード2の識別子と、第9のデータ・パケットがT1APメッセージを含むことを示すために使用される指示情報とを含む。
【０４２８】
DUが第9のデータ・パケットを処理し送信する態様については、理解のために、前述の諸ステップにおいて、DUが第4のデータ・パケットを処理し、第4のデータ・パケットをIABノード1に送信する前述した態様を参照されたい。理解の間、第4のデータ・パケットにおいて担持されるIABノード1の識別子とは異なり、第9のデータ・パケットは、IABノード2の識別子を担持する必要があることに注意しておくべきである。
【０４２９】
S422：IABノード1は、第9のデータ・パケットを受信し、第9のデータ・パケット中にあり、かつ、IABノード2のPDCP層のピア層であるPDCP層においてセキュリティ保護が実行される下りリンクT1APメッセージを第10のデータ・パケットに含め、第10のデータ・パケットをIABノード2に送信する。
【０４３０】
第10のデータ・パケットは、IABノード2の識別子と、第10のデータ・パケットがT1APメッセージを含むことを示すために使用される指示情報とを含む。
【０４３１】
IABノード2とCUは、IABノード2とCUとの間のT1接続を維持および更新するために（たとえば、CU構成更新、IABノード2構成更新、および接続リセット）、S216〜S222で説明されている転送プロセスと同様の仕方で、別のT1APメッセージを交換してもよいことに注意しておくべきである。本願のこの実施形態において、個別的な対話プロセスは、一つ一つ列挙されていない。
【０４３２】
本願のこの実施形態におけるIABノードの識別子は、たとえば、UEとして機能するIABノードの識別子（C-RNTI、IMSI、またはTMSIなど）、IABノードのMAC層識別子、またはOAM、ドナー・ノードDgNB／ドナーCU、またはコア・ネットワーク要素（SMFまたはUPFなど）によってIABノード装置に割り当てられる識別子（たとえば、IPアドレスなどのネットワーク層識別子または装置の適応層識別子）でありうることに注意しておくべきである。これは、本願のこの実施形態において限定されない。
【０４３３】
図20A、図20B、図20Cに示されるように、図20A、図20B、図20Cでは、UEがIABノード2を通じてネットワークに接続される例が用いられる。図20A、図20B、および図20Cに示されるように、本願において提供される方法は、以下のステップを含む。
【０４３４】
S501：UEは、IABノード2にRRCメッセージを送信する。
【０４３５】
たとえば、RRCメッセージはRRC接続要求メッセージであってもよい。
【０４３６】
S502：UEのRRCメッセージを受信した後、IABノード2は、第1の上りリンクT1APメッセージを生成する。第1の上りリンクT1APメッセージは、IABノード2によってUEに割り当てられた第3の識別子（たとえば、IAB  node2  T1AP  UE  ID）を含む。PDCP層で上りリンクT1APメッセージを処理した後、IABノード2は、適応層情報（ルーティング情報、たとえば、IABノード2の識別子であるソース・ノードの識別子およびCUの識別子である宛先ノードの識別子を含む）を追加する。
【０４３７】
任意的に、UEによって送信されたRRCメッセージは、第1の上りリンクT1APメッセージにカプセル化される。
【０４３８】
S503：IABノード2は、第1の上りリンクT1APメッセージを含むデータ・パケットをIABノード1に送信する。
【０４３９】
IABノード2が第1の上りリンクT1APメッセージを含むデータ・パケットを処理し、送信する仕方については、理解のために、S202において第2の装置が第1の装置に第1のデータ・パケットを送信する前述の態様を参照されたい。
【０４４０】
S504：IABノード1は、受信されたデータ・パケット中のメッセージのタイプがIABノードのT1APメッセージであると判定し、データ・パケットに含まれる適応情報に基づいて、IABノード1からCUへの伝送経路上での、IABノード1の次ホップ・ノードがDUであると判定する。次いで、IABノード1は、第1の上りリンクT1APメッセージを含むデータ・パケットをDUに送信する。
【０４４１】
具体的には、S504においてIABノード1が、受信されたデータ・パケットにおけるメッセージのタイプが、IABノードのT1APメッセージであると判断する仕方については、前述の実施形態におけるS404の説明を参照されたい。本願ではここで詳細を再び述べることはしない。
【０４４２】
IABノード1が、第1の上りリンクT1APメッセージを含むデータ・パケットをDUに送信する仕方と、該データ・パケットに含まれる具体的な情報については、理解のために、前述の実施形態のS204において、第1の装置による第2のデータ・パケットの第3の装置への送信についての説明を参照されたい。理解の間、このステップにおいては、対応する第1の装置はIABノード1であり、第3の装置はDUであり、第2の装置はIABノード2であることに注意しておくべきである。
【０４４３】
S505：DUが、受信されたデータ・パケットの適応情報からルーティング情報を取得する。データ・パケット中のメッセージのタイプがIABノードのT1APメッセージであると判定した後、DUは、ノード2の第1の上りリンクF1APメッセージを含むデータ・パケットを生成する。
【０４４４】
S506：DUは上りリンクF1APメッセージを含むデータ・パケットをCUに送信する。
【０４４５】
詳細については、理解のために、上記実施形態のS204における、第1の装置による第2のデータ・パケットの第3の装置への送信についての説明を参照されたい。ここでは、対応する第1の装置はDUであり、第3の装置はCUであり、第2の装置はIABノード2であることに注意しておくべきである。
【０４４６】
S507：CUは、DUによって送信された、上りリンクF1APメッセージを含むデータ・パケットをパースし、受信処理後にIABノード2の第1の上りリンクT1APメッセージを取得し、さらに、第1の上りリンクT1APメッセージをカプセル化解除して、第1の上りリンクT1APメッセージにおいてUEによって送信されたRRCメッセージを取得する。
【０４４７】
任意的に、CUは、UEに対してアクセス制御を実行してもよく（詳細については、IABノード2に対してアクセス制御を実行する前述の態様を参照）、CUがアクセスを許可した後に、CUは、IABノード2に送信されるべき下りリンクT1APメッセージを生成することができる。IABノード2に送信される下りリンクT1APメッセージは、ペイロード1を含む。IABノード2に送信される下りリンクT1APメッセージは、さらに、CUとIABノード2との間のT1接続上で、CUによってUEに割り当てられた第4の識別子（たとえば、CU  T1AP  UE  ID）と、IABノード2によってUEに割り当てられた第3の識別子とを含む。ペイロード1は、CUによってIABノード2に送信されるRRCメッセージ（たとえば、RRC接続セットアップ）を含む。CUは、IABノード2のPDCP層のピア層であるPDCP層で下りリンクT1APメッセージを処理することができ、PDCP層で処理された下りリンクT1APメッセージはペイロード2とみなされる。あるいはまた、図12に示されるプロトコル・アーキテクチャーに対応して、CUはペイロード2として、DUによってT1APメッセージに変換される必要のあるF1APメッセージを使用する。CUはペイロード2を処理してカプセル化する。
【０４４８】
S508：CUはペイロード2がカプセル化された下りリンク・データ・パケットをDUに送信する。
【０４４９】
下りリンク・データ・パケットは、ルーティング関連情報（たとえば、CUの識別子、IABノード2の識別子、またはDUからIABノード2への伝送経路の識別子）を担持する。
【０４５０】
詳細については、理解のために、上記の実施形態におけるS302において、第3の装置によってT1APメッセージを含むデータ・パケットを第1の装置に送信することについての説明を参照されたい。理解の間、ここでは、対応する第1の装置はDUであり、第3の装置はCUであり、第2の装置はIABノード2であることに注意しておくべきである。
【０４５１】
S509：DUは、CUによって送信された下りリンク・データ・パケットを受信し、パケット内に担持されるメッセージのタイプに基づいて該下りリンク・データ・パケットをパースしてペイロード2を得て、DUによって生成されその中にペイロード2がカプセル化される適応層ヘッダ情報に、下りリンク・データ・パケットにおいて担持されるルーティング関連情報（たとえば、CUの識別子、IABノード2の識別子、またはDUからIABノード2への伝送経路の識別子）を追加する。
【０４５２】
S510：DUは、IABノード1に、DUによって生成されその中にペイロード2がカプセル化された下りリンク・データ・パケットを送信する。
【０４５３】
S508およびS509では、DUは、IABノードとCUとの間の制御プレーン・メッセージのプロキシ・ノードとして機能し、2つの接続の間で、T1APメッセージとF1APメッセージとの間の変換を実行することができることが理解されうる。
【０４５４】
S511：IABノード1は、ペイロード2を含む下りリンク・データ・パケットを生成し、該下りリンク・データ・パケットをIABノード2に送信する。
【０４５５】
IABノード1は、専用SRBまたは他のタイプのメッセージと共有されるSRBを通じて、ペイロード2がカプセル化された下りリンクT1APメッセージを搬送してもよい。
【０４５６】
S512：IABノード2は、適応層からペイロード2についての情報を除去し、ペイロード2から下りリンクT1APメッセージを抽出し、さらに下りリンクT1APメッセージからペイロード1を抽出して、CUによってUEに送信されるRRCメッセージを抽出する。IABノード2は、下りリンクT1APメッセージに含まれ、IABノード2によってIABノード2とCUとの間のT1接続上のUEに割り当てられた第3の識別子に基づいて、RRCメッセージがUEに送られる必要があることを決定することができる。
【０４５７】
S513：IABノード2はペイロード1を含むデータ・パケットをUEに送信し、ペイロード1はCUによって生成されたRRCメッセージ（たとえば、RRC接続セットアップ）を含む。
【０４５８】
S514：UEは、RRCメッセージ（たとえば、RRC接続セットアップ完了メッセージ、RRC  connection  setup  complete）をCUに返す。
【０４５９】
RRCメッセージは、順にIABノード2、IABノード1、およびDUを通じてCUにも送信されることが理解されうる。IABノード2、IABノード1、DUの具体的な伝送および処理プロセスについては、理解のために、S301〜S306の対応する説明を参照されたい。
【０４６０】
S515：CUは、NGAPメッセージ、たとえば、初期UE情報（初期UEメッセージ）をコア・ネットワーク要素（たとえば、アクセス管理機能ユニット（access  management  function、AMF））に、その後の認証および／または認可プロセス、およびUEのPDUセッション・セットアップ・プロセスのために、送信する。
【０４６１】
S516：認証および／または認可プロセスは、UEとコア・ネットワークとの間で実行され、コア・ネットワーク要素間でUEのPDUセッションをセットアップするプロセスが実行される。具体的なプロセスについては、理解のために先行技術を参照されたい。CUとUEとの間で転送される必要のあるメッセージについては、理解のために、S501〜S506に記載されたUEによってCUに送信される情報の処理プロセスと、S308〜S313に記載されたCUによってUEに情報を送信するプロセスを参照されたい。
【０４６２】
S517：CUは、NGAPメッセージ、たとえば、コア・ネットワーク要素AMFによって送信された初期UEコンテキスト・セットアップ要求（initial  UE  context  setup  request）を受信する。
【０４６３】
S518：CUは、下りリンクF1APメッセージ（たとえば、UEコンテキスト構成情報）をDUに送信する。ここで、下りリンクF1APメッセージは、DU上でUE関連構成を実行するために使用されうる。UE関連構成は、UEの識別子（たとえば、F1インターフェース上でCUによってUEに割り当てられたCU  F1AP  UE  ID、CUによってUEに割り当てられた、適応層において識別できる識別子、UEの国際移動体加入者識別子（international  mobile  subscriber  identity、IMSI）、UEの一時的移動体加入者識別子（temporary  mobile  subscriber  identity、TMSI）、またはUEのセル無線ネットワーク一時的識別子（cell  radio  network  temporary  identifier、C-RNTI））、UEの無線ベアラの識別子、UEの無線ベアラに対応するQoSパラメータ、RLC層におけるUEに対応するARQモードもしくはRLC層における無線ベアラに対応するARQモード、UEのサービスと対応するQoS識別子（たとえば、5QI、QFI、QCI、または差別化サービス・コードポイント（differentiated  services  code  point、DSCP））およびQoS識別子に対応するQoSパラメータを含む。任意的に、UE関連構成は、さらに、DU上のデータ・パケットのQoSマッピング規則（たとえば、QoSラベルまたはF1インターフェース上でデータ・パケットにおいて搬送されるF1APメッセージ・タイプから、UEの無線ベアラまたはDUとIABノード1との間の無線ベアラへのマッピング規則。ここで、無線ベアラは、DRBまたはSRBであってもよい）を含んでいてもよい。
【０４６４】
S519：CUは、下りリンクT1APメッセージをDUを通じてIABノード1に送信する。下りリンクT1APメッセージは、IABノード1上のUE関連適応層構成を実行するために使用されうる。UE関連適応層構成は、UEの識別子（たとえば、CUによってUEに割り当てられ、適応層において識別されることができる識別子、UEのIMSI、UEのTMSI、またはUEのC-RNTI）、UEの無線ベアラの識別子、UEの無線ベアラに対応するQoSパラメータ、RLC層におけるUEの無線ベアラに対応するARQモード、UEのサービスに対応するQoS識別子（たとえば、5QI、QFI、QCI、またはDSCP）、およびQoS識別子に対応するQoSパラメータを含む。任意的に、UE関連適応層構成は、さらに、IABノード1上のデータ・パケットのQoSマッピング規則（たとえば、QoSラベル／UEの無線ベアラの識別子／データ型指示（たとえば、第1の指示情報）または受信されたデータ・パケットについての無線ベアラ／論理チャネルの識別子と、データ・パケットを送信するために次ホップによって使用される無線ベアラとの間のマッピング関係）などを含んでいてもよい。本明細書における無線ベアラは、DRBまたはSRBであってもよい。
【０４６５】
S519における下りリンクT1APメッセージは、下りリンク・データ・パケットにカプセル化されて、DUに送られ、DUは、S519における下りリンク・データ・パケットをIABノード1に送ることが理解されうる。
【０４６６】
S520：CUは、DUおよびIABノード1を通じて、IABノード2に下りリンクT1APメッセージを送信する。ここで、下りリンクT1APメッセージは、IABノード2上でUE関連構成を実行するために使用されうる。IABノード2上で実行されるUE関連構成は、UEの識別子（たとえば、CUとIABノード2との間のT1インターフェース上でCUによってUEに割り当てられた第5の識別子（たとえば、CU  T1AP  UE  ID）、CUによってUEに割り当てられ、適応層において識別されることができる第6の識別子、UEのIMSI、UEのTMSI、またはUEのC-RNTI）、UEの無線ベアラの識別子、UEの無線ベアラに対応するQoSパラメータ、RLC層におけるUEの無線ベアラに対応するARQモード、UEのサービスに対応するQoS識別子（たとえば、5QI、QFI、QCI、またはDSCP）、およびQoS識別子に対応するQoSパラメータを含む。任意的に、IABノード2上で実行されるUE関連構成は、さらに、IABノード1上のデータ・パケットのQoSマッピング規則（たとえば、QoSラベル／UEの無線ベアラの識別子／データ・タイプ指示（たとえば、第1の指示情報）またはデータ・パケットを受信するために前ホップによって使用された無線ベアラ／論理チャネルの識別子と、データ・パケットを送信するために次ホップによって使用される無線ベアラの識別子との間のマッピング関係）などを含んでいてもよい。本明細書における無線ベアラは、DRBまたはSRBであってもよい。S320における下りリンクT1APメッセージは、F1インターフェース上の下りリンク・データ・パケットにカプセル化されて、DUに送られ、DUは、該下りリンクT1APメッセージをパースして抽出し、該下りリンクT1APメッセージをIABノード1に送り、次いで、IABノード1は、IABノード2に下りリンクT1APメッセージを送る。
【０４６７】
任意的に、S320における下りリンクT1APメッセージは、さらに、CUによってUEに送信されるRRCメッセージ（たとえば、RRCセキュリティ・モード・コマンド、すなわち、RRC  security  mode  command）を含んでいてもよく、または、セキュリティ・モード・コマンド・メッセージは、別個のRRCメッセージを使用することによってCUによってUEに送信されてもよい。
【０４６８】
S521:UEセキュリティ・モードを設定する。構成は、IABノード2によって、RRCセキュリティ・モード・コマンドをUEに送信し、UEによって、RRCセキュリティ・モード構成完了メッセージ（RRC  security  mode  complete）をIABノード2に返すことを含む。具体的な内容については、先行技術を参照のこと。本実施形態では、詳細は説明されない。
【０４６９】
CUとUEとの間のすべてのノード（たとえば、IABノード2、IABノード1、およびDU）がUE関連構成を完了した後、各ノードは、構成完了応答メッセージ（これは、そのUEのために各ノードが実行した構成内容をCUに通知するために使用され、たとえば、CUとIABノード2との間のT1インターフェース上でIABノード2によってUEに割り当てられたUEの識別子、すなわち、IAB  node2  T1AP  UE  IDを含んでいてもよい）をCUに送信することができ、その後、CUは、UE上でRRC再構成を実行することに注意しておくべきである（たとえば、CUは、UEのDRBをセットアップするために使用されるRRCメッセージおよびUEの応答メッセージをUEに送信する）。具体的には、各ノードによってフィードバックされるメッセージの内容については、先行技術を参照されたい。具体的な送信プロセスについては、理解のために、RRCメッセージ、T1APメッセージ、UEのF1APメッセージの前述の送信を参照されたい。詳細は、ここでは再度説明しない。
【０４７０】
PDCP層セキュリティ・パラメータ（すなわち、S521におけるセキュリティ・モード・コマンド）がUEとCUとの間でネゴシエーションされた後、送信端（UEまたはCU）は、UEとCUとの間でその後送信されるRRCメッセージに対して、UEおよびCUのピアPDCP層において、セキュリティ保護、たとえば暗号化および完全性保護動作を実行してもよく、次いで、処理されたRRCメッセージは、UEとCUとの間で、IABノード2、IABノード1、およびDUを通じて、ペイロード1として転送されることが理解されうる。中間ノードの処理および転送プロセスについては、理解のために、前述の諸ステップの対応する説明を参照されたい。
【０４７１】
なお、上記の相違の記述を参照すると、ノード伝送プロセスにおけるデータ・パケットのフォーマットは、具体的な使用されるプロトコル・スタック・アーキテクチャーによって適応的に変化することに注意しておくべきである。
【０４７２】
図21および図22のそれぞれは、本願のある実施形態による別のプロトコル・スタック・アーキテクチャーを示す。図21に示されるユーザープレーン・マルチホップ・プロトコル・アーキテクチャーでは、関連するノードは、UE、IABノード2、IABノード1、DU、CU、およびユーザープレーン・ネットワーク要素（たとえば、UPF）を含む。UEのプロトコル・スタックは、上から下へ順に、UPFのPDU層のピア層であるPDU層、CUのSDAP層のピア層であるSDAP層、CUのPDCP層のピア層であるPDCP層、IABノード2のRLC層のピア層であるRLC層、IABノード2のMAC層のピア層であるMAC層、IABノード2のPHY層のピア層であるPHY層を含む。IABノード2のプロトコル・スタックは、UEとの通信のためのプロトコル・スタックと、IABノード1との通信のためのプロトコル・スタックとを含む。UEとの通信のためのプロトコル・スタックは、上から下へ順に、UEのRLC層のピア層であるRLC層、UEのMAC層のピア層であるMAC層、UEのPHY層のピア層であるPHY層を含む。IABノード1との通信のためのプロトコル・スタックは、上から下へ順に、IABノード1の適応層のピア層である適応層と、IABノード1のRLC層のピア層であるRLC層と、IABノード1のMAC層のピア層であるMAC層と、IABノード1のPHY層のピア層であるPHY層とを含む。IABノード1のプロトコル・スタックは、IABノード2との通信のためのプロトコル・スタックと、DUとの通信するためのプロトコル・スタックとを含む。IABノード2との通信のためのプロトコル・スタックは、上から下へ順に、IABノード2の適応層のピア層である適応層、IABノード2のRLC層のピア層であるRLC層、IABノード2のMAC層のピア層であるMAC層、IABノード2のPHY層のピア層であるPHY層を含む。DUとの通信のためのプロトコル・スタックは、上から下へ順に、DUの適応層のピア層である適応層、DUのRLC層のピア層であるRLC層、DUのMAC層のピア層であるMAC層、DUのPHY層のピア層であるPHY層を含む。DUのプロトコル・スタックは、IABノード1との通信のためのプロトコル・スタックと、CUとの通信のためのプロトコル・スタックとを含む。IABノード1との通信ためのプロトコル・スタックは、上から下へ順に、IABノード1の適応層のピア層である適応層、IABノード1のRLC層のピア層であるRLC層、IABノード1のMAC層のピア層であるMAC層、IABノード1のPHY層のピア層であるPHY層を含む。CUとの通信のためのプロトコル・スタックは、上から下へ順に、CUの適応層のピア層である適応層、CUのGTP層のピア層であるGTP層、CUのUDP層のピア層であるUDP層、CUのIP層のピア層であるIP層、CUのL1/L2層のピア層であるL1/L2層を含む。CUのプロトコル・スタックは、DUとの通信のためのプロトコル・スタックと、UPFとの通信のためのプロトコル・スタックとを含む。DUとの通信するためのプロトコル・スタックは、上から下へ順に、UEのSDAP層のピア層であるSDAP層、UEのPDCP層のピア層であるPDCP層、DUの適応層のピア層である適応層、DUのGTP層のピア層であるGTP層、DUのUDP層のピア層であるUDP層、DUのIP層のピア層であるIP層、DUのL1/L2層のピア層であるL1/L2層を含む。UPFとの通信のためのプロトコル・スタックは、上から下へ順に、GTP-U層、UDP層、IP層、およびL1/L2層を含む。UPFのプロトコル・スタックは、上から下へ順に、UEのPDU層のピア層であるPDU層、CUのGTP-U層のピア層であるGTP-U層、CUのUDP層のピア層であるUDP層、CUのIP層のピア層であるIP層、CUのL1/L2層のピア層であるL1/L2層を含む。
【０４７３】
図22に示される制御プレーン・マルチホップ・プロトコル・アーキテクチャーでは、関連するネットワーク要素は、UE、IABノード2、IABノード1、DU、CU、および制御プレーン・ネットワーク要素を含む。UEのプロトコル・スタックは、上から下へ順にNAS層、RRC層、PDCP層、RLC層、MAC層、およびPHY層を含む。IABノード2のプロトコル・スタックは、UEとの通信のためのプロトコル・スタックと、IABノード1との通信のためのプロトコル・スタックとを含む。UEとの通信のためのプロトコル・スタックは、上から下へ順に、UEのRLC層のピア層であるRLC層、UEのMAC層のピア層であるMAC層、UEのPHY層のピア層であるPHY層を含む。IABノード1との通信のためのプロトコル・スタックは、上から下へ順にT1AP層、PDCP層、適応層、RLC層、MAC層、PHY層を含む。T1AP層は、CUのT1AP層のピア層である。IABノード1のプロトコル・スタックは、IABノード2のプロトコル・スタックのピア・プロトコル・スタックであるプロトコル・スタックと、DUのプロトコル・スタックのピア・プロトコル・スタックであるプロトコル・スタックとを含む。IABノード2のプロトコル・スタックのピア・プロトコル・スタックであるプロトコル・スタックは、上から下へ順に適応層、RLC層、MAC層、およびPHY層を含む。DUのプロトコル・スタックのピア・プロトコル・スタックであるプロトコル・スタックは、上から下へ順に適応層、RLC層、MAC層、およびPHY層を含む。DUのプロトコル・スタックは、IABノード1のプロトコル・スタックのピア・プロトコル・スタックであるプロトコル・スタックと、CUのプロトコル・スタックのピア・プロトコル・スタックであるプロトコル・スタックとを含む。IABノード1のプロトコル・スタックのピア・プロトコル・スタックであるプロトコル・スタックは、上から下へ順に適応層、RLC層、MAC層、およびPHY層を含む。CUのプロトコル・スタックのピア・プロトコル・スタックであるプロトコル・スタックは、上から下へ順に適応層、F1AP層、SCTP層、IP層、およびL1/L2層を含む。CUのプロトコル・スタックは、UE、IABノード、およびDUとの通信のためのプロトコル・スタックと、AMFとの通信するためのプロトコル・スタックとを含む。UE、IABノード、およびDUとの通信のためのプロトコル・スタックは、上から下へ、UEのRRC層のピア層であるRRC層、UEのPDCP層のピア層であるPDCP層、IABノード2のT1AP層のピア層であるT1AP層、IABノード2のPDCP層のピア層であるPDCP層、DUの適応層のピア層である適応層、DUのF1AP層のピア層であるF1AP層、DUのSCTP層のピア層であるSCTP層、DUのIP層のピア層であるIP層、DUのL1/L2層のピア層であるL1/L2層を含む。AMFとの通信のためのプロトコル・スタックは、上から下へ順にNGAP層、SCTP層、IP層、L1/L2層を含む。AMFのプロトコル・スタックは、上から下へ順に、UEのNAS層のピア層であるNAS層、DUのNGAP層のピア層であるNGAP層、DUのSCTP層のピア層であるSCTP層、DUのIP層のピア層であるIP層、DUのL1/L2層のピア層であるL1/L2層を含む。
【０４７４】
図21および図22に示されるプロトコル・スタック・アーキテクチャーに基づいて、本願のさらに別の実施形態では、下りリンク・データ・パケット（ユーザープレーン・データ・パケットまたは制御プレーン・データ・パケット）の適応層がCUによって追加される。DUについては、CUの適応層のピア層である適応層が、F1インターフェース上に構成されてもよく、IABノード1の適応層のピア層である適応層がUnインターフェース上に構成されてもよい。図21において、CUとDUとの間のF1インターフェース上にある、破線の四角内に示されるGTP層、UDP層、およびIP層は任意的なプロトコル層である。つまり、該GTP層、UDP層、およびIP層は、CUとDUとの間のF1インターフェース上に構成されなくてもよい。あるいはまた、GTP層/UDP層/IP層のうちの一部のプロトコル層が、CUとDUとの間のF1インターフェース上に構成されない（たとえば、GTP層とUDP層は、CUとDUとの間のF1インターフェース上に構成されず、IP層は、CUとDUとの間のF1インターフェース上に構成される）。任意的に、図21に示されるプロトコル・アーキテクチャーに基づいて、別の変更されたプロトコル・アーキテクチャーがあってもよい。たとえば、IABノード2とCUとの間のインターフェース上にピアGTP層がさらに構成されてもよい（たとえば、GTP層の下には、ピアUDP層およびピアIP層がさらに存在してもよく、任意的に、UDP層とIP層は任意的なプロトコル層であり、すなわち、UDP層とIP層は、構成されなくてもよい）。UEのDRBに対応して、IABノード2のGTP層は、適応層より上に位置する。CUのGTP層は、PDCP層と適応層の間に位置する。詳細については、理解のために図9におけるIABノード2およびCUのピアGTP層を参照されたい。
【０４７５】
本願のこの実施形態では、適応層は、CUによって直接追加されてもよい。よって、図19A、図19B、図19C、図20A、図20B、および図20Cに記載された解決策に記載されたF1インターフェース上のデータ・パケットの追加情報（たとえば、IABノードの識別子、およびデータ・パケットにおいて担持されるペイロードのメッセージのタイプを示すために使用される指示情報）は、適応層によって直接搬送されてもよく、既存のF1インターフェースのGTP層またはF1AP層のようなプロトコル層において修正される必要はない。
【０４７６】
図21および図22に示されるプロトコル・スタックにおいて、ユーザープレーン・データ・パケットの伝送態様については、図19A、図19B、図19C、図20A、図20B、および図20Cに記載される解決策を参照されたい。制御プレーン・データ・パケットの伝送態様については、図19A、図19B、図19C、図20A、図20B、および図20C、ならびに前述の諸実施形態に記載されている解決策を参照されたい。図21および図22に示されるプロトコル・スタックでは、下りリンク・データ・パケットの適応層を追加し、上りリンク・データ・パケットから適応層を除去するプロセスがCUにおいて実行される。別のプロセスについては、図19A、図19B、図19C、図20A、図20B、および図20Cに記載された解決策を参照されたい。これは、本願において限定されない。
【０４７７】
図23は、本願のある実施形態による、別のユーザープレーン・マルチホップ・プロトコル・アーキテクチャーを示す。図23に示されるプロトコル・スタック・アーキテクチャーと図21に示すプロトコル・スタック・アーキテクチャーとの違いは、図23では、DUに含まれる、IABノード1のプロトコル・スタックのピア・プロトコル・スタックであるプロトコル・スタックも、DUに含まれる、CUとの通信のためのプロトコル・スタックも、適応層をもたない点にある。
【０４７８】
図24は、本願のある実施形態による別の制御プレーン・マルチホップ・プロトコル・アーキテクチャーを示す。図24に示されるプロトコル・スタックと図22に示される制御プレーン・プロトコル・スタックとの違いは、DUのプロトコル・スタックが、IABノード1の適応層のピア層である適応層を含まず、CUの適応層のピア層である適応層も含まないという点である。
【０４７９】
図23および図24に基づいて、本願のある実施形態は、別の構成方法をさらに提供する。図23において、CUとDUとの間のF1インターフェース上に示されるGTP層、UDP層、およびIP層は、任意的なプロトコル層である。つまり、該GTP層、UDP層、およびIP層は、CUとDUとの間のF1インターフェース上に構成されなくてもよい。あるいはまた、該GTP層、UDP層、およびIP層のうち一部のプロトコル層が構成されない（たとえば、GTP層およびUDP層は、CUとDUとの間のF1インターフェース上に構成されず、IP層は、CUとDUとの間のF1インターフェース上に構成される）。
【０４８０】
任意的に、図23に示されるプロトコル・アーキテクチャーに基づいて、別の変更されたプロトコル・アーキテクチャーが存在してもよい。たとえば、IABノード2およびCUについてピアGTP層がさらに構成されてもよい（GTP層の下には、ピアUDP層およびピアIP層が存在してもよく、任意的に、UDP層およびIP層は任意的なプロトコル層であり、すなわち、UDP層およびIP層は、IABノード2およびCUについて構成されなくてもよい）。UEのDRBに対応して、IABノード2のGTP層は、適応層より上に位置し、CUのGTP層は、PDCP層と適応層との間に位置する。詳細については、理解のために、図9におけるIABノード2およびCUのピアGTP層を参照されたい。
【０４８１】
図23および図24に示されるプロトコル・スタックに基づいて、下りリンク・データ・パケット（ユーザープレーン・データ・パケットまたは制御プレーン・データ・パケット）の適応層がCUによって追加される。IABノードおよびDUに関する適応情報を得る具体的なプロセスについては、図21および図22に示される実施形態の説明を参照されたい。
【０４８２】
図23および図24に示された実施形態と図21および図22に示された実施形態との間の相違は、以下の点にあることに注意しておくべきである。DUについて適応層が構成されなくてもよい。すなわち、DUは、適応層におけるデータ・パケット内の情報をパースせず、ユーザープレーンまたは制御プレーンのデータ・パケットをDUとIABノード1との間のUnインターフェース上でIABノード1に送信することを、F1インターフェース上でデータ・パケット内で伝達された情報に基づいて、指定されたSUBまたはDRBを通じて行なう必要がある。よって、データ・パケット内で担持されるメッセージのタイプを示すために使用され、F1インターフェース上でデータ・パケット内で担持される必要がある指示情報については、理解のために、図19A、図19B、図19C、図20A、図20B、および図20Cの解決策を参照されたい。
【０４８３】
相違の前述の説明を参照すると、ノード伝送プロセスにおけるデータ・パケットのフォーマット、特にF1インターフェース上のデータ・パケットのフォーマットは、図23および図24のプロトコル・スタックによって適応的に変化することが理解されうる。
【０４８４】
本願の実施形態において、CU-DU分割形式のドナーgNodeBについては、DUに追加された適応情報は、CUによってDUに通知されてもよいことに注意しておくべきである。具体的には、CUは下記の仕方でDUに通知してもよい。
【０４８５】
事例1:CUは、UEまたはIABノードに送信されるデータ・パケットに適応情報を直接追加する。
【０４８６】
図7から図10に示されるプロトコル・スタック・アーキテクチャーでは、ユーザープレーンを通じて伝送されるデータ・パケットについて、適応情報は、F1インターフェース上でCUおよびDUのピアGTPプロトコル層の処理プロセスにおいて伝達されうる。たとえば、F1インターフェース上のGTPトンネルが、1対1でUEのDRBに対応する。DUは、GTPヘッダ情報内のTEIDを使用することによって、データ・パケットに対応するUEと、該UEのDRBを知ることができる。さらに、CUは、GTPヘッダ情報に他の適応情報をさらに含めてもよい。あるいはまた、F1インターフェース上のGTPトンネルは、DUの子ノード（すなわち、DUに直接接続されたUEまたはIABノードでありうる、DUに直接接続された第1レベルの子ノード）のDRBに1対1に対応し、適応情報の一部または全部が、GTPヘッダにおいて搬送されてもよい。
【０４８７】
別の例として、図11および図12に示されるプロトコル・アーキテクチャーでは、制御プレーン・データ・パケットについて、適応情報は、F1インターフェース上のCUおよびDUのピアF1APプロトコル層の処理プロセスにおいて伝達されうる。
【０４８８】
あるいはまた、適応情報は、F1インターフェース上のCUおよびDUのピアIPプロトコル層の処理プロセスにおいて伝達される（たとえば、データ・パケットのDSCPはIPヘッダ情報において伝達され、他の適応情報はIP層でさらに伝達されてもよい）。
【０４８９】
あるいはまた、F1インターフェース上で、DUおよびCUのさらなるピア適応層がある場合、CUは適応層を使用して適応情報を搬送する。
【０４９０】
この場合、DUは、DUによってIABノードに送信されるユーザープレーン・データ・パケットまたは制御プレーン・データ・パケットの適応層に、CUによってデータ・パケット中に含められる適応情報を追加し、適応情報に含まれるルーティング構成およびQoSマッピング関連情報に基づいて、データ・パケットを正しい次ホップ・ノードに送信することができる。DUは、CUによって送信されたルーティング構成を、事前に、制御プレーンF1APメッセージを使用することによって、受信することができる。構成プロセスは、図19A、図19B、および図19Cを参照して理解されうる。他方、DUは、CUによって送信された制御プレーンF1APメッセージを使用することによって、QoSマッピング関連構成情報をさらに受信することができる。構成プロセスは、図20A、図20B、および図20Cを参照して理解されうる。
【０４９１】
事例2：適応層は、制御プレーン・メッセージを使用して構成される。CUによってUEまたはIABノードに送信されるデータ・パケットは、インデックス（index）を担持し、インデックスは、以前に受信された構成情報に基づいて、インデックスに関連付けられる適応情報を決定するためにDUによって使用される。インデックスに関連付けられた適応情報が決定された後、適応情報は、適応層の処理プロセスにおいてデータ・パケットに追加される。
【０４９２】
事例1と事例2の間の同じ部分は、DUによってデータ・パケットに追加される必要のある適応情報も、CUによって、DUのために、制御プレーン・メッセージを使ってあらかじめ構成される必要があるということである。いくらかの適応情報（たとえば、各ノードの子ノードおよび後裔子ノードの識別子、伝送経路識別子、および次ホップ・ノード識別子のようなルーティング関連情報）が、IABノードがネットワークにアクセスするとき、DUおよびIABノードのために構成される。他の部分のUE関連適応情報は、UEがネットワークにアクセスし、PDUセッションをセットアップするときに、制御プレーン・メッセージを使用して、IABノードとDUのために構成される必要がある。制御プレーン・メッセージは、たとえば、CUによってDUに送られるF1APメッセージならびにCUによってIABノードに送られるRRCメッセージまたはT1APメッセージでありうる。
【０４９３】
たとえば、図7〜図12および図21〜図24は、2つのIABノードのネットワーク化シナリオにおけるユーザープレーンおよび制御プレーン・プロトコル・スタックの概略アーキテクチャー図である。むろん、実際の応用では、任意の量のIABノードがありえ、ユーザーは単一のIABノードまたは任意の量のIABノードのネットワーキング・シナリオに拡張できる。たとえば、図7〜図12および図21〜図24におけるIABノード1が除去された場合、単一のIABノード・ネットワーク・シナリオが形成される。あるいはまた、実際の応用では、IABノード2とIABノード1との間に任意の量の他のIABノードが追加されて、3つ以上のIABノードのネットワーキング・シナリオに拡張されてもよい。新しく追加されたIABノードとIABノード1またはIABノード2との間のインターフェース上のプロトコル・スタックについては、理解のために、IABノード1およびIABノード2のプロトコル・スタックを参照されたい。
【０４９４】
図11、図22、および図24において、本願の実施形態において、IABノードがDRBをバックホール・リンクを通じた伝送のために使用する場合、CUとDUとの間のF1インターフェース上のF1AP層、SCTP層、およびIP層は、GTP層、UDP層、およびIP層で置き換えられてもよいことを注意しておくべきである。この場合、IABノードのT1APメッセージは、F1インターフェース上でユーザープレーン伝送チャネルを通じて伝送される。
【０４９５】
上記は、主に、ネットワーク要素間の対話の観点から、本願の実施形態における解決策を記載している。前述の機能を実現するために、上りリンク・データ伝送装置、下りリンク・データ伝送装置、または構成装置などの各ネットワーク要素は、各機能を実行するための対応するハードウェア構造および／またはソフトウェア・モジュールを含むことが理解されうる。当業者は、本明細書に開示された実施形態に記載された例におけるユニットおよびアルゴリズム・ステップと組み合わせて、本願がハードウェアまたはハードウェアとコンピュータ・ソフトウェアとの組み合わせによって実施され得ることを容易に理解するはずである。機能がハードウェアによって実行されるのか、それともコンピュータ・ソフトウェアによって駆動されるハードウェアによって実行されるのかは、技術的解決策の具体的な用途および設計上の制約条件に依存する。当業者であれば、特定の用途ごとに、記載された機能を実現するために異なる方法を用いることができるが、その実現が本願の範囲を超えるものであると考えるべきではない。
【０４９６】
本願の実施形態では、上りリンク・データ伝送装置、下りリンク・データ伝送装置、および構成装置は、上記の方法例に基づいて機能ユニットに分割されてもよい。たとえば、各機能ユニットは、対応する機能に基づく分割を通じて得られてもよく、または、2つ以上の機能が、1つの処理ユニットに統合されてもよい。統合ユニットは、ハードウェアの形で実施されてもよく、またはソフトウェア機能ユニットの形で実施されてもよい。本願の実施形態において、ユニットへの分割は例であり、単に論理的な機能分割であることに注意しておくべきである。実際の実施においては、別の分割態様が使用されてもよい。
【０４９７】
統合されたユニットが使用される場合、図25は、前述の実施形態における構成装置の可能な構造の概略図である。構成装置は、第1の装置または第1の装置内のチップであってもよい。構成装置は、受信ユニット101と構成ユニット102とを含む。受信ユニット101は、前述の実施形態におけるS102を実行することにおいて、構成装置を支援するように構成されている。構成ユニット102は、前述の実施形態においてS103を実行することにおいて、構成装置を支援するように構成されている。
【０４９８】
ある任意的な実施形態では、受信ユニット101は、前述の実施形態におけるS106、S108、S110を実行することにおいて、構成装置を支援するようにさらに構成される。
【０４９９】
任意的に、第1の装置は、前述の実施形態におけるS104を実行することにおいて、構成装置を支援するように構成された送信ユニット103をさらに含んでいてもよい。前述の方法実施形態におけるステップのすべての関連する内容は、対応する機能モジュールの機能説明において引用することができ、詳細は、ここでは再度説明しない。
【０５００】
統合されたユニットが使用される場合、図26は、前述の実施形態における構成装置の、ある可能な論理構造の概略図である。構成装置は、前述の実施形態における第1の装置であってもよく、または第1の装置に適用されるチップであってもよい。構成装置は、処理モジュール112および通信モジュール113を含む。処理モジュール112は、構成装置の動作を制御および管理するように構成される。
【０５０１】
たとえば、処理モジュール112は、構成装置の側でメッセージまたはデータを処理するステップを実行するように構成され、たとえば、前述の実施形態におけるS103を実行することにおいて、構成装置を支援するように構成される。通信モジュール113は、前述の実施形態におけるS102を実行することにおいて構成装置を支援するように構成される。
【０５０２】
ある任意的な実装では、通信モジュール113は、前述の実施形態におけるS104、S106、S108、およびS110を実行することにおいて、および／または、本明細書に記載される技術のために使用され、構成装置によって実行される別のプロセスを実行することにおいて、構成装置をサポートするようにさらに構成される。
【０５０３】
任意的に、構成装置は、構成装置のプログラム・コードおよびデータを記憶するように構成された記憶モジュール111をさらに含んでいてもよい。
【０５０４】
処理モジュール112は、プロセッサまたはコントローラであってもよく、たとえば、中央処理装置、汎用プロセッサ、デジタル信号プロセッサ、特定用途向け集積回路、フィールド・プログラマブル・ゲート・アレイ、または他のプログラマブル論理デバイス、トランジスタ論理デバイス、ハードウェア・コンポーネント、またはそれらの任意の組み合わせであってもよい。処理モジュール112は、本願に開示された内容を参照して記述されたさまざまな例示的な論理ブロック、モジュール、および回路を実装または実行することができる。あるいはまた、処理モジュール112は、計算機能を実装するプロセッサの組み合わせ、たとえば、一つまたは複数のマイクロプロセッサの組み合わせ、またはデジタル信号プロセッサとマイクロプロセッサの組み合わせであってもよい。通信モジュール113は、トランシーバ、トランシーバ回路、通信インターフェースなどであってもよい。記憶モジュール111はメモリであってもよい。
【０５０５】
処理モジュール112がプロセッサ120であり、通信モジュール113が通信インターフェース130またはトランシーバであり、記憶モジュール111がメモリ140である場合、本願の構成装置は、図27に示すデバイスであってもよい。
【０５０６】
通信インターフェース130、一つまたは複数（2つを含む）のプロセッサ120、およびメモリ140は、バス110を通じて互いに接続される。バス110は、PCIバス、EISAバスなどであってもよい。バスは、アドレスバス、データバス、制御バスなどに分類されうる。表現の簡単のため、図27のバスを表わすためには1本の太線のみが使用されているが、これはバスが1本のみ、またはバスのタイプが1本のみであることを意味するものではない。メモリ140は、構成装置のプログラム・コードおよびデータを格納するように構成される。通信インターフェース130は、他の装置（たとえば、第2の装置）と通信する際に構成装置を支援するように構成される。プロセッサ120は、本願において提供されるS102、S103、S104、S106、S108、およびS110を実装するために、メモリ140に記憶されたプログラム・コードおよびデータを実行する際に、構成装置を支援するように構成される。
【０５０７】
統合されたユニットが使用される場合、図28は、前述の実施形態における構成装置の可能な構造の概略図である。構成装置は、RAN装置またはRAN装置内のチップであってもよい。構成装置は、送信ユニット201を含む。送信ユニット201は、上記実施形態におけるS101を実行することにおいて、構成装置を支援するように構成されている。ある任意的な実装では、送信ユニット201は、前述の実施形態におけるS105、S107、S109を実行することにおいて、構成装置を支援するようにさらに構成される。前述の方法実施形態におけるステップのすべての関連する内容は、対応する機能モジュールの機能説明において引用することができ、詳細は、ここでは再度説明しない。
【０５０８】
統合されたユニットが使用する場合、図29は、前述の実施形態における構成装置の可能な論理構造の概略図である。構成装置は、前述の実施形態におけるRAN装置であってもよく、またはRAN装置に適用されるチップであってもよい。構成装置は、処理モジュール212および通信モジュール213を含む。処理モジュール212は、構成装置の動作を制御および管理するように構成される。たとえば、処理モジュール212は、構成装置の側でメッセージまたはデータ処理を実行するステップを実行するように構成される。通信モジュール213は、前述の実施形態におけるS101を実行することにおいて構成装置を支援するように構成される。ある任意的な実装では、通信モジュール213は、前述の実施形態におけるS105、S107、およびS109を実行することにおいて、および／または本明細書に記載される技術のために使用され、構成装置によって実行される別のプロセスを実行することにおいて構成装置を支援するようにさらに構成される。
【０５０９】
任意的に、構成装置は、構成装置のプログラム・コードおよびデータを記憶するように構成された記憶モジュール211をさらに含んでいてもよい。
【０５１０】
処理モジュール212は、プロセッサまたはコントローラであってもよく、たとえば、中央処理装置、汎用プロセッサ、デジタル信号プロセッサ、特定用途向け集積回路、フィールド・プログラマブル・ゲート・アレイ、または他のプログラマブル論理デバイス、トランジスタ論理デバイス、ハードウェア・コンポーネント、またはそれらの任意の組み合わせであってもよい。処理モジュール212は、本願に開示された内容を参照して説明されたさまざまな例示的な論理ブロック、モジュール、および回路を実装または実行することができる。あるいはまた、処理モジュール212は、計算機能を実装するプロセッサの組み合わせ、たとえば、一つまたは複数のマイクロプロセッサの組み合わせ、またはデジタル信号プロセッサとマイクロプロセッサの組み合わせであってもよい。通信モジュール213は、トランシーバ、トランシーバ回路、通信インターフェースなどであってもよい。記憶モジュール211はメモリであってもよい。
【０５１１】
処理モジュール212がプロセッサ220であり、通信モジュール213が通信インターフェース230またはトランシーバであり、記憶モジュール211がメモリ240である場合、本願の構成装置は、図30に示すデバイスであってもよい。
【０５１２】
通信インターフェース230、一つまたは複数（2つを含む）のプロセッサ220、およびメモリ240は、バス210を通じて互いに接続される。バス210は、PCIバス、EISAバスなどであってもよい。バスは、アドレスバス、データバス、制御バスなどに分類されうる。表現の簡単のため、図30のバスを表わすためには1本の太線のみが使用されているが、これはバスが1つのみ、またはバスのタイプが1つのみであることを意味するものではない。メモリ240は、構成装置のプログラム・コードおよびデータを格納するように構成される。通信インターフェース230は、他の装置（たとえば、第2の装置）と通信することにおいて構成装置を支援するように構成される。プロセッサ220は、本願において提供されるS101を実装するために、メモリ240に記憶されるプログラム・コードおよびデータを実行することにおいて、構成装置を支援するように構成される。ある任意的な実装では、プロセッサ220は、本願において提供されるS105、S107、およびS109を実装するために、メモリ240に格納されたプログラム・コードおよびデータを実行することにおいて構成装置を支援するようにさらに構成される。
【０５１３】
統合されたユニットが使用される場合、図31は、前述の実施形態における上りリンク／下りリンク・データ伝送装置の可能な構造の概略図である。上りリンク／下りリンク・データ伝送装置は、第1の装置または第1の装置内のチップであってもよい。上りリンク／下りリンク・データ伝送装置は、受信ユニット301と送信ユニット302とを含む。受信ユニット301は、前述の実施形態においてS203、S303を実行することにおいて、上りリンク／下りリンク・データ伝送装置を支援するように構成されている。送信ユニット302は、前述の実施形態においてS204、S304を実行することにおいて、上りリンク／下りリンク・データ伝送装置を支援するように構成されている。前述の方法実施形態におけるステップのすべての関連する内容は、対応する機能モジュールの機能説明で引用することができ、詳細は、ここでは再度説明しない。
【０５１４】
統合されたユニットが使用される場合、図32は、前述の実施形態における上りリンク／下りリンク・データ伝送装置の可能な論理構造の概略図である。上りリンク／下りリンク・データ伝送装置は、前述の実施形態における第1の装置であってもよく、または第1の装置に適用されるチップであってもよい。上りリンク／下りリンク・データ伝送装置は、処理モジュール312および通信モジュール313を含む。処理モジュール312は、上りリンク／下りリンク・データ伝送装置の動作を制御および管理するように構成される。たとえば、処理モジュール312は、上りリンク／下りリンク・データ伝送装置の側でメッセージまたはデータ処理を実行するステップを実行するように構成され、たとえば、前述の実施形態におけるS203およびS303を実行することにおいて上りリンク／下りリンク・データ伝送装置を支援するように構成される。通信ユニット313は、上述の実施形態におけるS204、S304を実行することにおいて、および／または、本明細書に記載の技術のために使用され、上りリンク／下りリンク・データ伝送装置によって実行される他のプロセスを実行することにおいて、上りリンク／下りリンク・データ伝送装置を支援するように構成されている。
【０５１５】
任意的に、上りリンク／下りリンク・データ伝送装置は、上りリンク／下りリンク・データ伝送装置のプログラム・コードおよびデータを記憶するように構成された記憶モジュール311をさらに含んでいてもよい。
【０５１６】
処理モジュール312は、プロセッサまたはコントローラであってもよく、たとえば、中央処理装置、汎用プロセッサ、デジタル信号プロセッサ、特定用途向け集積回路、フィールド・プログラマブル・ゲート・アレイ、または他のプログラマブル論理デバイス、トランジスタ論理デバイス、ハードウェア・コンポーネント、またはそれらの任意の組み合わせであってもよい。処理モジュール312は、本願に開示された内容を参照して説明されたさまざまな例示的な論理ブロック、モジュール、および回路を実装または実行することができる。あるいはまた、処理モジュール312は、計算機能を実装するプロセッサの組み合わせ、たとえば、一つまたは複数のマイクロプロセッサの組み合わせ、またはデジタル信号プロセッサとマイクロプロセッサの組み合わせであってもよい。通信モジュール313は、トランシーバ、トランシーバ回路、通信インターフェースなどであってもよい。記憶モジュール311はメモリであってもよい。
【０５１７】
処理モジュール312がプロセッサ320であり、通信モジュール313が通信インターフェース330またはトランシーバであり、記憶モジュール311がメモリ340である場合、本願における上りリンク／下りリンク・データ伝送装置は、図33に示されるデバイスであってもよい。
【０５１８】
通信インターフェース330、一つまたは複数（2つを含む）のプロセッサ320、およびメモリ340は、バス310を介して互いに接続される。バス310は、PCIバス、EISAバスなどであってもよい。バスは、アドレスバス、データバス、制御バスなどに分類されうる。表現の簡単のため、図33のバスを表わすために1本の太線のみが使用されているが、これはバスが1つのみ、またはバスのタイプが1つのみであることを意味するものではない。メモリ340は、上りリンク／下りリンク・データ伝送装置のプログラム・コードおよびデータを格納するように構成される。通信インターフェース330は、他の装置（たとえば、第3の装置または第2の装置）と通信することにおいて上りリンク／下りリンク・データ伝送装置を支援するように構成される。プロセッサ320は、本願において提供されるS203、S204、S303、およびS304を実装するために、メモリ340に記憶されたプログラム・コードおよびデータを実行することにおいて、構成装置を支援するように構成される。
【０５１９】
統合されたユニットが使用される場合、図34は、前述の実施形態における上りリンク・データ伝送装置の可能な構造の概略図である。上りリンク・データ伝送装置は、第2の装置または第2の装置内のチップであってもよい。上りリンク・データ伝送装置は、生成ユニット401と送信ユニット402とを含む。生成ユニット401は、前述の実施形態におけるS201を実行することにおいて上りリンク・データ伝送装置を支援するように構成されている。送信ユニット402は、前述の実施形態におけるS202を実行することにおいて上りリンク・データ伝送装置を支援するように構成されている。前述の方法実施形態におけるステップのすべての関連する内容は、対応する機能モジュールの機能説明で引用することができ、詳細は、ここでは再度説明しない。
【０５２０】
統合ユニットを使用する場合、図35は、前述の実施形態における上りリンク・データ伝送装置の可能な論理構造の概略図である。上りリンク・データ伝送装置は、前述の実施形態における第2の装置であってもよく、または第2の装置に適用されるチップであってもよい。上りリンク・データ伝送装置は、処理モジュール412および通信モジュール413を含む。処理モジュール412は、上りリンク・データ伝送装置の動作を制御および管理するように構成される。たとえば、処理モジュール412は、上りリンク・データ伝送装置の側でメッセージまたはデータ処理を実行するステップを実行するように構成され、たとえば、前述の実施形態におけるS201を実行することにおいて上りリンク・データ伝送装置を支援するように構成される。通信モジュール413は、前述の実施形態におけるS202を実行することにおいて、および／または、本明細書に記載の技術のために使用され、上りリンク・データ伝送装置によって実行される別のプロセスを実行することにおいて、上りリンク・データ伝送装置を支援するように構成される。
【０５２１】
任意的に、上りリンク・データ伝送装置は、上りリンク・データ伝送装置のプログラム・コードおよびデータを記憶するように構成された記憶モジュール411をさらに含んでいてもよい。
【０５２２】
処理モジュール412は、プロセッサまたはコントローラであってもよく、たとえば、中央処理装置、汎用プロセッサ、デジタル信号プロセッサ、特定用途向け集積回路、フィールド・プログラマブル・ゲート・アレイ、または他のプログラマブル論理デバイス、トランジスタ論理デバイス、ハードウェア・コンポーネント、またはそれらの任意の組み合わせであってもよい。処理モジュール412は、本願に開示された内容を参照して説明されたさまざまな例示的な論理ブロック、モジュール、および回路を実装または実行することができる。あるいはまた、処理モジュール412は、計算機能を実装するプロセッサの組み合わせ、たとえば、一つまたは複数のマイクロプロセッサの組み合わせ、またはデジタル信号プロセッサとマイクロプロセッサの組み合わせであってもよい。通信モジュール413は、トランシーバ、トランシーバ回路、通信インターフェースなどであってもよい。記憶モジュール411はメモリであってもよい。
【０５２３】
処理モジュール412がプロセッサ420であり、通信モジュール413が通信インターフェース430またはトランシーバであり、記憶モジュール411がメモリ440である場合、本願における上りリンク・データ伝送装置は、図36に示されるデバイスであってもよい。
【０５２４】
通信インターフェース430、一つまたは複数（2つを含む）のプロセッサ420、およびメモリ440は、バス410を通じて互いに接続される。バス410は、PCIバス、EISAバスなどであってもよい。バスは、アドレスバス、データバス、制御バスなどに分類されうる。表現の簡単のため、図36のバスを表わすためには1本の太線のみが使用されているが、これはバスが1つのみ、またはバスのタイプが1つのみであることを意味するものではない。メモリ440は、上りリンク・データ伝送装置のプログラム・コードおよびデータを格納するように構成される。通信インターフェース430は、他の装置（たとえば、第1の装置）と通信することにおいて上りリンク・データ伝送装置を支援するように構成される。プロセッサ420は、本願において提供されるS201およびS202を実装するために、メモリ440に記憶されるプログラム・コードおよびデータを実行することにおいて上りリンク・データ伝送装置を支援するように構成される。
【０５２５】
統合されたユニットが使用される場合、図37は、前述の実施形態における上りリンク・データ伝送装置の可能な構造の概略図である。上りリンク・データ伝送装置は、第3の装置または第3の装置内のチップであってもよい。上りリンク・データ伝送装置は、受信ユニット501と送信ユニット502とを含む。受信ユニット501は、前述の実施形態におけるS205を実行することにおいて上りリンク・データ伝送装置を支援するように構成されている。処理ユニット502は、前述の実施形態におけるS206を実行することにおいて上りリンク・データ伝送装置を支援するように構成されている。前述の方法実施形態におけるステップのすべての関連する内容は、対応する機能モジュールの機能説明で引用することができ、詳細は、ここでは再度説明しない。
【０５２６】
統合されたユニットが使用される場合、図38は、前述の実施形態における上りリンク・データ伝送装置の可能な論理構造の概略図である。上りリンク・データ伝送装置は、前述の実施形態における第3の装置であってもよく、または第3の装置に適用されるチップであってもよい。上りリンク・データ伝送装置は、処理モジュール512および通信モジュール513を含む。処理モジュール512は、上りリンク・データ伝送装置の動作を制御および管理するように構成される。たとえば、処理モジュール512は、上りリンク・データ伝送装置の側でメッセージまたはデータ処理を実行するステップを実行するように構成され、たとえば、前述の実施形態におけるS206を実行することにおいて上りリンク・データ伝送装置を支援するように構成される。通信モジュール513は、前述の実施形態におけるS205を実行することにおいて、および／または本明細書に記載の技術のために使用され、上りリンク・データ伝送装置によって実行される別のプロセスを実行することにおいて上りリンク・データ伝送装置を支援するように構成される。
【０５２７】
任意的に、上りリンク・データ伝送装置は、上りリンク・データ伝送装置のプログラム・コードおよびデータを記憶するように構成された記憶モジュール511をさらに含んでいてもよい。
【０５２８】
処理モジュール512は、プロセッサまたはコントローラであってもよく、たとえば、中央処理装置、汎用プロセッサ、デジタル信号プロセッサ、特定用途向け集積回路、フィールド・プログラマブル・ゲート・アレイ、または他のプログラマブル論理デバイス、トランジスタ論理デバイス、ハードウェア・コンポーネント、またはそれらの任意の組み合わせであってもよい。処理モジュール512は、本願に開示された内容を参照して説明されたさまざまな例示的な論理ブロック、モジュール、および回路を実装または実行することができる。あるいはまた、処理モジュール512は、計算機能を実装するプロセッサの組み合わせ、たとえば、一つまたは複数のマイクロプロセッサの組み合わせ、またはデジタル信号プロセッサとマイクロプロセッサの組み合わせであってもよい。通信モジュール513は、トランシーバ、トランシーバ回路、通信インターフェースなどであってもよい。記憶モジュール511はメモリであってもよい。
【０５２９】
処理モジュール512がプロセッサ520であり、通信モジュール513が通信インターフェース530またはトランシーバであり、記憶モジュール511がメモリ540である場合、本願における上りリンク・データ伝送装置は、図39に示されるデバイスであってもよい。
【０５３０】
通信インターフェース530、一つまたは複数（2つを含む）のプロセッサ520、およびメモリ540は、バス510を介して互いに接続される。バス510は、PCIバス、EISAバスなどであってもよい。バスは、アドレスバス、データバス、制御バスなどに分類されうる。表現の簡単のため、図39のバスを表わすために1本の太線のみが使用されているが、これはバスが1本のみ、またはバスのタイプが1本のみであることを意味するものではない。メモリ540は、上りリンク・データ伝送装置のプログラム・コードおよびデータを格納するように構成される。通信インターフェース530は、他の装置（たとえば、第2の装置）と通信することにおいて上りリンク・データ伝送装置を支援するように構成される。プロセッサ520は、本願において提供されるS205およびS206を実装するために、メモリ540に記憶されるプログラム・コードおよびデータを実行することにおいて上りリンク・データ伝送装置を支援するように構成される。
【０５３１】
統合されたユニットが使用される場合、図40は、前述の実施形態における下りリンク・データ伝送装置の可能な構造の概略図である。下りリンク・データ伝送装置は、第3の装置または第3の装置内のチップであってもよい。下りリンク・データ伝送装置は、生成ユニット601と送信ユニット602とを含む。生成ユニット601は、前述の実施形態におけるS301を実行することにおいて下りリンク・データ伝送装置を支援するように構成されている。送信ユニット602は、前述の実施形態におけるS302を実行することにおいて下りリンク・データ伝送装置を支援するように構成されている。前述の方法実施形態におけるステップのすべての関連する内容は、対応する機能モジュールの機能説明で引用することができ、詳細は、ここでは再度説明しない。
【０５３２】
統合されたユニットが使用される場合、図41は、前述の実施形態における下りリンク・データ伝送装置の可能な論理構造の概略図である。下りリンク・データ伝送装置は、前述の実施形態における第3の装置であってもよいし、第3の装置に適用されるチップであってもよい。下りリンク・データ伝送装置は、処理モジュール612および通信モジュール613を含む。処理モジュール612は、下りリンク・データ伝送装置の動作を制御および管理するように構成される。たとえば、処理モジュール612は、下りリンク・データ伝送装置の側でメッセージまたはデータ処理を実行するステップを実行するように構成され、たとえば、前述の実施形態におけるS301を実行することにおいて下りリンク・データ伝送装置を支援する。通信モジュール613は、前述の実施形態におけるS302を実行することにおいて、および／または本明細書に記載の技術のために使用され、下りリンク・データ伝送装置によって実行される別のプロセスを実行することにおいて、下りリンク・データ伝送装置を支援するように構成される。
【０５３３】
任意的に、下りリンク・データ伝送装置は、下りリンク・データ伝送装置のプログラム・コードおよびデータを記憶するように構成された記憶モジュール611をさらに含んでいてもよい。
【０５３４】
処理モジュール612は、プロセッサまたはコントローラであってもよく、たとえば、中央処理装置、汎用プロセッサ、デジタル信号プロセッサ、特定用途向け集積回路、フィールド・プログラマブル・ゲート・アレイ、または他のプログラマブル論理デバイス、トランジスタ論理デバイス、ハードウェア・コンポーネント、またはそれらの任意の組み合わせであってもよい。処理モジュール612は、本願に開示された内容を参照して説明されたさまざまな例示的な論理ブロック、モジュール、および回路を実装または実行することができる。あるいはまた、処理モジュール612は、計算機能を実装するプロセッサの組み合わせ、たとえば、一つまたは複数のマイクロプロセッサの組み合わせ、またはデジタル信号プロセッサとマイクロプロセッサの組み合わせであってもよい。通信モジュール613は、トランシーバ、トランシーバ回路、通信インターフェースなどであってもよい。記憶モジュール611はメモリであってもよい。
【０５３５】
処理モジュール612がプロセッサ620であり、通信モジュール613が通信インターフェース630またはトランシーバであり、記憶モジュール611がメモリ640である場合、本願における下りリンク・データ伝送装置は、図42に示されるデバイスであってもよい。
【０５３６】
通信インターフェース630、一つまたは複数（2つを含む）のプロセッサ620、およびメモリ640は、バス610を介して互いに接続される。バス610は、PCIバス、EISAバスなどであってもよい。バスは、アドレスバス、データバス、制御バスなどに分類されうる。表現の簡単のため、図42のバスを表わすためには1本の太線のみが使用されているが、これはバスが1つのみ、またはバスのタイプが1つのみであることを意味するものではない。メモリ640は、下りリンク・データ伝送装置のプログラム・コードおよびデータを記憶するように構成される。通信インターフェース630は、他の装置（たとえば、第1の装置）と通信することにおいて下りリンク・データ伝送装置を支援するように構成される。プロセッサ620は、本願において提供されるS301およびS302を実装するために、メモリ640に記憶されるプログラム・コードおよびデータを実行することにおいて下りリンク・データ伝送装置を支援するように構成される。
【０５３７】
統合されたユニットが使用される場合、図43は、前述の実施形態における下りリンク・データ伝送装置の可能な構造の概略図である。下りリンク・データ伝送装置は、第2の装置または第2の装置内のチップであってもよい。下りリンク・データ伝送装置は、受信ユニット701および処理ユニット702を含む。受信ユニット701は、前述の実施形態におけるS305を実行することにおいて下りリンク・データ伝送装置を支援するように構成されている。処理ユニット702は、前述の実施形態におけるS306を実行することにおいて下りリンク・データ伝送装置を支援するように構成されている。前述の方法実施形態におけるステップのすべての関連する内容は、対応する機能モジュールの機能説明で引用することができ、詳細は、ここでは再度説明しない。
【０５３８】
統合されたユニットが使用される場合、図44は、前述の実施形態における下りリンク・データ伝送装置の可能な論理構造の概略図である。下りリンク・データ伝送装置は、前述の実施形態における第2の装置であってもよく、または第2の装置に適用されるチップであってもよい。下りリンク・データ伝送装置は、処理モジュール712および通信モジュール713を含む。処理モジュール712は、下りリンク・データ伝送装置の動作を制御および管理するように構成される。たとえば、処理モジュール712は、下りリンク・データ伝送装置の側でメッセージまたはデータ処理を実行するステップを実行するように構成され、たとえば、前述の実施形態におけるS306を実行することにおいて下りリンク・データ伝送装置を支援するように構成される。通信モジュール713は、前述の実施形態におけるS305を実行することにおいて、および／または本明細書に記載の技術のために使用され、下りリンク・データ伝送装置によって実行される別のプロセスを実行することにおいて、下りリンク・データ伝送装置を支援するように構成される。
【０５３９】
任意的に、下りリンク・データ伝送装置は、下りリンク・データ伝送装置のプログラム・コードおよびデータを記憶するように構成された記憶モジュール711をさらに含んでいてもよい。
【０５４０】
処理モジュール712は、プロセッサまたはコントローラであってもよく、たとえば、中央処理装置、汎用プロセッサ、デジタル信号プロセッサ、特定用途向け集積回路、フィールド・プログラマブル・ゲート・アレイ、または他のプログラマブル論理デバイス、トランジスタ論理デバイス、ハードウェア・コンポーネント、またはそれらの任意の組み合わせであってもよい。処理モジュール712は、本願に開示された内容を参照して説明されたさまざまな例示的な論理ブロック、モジュール、および回路を実装または実行することができる。あるいはまた、処理モジュール712は、計算機能を実装するプロセッサの組み合わせ、たとえば、一つまたは複数のマイクロプロセッサの組み合わせ、またはデジタル信号プロセッサとマイクロプロセッサの組み合わせであってもよい。通信モジュール713は、トランシーバ、トランシーバ回路、通信インターフェースなどであってもよい。記憶モジュール711はメモリであってもよい。
【０５４１】
処理モジュール712がプロセッサ720であり、通信モジュール713が通信インターフェース730またはトランシーバであり、記憶モジュール711がメモリ740である場合、本願における下りリンク・データ伝送装置は、図45に示す装置であってもよい。
【０５４２】
通信インターフェース730、一つまたは複数（2つを含む）のプロセッサ720、およびメモリ740は、バス710を介して互いに接続される。バス710は、PCIバス、EISAバスなどであってもよい。バスは、アドレスバス、データバス、制御バスなどに分類されうる。表現の簡単のため、図45においてバスを表わすためには1本の太線のみが使用されているが、これはバスが1本のみ、またはバスのタイプが1本のみであることを意味するものではない。メモリ740は、下りリンク・データ伝送装置のプログラム・コードおよびデータを記憶するように構成される。通信インターフェース730は、他の装置（たとえば、第1の装置）と通信することにおいて下りリンク・データ伝送装置を支援するように構成される。プロセッサ720は、本願において提供されるS305およびS306を実装するために、メモリ740に記憶されるプログラム・コードおよびデータを実行することにおいて下りリンク・データ伝送装置を支援するように構成される。
【０５４３】
図46は、本願のある実施形態によるチップ150の概略構造図である。チップ150は、一つまたは複数（2つを含む）のプロセッサ1510およびインターフェース回路1530を含む。
【０５４４】
任意的に、チップ150は、メモリ1540をさらに含む。
メモリ1540は、読み出し専用メモリおよびランダム・アクセス・メモリを含み、プロセッサ1510のための動作命令およびデータを提供してもよい。メモリ1540の一部は、不揮発性ランダム・アクセス・メモリ（non-volatile  random  access  memory、NVRAM）をさらに含んでいてもよい。
【０５４５】
いくつかの実装では、メモリ1540は、以下の要素、実行可能モジュールもしくはデータ構造、またはそれらのサブセット、またはそれらの拡張セットを格納する。
【０５４６】
本願のこの実施形態では、対応する動作は、メモリ1540に記憶された動作命令を呼び出すことによって実行される（動作命令はオペレーティング・システムに記憶されていてもよい）。
【０５４７】
ある可能な実装では、第1の装置、第2の装置、第3の装置、およびRAN装置によって使用されるチップは、同様であり、異なる装置は、それぞれの機能を実現するために異なるチップを使用してもよい。
【０５４８】
プロセッサ1510は、第1の装置、第2の装置、第3の装置、およびRAN装置の動作を制御し、プロセッサ1510は、中央処理装置（central  processing  unit、CPU）と呼ばれることもある。メモリ1540は、読み出し専用メモリおよびランダム・アクセス・メモリを含み、プロセッサ1510のための命令およびデータを提供してもよい。メモリ1540の部分は、不揮発性ランダム・アクセス・メモリ（non-volatile  random  access  memory、NVRAM）をさらに含んでいてもよい。たとえば、適用の間、メモリ1540、インターフェース回路1530、およびメモリ1540は、バス・システム1520を通じて互いに結合される。バス・システム1520は、データバスに加えて、電力バス、制御バス、状態信号バスなどをさらに含んでいてもよい。しかしながら、明確な記述のため、さまざまなバスが、図46においてバス・システム1520としてマークされている。
【０５４９】
本願の前述の実施形態において開示された方法は、プロセッサ1510に適用されてもよく、またはプロセッサ1510によって実装されてもよい。プロセッサ1510は、集積回路チップであってもよく、信号処理能力を有する。ある実装プロセスにおいては、前述の方法におけるステップは、プロセッサ1510内のハードウェア集積論理回路を使用することによって、またはソフトウェアの形の命令を使用することによって、実装されてもよい。プロセッサ1510は、汎用プロセッサ、デジタル信号プロセッサ（digital  signal  processing、DSP）、特定用途向け集積回路（application  specific  integrated  circuit、ASIC）、フィールド・プログラマブル・ゲート・アレイ（field-programmable  gate  array、FPGA）、または別のプログラマブル論理デバイス、離散的ゲートまたはトランジスタ論理デバイス、または離散的なハードウェア・コンポーネントであってもよい。本願の実施形態において開示される方法、ステップ、および論理ブロック図は、実施または実行されてもよい。汎用プロセッサは、マイクロプロセッサであってもよく、またはプロセッサは、任意の従来のプロセッサ等であってもよい。本願の実施形態を参照して開示される方法のステップは、ハードウェア・デコード・プロセッサを使用して直接的に実行され完成されてもよく、またはデコード・プロセッサ内のハードウェアおよびソフトウェア・モジュールの組み合わせを使用して実行され完成されてもよい。ソフトウェア・モジュールは、ランダム・アクセス・メモリ、フラッシュ・メモリ、読み出し専用メモリ、プログラマブル読み出し専用メモリ、電気的に消去可能なプログラマブル・メモリ、またはレジスタのような、当該技術分野における成熟した記憶媒体内に位置していてもよい。記憶媒体はメモリ1540内に位置され、プロセッサ1510は、メモリ1540内の情報を読み、該プロセッサのハードウェアと組み合わせて、前述の諸方法のステップを完了する。
【０５５０】
任意的に、インターフェース回路1530は、図13、図14、図15、図16、図17、図18、図19A、図19B、図19C、図20A、図20B、および図20Cに示される実施形態における第1の装置、第2の装置、第3の装置、およびRAN装置の受信および送信ステップを実行するように構成される。
【０５５１】
プロセッサ1510は、図13、図14、図15、図16、図17、図18、図19A、図19B、図19C、図20A、図20B、および図20Cに示される実施形態における、第1の装置、第2の装置、第3の装置、およびRAN装置の処理ステップを実行するように構成される。
【０５５２】
前述の実施形態において、メモリに記憶され、プロセッサによって実行される命令は、コンピュータ・プログラム製品の形で実装されてもよい。コンピュータ・プログラム製品は、あらかじめメモリに書き込まれてもよいし、またはソフトウェアの形でダウンロードされてメモリにインストールされてもよい。
【０５５３】
コンピュータ・プログラム製品は、一つまたは複数のコンピュータ命令を含む。コンピュータ・プログラム命令がロードされ、コンピュータ上で実行されるときに本願の実施形態による手順または機能が全部または部分的に生成される。コンピュータは、汎用コンピュータ、専用コンピュータ、コンピュータネットワーク、または他のプログラム可能な装置であってもよい。コンピュータ命令は、コンピュータ読み取り可能な記憶媒体に記憶されてもよく、またはコンピュータ読み取り可能な記憶媒体から別のコンピュータ読み取り可能な記憶媒体に送信されてもよい。たとえば、コンピュータ命令は、ウェブサイト、コンピュータ、サーバー、またはデータセンターから、有線（たとえば、同軸ケーブル、光ファイバー、またはデジタル加入者線（DSL））または無線（たとえば、赤外線、無線、またはマイクロ波）方式で、別のウェブサイト、コンピュータ、サーバー、またはデータセンターに送信されてもよい。コンピュータ読み取り可能な記憶媒体は、コンピュータによってアクセス可能な任意の使用可能な媒体、または一つまたは複数の使用可能な媒体を統合するサーバーまたはデータセンターなどのデータ記憶装置であってもよい。使用可能な媒体は、磁気媒体（たとえば、フロッピーディスク、ハードディスク、または磁気テープ）、光媒体（たとえば、DVD）、半導体媒体（たとえば、固体ドライブ固体ディスク、SSD）などである。
【０５５４】
ある側面によれば、コンピュータ記憶媒体が提供される。コンピュータ読み取り可能な記憶媒体は、命令を記憶し、該命令が実行されると、第1の装置または第1の装置に適用されるチップが、前記実施形態におけるS102、S103、S104、S106、S108、およびS110、および／または本明細書に記載された技術のために使用され、第1の装置または第1の装置に適用されるチップによって実行される別のプロセスを実行することを可能にされる。
【０５５５】
別の側面によれば、コンピュータ記憶媒体が提供される。コンピュータ読み取り可能な記憶媒体は、命令を記憶し、該命令が実行されると、RAN装置またはRAN装置に適用されるチップが、前記実施形態におけるS101、S105、S107、およびS109、および／または本明細書に記載される技術のために使用され、RAN装置またはRAN装置に適用されるチップによって実行される別のプロセスを実行することを可能にされる。
【０５５６】
さらに別の側面によれば、コンピュータ記憶媒体が提供される。コンピュータ読み取り可能記憶媒体は、命令を記憶し、該命令が実行されると、第1の装置または第1の装置に適用されるチップが、前記実施形態におけるS203およびS204、またはS303およびS304、および／または本明細書に記載された技術のために使用され、第1の装置または第1の装置に適用されるチップによって実行される他のプロセスを実行することを可能にされる。
【０５５７】
さらに別の側面によれば、コンピュータ記憶媒体が提供される。コンピュータ読み取り可能な記憶媒体は、命令を記憶し、該命令が実行されると、第2の装置または第2の装置に適用されるチップが、前記実施形態におけるS201およびS202を実行することを可能にするか、または第2の装置または第2の装置に適用されるチップが、前記実施形態におけるS305およびS306を実行fすることを可能にする。
【０５５８】
さらに別の側面によれば、コンピュータ記憶媒体が提供される。コンピュータ読み取り可能な記憶媒体は、命令を記憶し、該命令が実行されると、第3の装置または第3の装置に適用されるチップが、前記実施形態におけるS205およびS206、またはS301およびS302、および／または本明細書に記載される技術のために使用され、第3の装置または第3の装置に適用されるチップによって実行される別のプロセスを実行することを可能にされる。
【０５５９】
前述の読み出し可能な記憶媒体は、USBフラッシュドライブ、リムーバブルハードディスク、読み出し専用メモリ、ランダム・アクセス・メモリ、磁気ディスク、または光ディスクのような、プログラム・コードを記憶することができる任意の媒体を含んでいてもよい。
【０５６０】
ある側面によれば、命令を含むコンピュータ・プログラム製品が提供される。コンピュータ・プログラム製品は、前記命令を記憶し、前記命令が実行されると、第1の装置または第1の装置に適用されるチップが、前記実施形態におけるS102、S103、S104、S106、S108、およびS110、および／または本明細書に記載される技術のために使用され、第1の装置または第1の装置に適用されるチップによって実行される別のプロセスを実行することを可能にされる。
【０５６１】
別の側面によれば、命令を含むコンピュータ・プログラム製品が提供される。コンピュータ・プログラム製品は、前記命令を記憶し、前記命令が実行されると、RAN装置またはRAN装置に適用されるチップが、前記実施形態におけるS101、S105、S107、およびS109、および／または本明細書に記載される技術のために使用され、RAN装置またはRAN装置に適用されるチップによって実行される別のプロセスを実行することを可能にされる。
【０５６２】
さらに別の側面によれば、本願のある実施形態は、命令を含むコンピュータ・プログラム製品を提供する。コンピュータ・プログラム製品は、前記命令を記憶し、前記命令が実行されると、第1の装置または第1の装置に適用されるチップが、前記実施形態におけるS203およびS204、またはS303およびS304、および／または本明細書に記載される技術のために使用され、第1の装置または第1の装置に適用されるチップによって実行される別のプロセスを実行することを可能にされる。
【０５６３】
さらに別の側面によれば、本願のある実施形態は、命令を含むコンピュータ・プログラム製品を提供する。コンピュータ・プログラム製品は、前記命令を記憶し、前記命令が実行されると、第2の装置または第2の装置に適用されるチップが、前記実施形態におけるS201およびS202、またはS305およびS306、および／または本明細書に記載される技術のために使用され、第2の装置または第2の装置に適用されるチップによって実行される別のプロセスを実行することを可能にされる。
【０５６４】
別の側面によれば、本願のある実施形態は、命令を含むコンピュータ・プログラム製品を提供する。コンピュータ・プログラム製品は、前記命令を記憶し、前記命令が実行されると、第3の装置または第3の装置に適用されるチップが、前記実施形態におけるS205およびS206、またはS301およびS302、および／または本明細書に記載される技術のために使用され、第3の装置または第3の装置に適用されるチップによって実行される別のプロセスを実行することを可能にされる。
【０５６５】
ある側面によれば、チップが提供される。チップは、第1の装置に適用され、チップは、一つまたは複数（2つを含む）のプロセッサおよびインターフェース回路を含み、インターフェース回路は、ラインを通じて前記一つまたは複数（2つを含む）のプロセッサに相互接続され、プロセッサは、前記実施形態におけるS102、S103、S104、S106、S108、およびS110を実行する、および／または本明細書に記載される技術のために使用され、第1の装置によって実行される別のプロセスを実行するための命令を実行するように構成される。
【０５６６】
別の側面によれば、チップが提供される。チップは、RAN装置に適用され、チップは、一つまたは複数（2つを含む）のプロセッサおよびインターフェース回路を含み、インターフェース回路は、ラインを通じて前記一つまたは複数（2つを含む）のプロセッサに相互接続され、プロセッサは、前記実施形態におけるS101、S105、S107、およびS109を実行する、および／または本明細書に記載される技術のために使用され、RAN装置によって実行される別のプロセスを実行するための命令を実行するように構成される。
【０５６７】
さらに別の側面によれば、チップが提供される。チップは、第1の装置に適用され、チップは、一つまたは複数（2つを含む）のプロセッサおよびインターフェース回路を含み、インターフェース回路は、ラインを通じて前記一つまたは複数（2つを含む）のプロセッサに相互接続され、プロセッサは、前記実施形態におけるS203およびS204、またはS303およびS304を実行する、および／または本明細書に記載される技術のために使用され、第1の装置によって実行される別のプロセスを実行するための命令を実行するように構成される。
【０５６８】
別の側面によれば、チップが提供される。チップは、第2の装置に適用され、チップは、一つまたは複数（2つを含む）のプロセッサおよびインターフェース回路を含み、インターフェース回路は、ラインを通じて前記一つまたは複数（2つを含む）のプロセッサに相互接続され、プロセッサは、前記実施形態におけるS201およびS202、またはS305およびS306を実行する、および／または本明細書に記載される技術のために使用され、第2の装置によって実行される別のプロセスを実行するための命令を実行するように構成される。
【０５６９】
さらに別の側面によれば、チップが提供される。チップは、第3の装置に適用され、チップは、一つまたは複数（2つを含む）のプロセッサおよびインターフェース回路を含み、インターフェース回路は、ラインを通じて前記一つまたは複数（2つを含む）のプロセッサに相互接続され、プロセッサは、前記実施形態におけるS205およびS206、またはS301およびS302を実行する、および／または本明細書に記載される技術のために使用され、第3の装置によって実行される別のプロセスを実行するための命令を実行するように構成される。
【０５７０】
さらに、本願は、通信システムをさらに提供する。通信システムは、図25から図27に示される構成装置と、図28から図30に示される構成装置とを含む。
【０５７１】
別の側面によれば、本願のある実施形態は、通信システムを提供する。通信システムは、図31から図33に示される上りリンク／下りリンク・データ伝送装置、図34から図36に示される上りリンク・データ伝送装置、および図37から図39に示される上りリンク・データ伝送装置を含む。
【０５７２】
さらに別の側面によれば、本願のある実施形態は、通信システムを提供する。通信システムは、図31から図33に示される上りリンク／下りリンク・データ伝送装置、図40から図42に示される下りリンク・データ伝送装置、および図43から図45に示される下りリンク・データ伝送装置を含む。
【０５７３】
前述の実施形態の全部または一部は、ソフトウェア、ハードウェア、ファームウェア、またはそれらの任意の組み合わせを使用することによって実装されうる。ソフトウェアプログラムを使用して実施形態を実装する場合、実施形態は、完全にまたは部分的に、コンピュータ・プログラム製品の形で実装されうる。コンピュータ・プログラム製品は、一つまたは複数のコンピュータ命令を含む。コンピュータ・プログラム命令がロードされ、コンピュータ上で実行される場合、本願の実施形態による手順または機能が、全部または部分的に生成される。コンピュータは、汎用コンピュータ、専用コンピュータ、コンピュータネットワーク、または他のプログラム可能な装置であってもよい。コンピュータ命令は、コンピュータ読み取り可能な記憶媒体に記憶されてもよく、またはコンピュータ読み取り可能な記憶媒体から別のコンピュータ読み取り可能な記憶媒体に送信されてもよい。たとえば、コンピュータ命令は、ウェブサイト、コンピュータ、サーバー、またはデータセンターから、有線（たとえば、同軸ケーブル、光ファイバー、またはデジタル加入者線（digital  subscriber  line、略DSL））または無線（たとえば、赤外線、電波、またはマイクロ波）方式で、別のウェブサイト、コンピュータ、サーバー、またはデータセンターに送信されうる。コンピュータ読み取り可能な記憶媒体は、コンピュータによってアクセス可能な任意の使用可能な媒体、または一つまたは複数の使用可能な媒体を統合するサーバーまたはデータセンターなどのデータ記憶装置であってもよい。使用可能な媒体は、磁気媒体（たとえば、フロッピーディスク、ハードディスク、磁気テープ）、光媒体（たとえば、DVD）、半導体媒体（たとえば、ソリッドステートドライブ（solid  state  disk、略SSD））などでありうる。
【０５７４】
本願は、実施形態を参照して説明されているが、保護を請求する本願を実施するプロセスにおいて、当業者は、添付の図面、開示された内容、および添付の請求項を参照することによって、開示された実施形態の別の変形を理解し、実施することができる。請求項において、「有する／含む」は、別の構成要素または別の工程を除外せず、「ある」または「一つ」は、複数の意味を除外しない。単一のプロセッサまたは他のユニットが、特許請求の範囲に列挙されるいくつかの機能を実装してもよい。いくつかの施策が、互いに異なる従属クレームに記録されるが、これは、これらの施策を組み合わせてより良い効果を生み出すことができないことを意味しない。
【０５７５】
本願は、個別的な特徴およびその実施形態を参照して記載されているが、明らかに、本願の精神および範囲から逸脱することなく、それらに対してさまざまな修正および組み合わせを行なうことができる。対応して、明細書および添付の図面は、添付の特許請求の範囲によって定義される本願の単なる例示的な説明であり、本願の範囲をカバーする修正、変形、組み合わせまたは均等物のいずれかまたはすべてとみなされる。当業者は、本願の精神および範囲から逸脱することなく、本願にさまざまな修正および変形を行なうことができることは明らかである。このようにして、本願は、本願の請求項およびその等価な技術によって定義される保護の範囲内にあることを条件として、本願のこれらの修正および変形をカバーすることが意図されている。
【図１】
2021521736.tif 000003
【図２】
2021521736.tif 000004
【図３】
2021521736.tif 000005
【図４】
2021521736.tif 000006
【図５】
2021521736.tif 000007
【図６】
2021521736.tif 000008
【図７】
2021521736.tif 000009
【図８】
2021521736.tif 000010
【図９】
2021521736.tif 000011
【図１０】
2021521736.tif 000012
【図１１】
2021521736.tif 000013
【図１２】
2021521736.tif 000014
【図１３】
2021521736.tif 000015
【図１４】
2021521736.tif 000016
【図１５】
2021521736.tif 000017
【図１６】
2021521736.tif 000018
【図１７】
2021521736.tif 000019
【図１８】
2021521736.tif 000020
【図１９Ａ】
2021521736.tif 000021
【図１９Ｂ】
2021521736.tif 000022
【図１９Ｃ】
2021521736.tif 000023
【図２０Ａ】
2021521736.tif 000024
【図２０Ｂ】
2021521736.tif 000025
【図２０Ｃ】
2021521736.tif 000026
【図２１】
2021521736.tif 000027
【図２２】
2021521736.tif 000028
【図２３】
2021521736.tif 000029
【図２４】
2021521736.tif 000030
【図２５】
2021521736.tif 000031
【図２６】
2021521736.tif 000032
【図２７】
2021521736.tif 000033
【図２８】
2021521736.tif 000034
【図２９】
2021521736.tif 000035
【図３０】
2021521736.tif 000036
【図３１】
2021521736.tif 000037
【図３２】
2021521736.tif 000038
【図３３】
2021521736.tif 000039
【図３４】
2021521736.tif 000040
【図３５】
2021521736.tif 000041
【図３６】
2021521736.tif 000042
【図３７】
2021521736.tif 000043
【図３８】
2021521736.tif 000044
【図３９】
2021521736.tif 000045
【図４０】
2021521736.tif 000046
【図４１】
2021521736.tif 000047
【図４２】
2021521736.tif 000048
【図４３】
2021521736.tif 000049
【図４４】
2021521736.tif 000050
【図４５】
2021521736.tif 000051
【図４６】
2021521736.tif 000052
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
構成方法であって：
第1の装置によって、無線アクセス・ネットワーク（RAN）装置から、伝送経路上の前記第1の装置の層のためのルーティング構成を受信するステップであって、前記第1の装置の前記層は、データ・パケットにおいて担持される、サービス品質（QoS）要件に関係した識別情報に基づいてバックホール・リンク上で、前記データ・パケットを次ホップ・ノードに送信するために前記データ・パケットをバックホール・リンク上の無線リンク制御（RLC）チャネルにマッピングする機能を有しており、前記伝送経路は、前記RAN装置および少なくとも1つの無線バックホール装置を含み、前記RAN装置はドナー・ノードの集中ユニット（CU）であり、前記第1の装置は前記ドナー・ノードの分散ユニット（DU）または該DUに接続された無線バックホール・ノードであり、前記ルーティング構成は第2の装置の識別子を含み、前記第2の装置は無線バックホール・ノードである、ステップと；
前記第1の装置によって、前記第1の装置の前記層上で前記ルーティング構成を実行するステップと、を含む、
方法。
【請求項２】
前記ルーティング構成がさらに、前記伝送経路上の前記第1の装置の次ホップ・ノードの識別子、前記伝送経路の識別子を含む、請求項１に記載の方法。
【請求項３】
当該方法がさらに：
前記第1の装置が前記伝送経路上でデータ伝送を実行するためのマッピング関係を、前記第1の装置によって受信するステップを含み、前記マッピング関係は、前記第1の装置の前ホップ無線インターフェース上のRLCチャネルと前記第1の装置の次ホップ無線インターフェース上のRLCチャネルとの間のマッピングを含む、請求項１または２に記載の方法。
【請求項４】
前記第1の装置は前記DUに接続された無線バックホール・ノードであり、当該方法は、さらに：
前記第1の装置によって、前記RAN装置によって送信された指示情報を受信するステップを含み、前記指示情報は、RLC層において前記第1の装置の自動反復要求（ARQ）モードを示す、
請求項１ないし３のうちいずれか一項に記載の方法。
【請求項５】
前記第1の装置は、前記DUに接続された無線バックホール・ノードであり、当該方法は、さらに：
前記第1の装置によって、前記RAN装置によって送信され、前記第1の装置のパケット・データ収束プロトコル（PDCP）層を構成するために使用される情報を受信するステップを含み、前記第1の装置のPDCP層は、前記RAN装置のPDCP層のピア層であるか、または前記DUのPDCP層のピア層である、
請求項１ないし４のうちいずれか一項に記載の方法。
【請求項６】
構成方法であって：
無線アクセス・ネットワーク（RAN）装置によって、伝送経路上の第1の装置の層のためのルーティング構成を決定するステップと；
前記RAN装置によって、前記第1の装置に前記ルーティング構成を送信するステップとを含み、前記第1の装置の前記層は、データ・パケットにおいて担持される、サービス品質（QoS）要件に関係した識別情報に基づいてバックホール・リンク上で、前記データ・パケットを次ホップ・ノードに送信するために前記データ・パケットをバックホール・リンク上の無線リンク制御（RLC）チャネルにマッピングする機能を有しており、前記伝送経路は、前記RAN装置および少なくとも1つの無線バックホール装置を含み、前記RAN装置はドナー・ノードの集中ユニット（CU）であり、前記第1の装置は、分散ユニット（DU）または該DUに接続された無線バックホール・ノードであり、前記ルーティング構成は第2の装置の識別子を含み、前記第2の装置は無線バックホール・ノードである、
方法。
【請求項７】
前記ルーティング構成がさらに、前記伝送経路上の前記第1の装置の次ホップ・ノードの識別子、前記伝送経路の識別子を含む、請求項６に記載の方法。
【請求項８】
当該方法がさらに：
前記第1の装置が前記伝送経路上でデータ伝送を実行するためのマッピング関係を、前記RAN装置によって前記第1の装置に送信するステップをさらに含み、前記マッピング関係は、前記第1の装置の前ホップ無線インターフェース上のRLCチャネルと前記第1の装置の次ホップ無線インターフェース上のRLCチャネルとの間のマッピングを含む、請求項６または７に記載の方法。
【請求項９】
前記第1の装置は前記DUに接続された無線バックホール・ノードであり、当該方法は、さらに：
前記RAN装置によって、指示情報を前記第1の装置に送信するステップを含み、前記指示情報は、無線リンク制御RLC層において前記第1の装置の自動反復要求（ARQ）モードを示す、
請求項６ないし８のうちいずれか一項に記載の方法。
【請求項１０】
前記第1の装置は、前記DUに接続された無線バックホール・ノードであり、当該方法は、さらに：
前記第1の装置のパケット・データ収束プロトコル（PDCP）層を構成するために使用される情報を、前記RAN装置によって、前記第1の装置に送信するステップを含み、前記第1の装置のPDCP層は、前記RAN装置のPDCP層のピア層であるか、または前記DUのPDCP層のピア層である、
請求項６ないし９のうちいずれか一項に記載の方法。
【請求項１１】
請求項１ないし５のうちいずれか一項に記載の方法を実行するよう構成された第1の装置。
【請求項１２】
請求項６ないし１０のうちいずれか一項に記載の方法を実行するよう構成された無線アクセス・ネットワーク（RAN）装置。
【請求項１３】
請求項１１に記載の第1の装置と、請求項１２に記載のRAN装置とを有する、通信システム。
【請求項１４】
請求項１ないし５のうちいずれか一項に記載の方法をコンピュータに実行させるプログラムが記録されているコンピュータ読み取り可能な記憶媒体。
【請求項１５】
請求項６ないし１０のうちいずれか一項に記載の方法をコンピュータに実行させるプログラムが記録されているコンピュータ読み取り可能な記憶媒体。
【手続補正２】
【補正対象書類名】明細書
【補正対象項目名】０２０３
【補正方法】変更
【補正の内容】
【０２０３】
たとえば、伝送経路装置は、伝送経路上の第1の装置の子ノードまたは後裔子ノードであってもよく、または第1の装置によってサービスされる端末であってもよい。
【手続補正３】
【補正対象書類名】明細書
【補正対象項目名】０５７５
【補正方法】変更
【補正の内容】
【０５７５】
本願は、個別的な特徴およびその実施形態を参照して記載されているが、明らかに、本願の範囲から逸脱することなく、それらに対してさまざまな修正および組み合わせを行なうことができる。対応して、明細書および添付の図面は、添付の特許請求の範囲によって定義される本願の単なる例示的な説明であり、本願の範囲をカバーする修正、変形、組み合わせまたは均等物のいずれかまたはすべてとみなされる。当業者は、本願の範囲から逸脱することなく、本願にさまざまな修正および変形を行なうことができることは明らかである。このようにして、本願は、本願の請求項およびその等価な技術によって定義される保護の範囲内にあることを条件として、本願のこれらの修正および変形をカバーすることが意図されている。
【国際調査報告】
2021521736.tif 000053
2021521736.tif 000054
2021521736.tif 000055
2021521736.tif 000056